(57)【要約】【課題】投入される遊技媒体の真偽を判別する遊技媒体判別装置を、スロットマシンの本体に容易に着脱することが出来るスロットマシンを提供すること。【解決手段】遊技媒体判別装置装着部９５１と遊技媒体判別装置７１の本体とには、遊技媒体判別装置７１の本体を遊技媒体判別装置装着部９５１に対して回動自在とする回動手段９５９ａ、９７３が設けられているとともに、該回動手段９５９ａ、９７３を中心とした遊技媒体判別装置７１の本体の回動動作によって遊技媒体判別装置７１の本体の係止または該係止の解除が行われるように構成された係止手段９５８ａ、９８０、９８１が設けられている。【選択図】    図７７
2004201980.tif 000002
【特許請求の範囲】
【請求項１】
１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであって、
スロットマシンの本体に設けられた遊技媒体投入部から投入された遊技媒体が流下する遊技媒体流下通路を備えるとともに、該遊技媒体流下通路を流下する遊技媒体の真偽を判別する遊技媒体判別装置が、前記スロットマシンの本体に設けられた遊技媒体判別装置装着部に着脱自在に設けられており、
該遊技媒体判別装置装着部と前記遊技媒体判別装置の本体とには、一方に軸部が、他方に該軸部を離脱自在に軸支する軸受部が設けられ、前記軸部と前記軸受部とにより、前記遊技媒体判別装置の本体を前記遊技媒体判別装置装着部に対して回動自在とする回動手段が構成されており、
前記遊技媒体判別装置装着部と前記遊技媒体判別装置の本体とには、一方に係止部が、他方に該係止部に係止される被係止部が設けられ、前記係止部と前記被係止部とにより、前記回動手段を中心とした前記遊技媒体判別装置の本体の回動動作によって該遊技媒体判別装置の本体の係止または該係止の解除が行われるように構成された係止手段が設けられていることを特徴とするスロットマシン。
【請求項２】
前記遊技媒体判別装置装着部は、前記スロットマシンの本体に取り付けられた遊技媒体判別装置取付部材により構成されており、
前記遊技媒体判別装置取付部材は、金属材にて構成されるとともに、合成樹脂により弾性変形自在に形成された係止部材が取り付けられており、該係止部材により前記係止部が構成されている請求項１に記載のスロットマシン。
【請求項３】
前記遊技媒体判別装置装着部は、前記スロットマシンの本体に取り付けられた遊技媒体判別装置取付部材により構成されており、
前記遊技媒体投入部を形成する遊技媒体投入部材を、前記遊技媒体判別装置の本体とは別個に構成するとともに、前記遊技媒体判別装置取付部材に取り付けた請求項１または２に記載のスロットマシン。
【請求項４】
前記遊技媒体判別装置装着部は、前記スロットマシンの本体に取り付けられた遊技媒体判別装置取付部材により構成されており、
前記遊技媒体流下通路から流出した遊技媒体を前記スロットマシンの本体所定箇所に配置された遊技媒体払出し装置に誘導する遊技媒体誘導部材を、前記遊技媒体判別装置の本体とは別個に構成するとともに、前記遊技媒体判別装置取付部材に取り付けた請求項１〜３のいずれかに記載のスロットマシン。
【請求項５】
前記遊技媒体は薄型略円柱状に形成されており、
前記遊技媒体判別装置は、前記遊技媒体流下通路を構成する流下壁を備えるとともに、前記遊技媒体判別装置装着部に装着された状態において、前記遊技媒体流下通路を円周面により回転流下する前記遊技媒体が、前記流下壁により前記遊技媒体の表裏面が略鉛直方向を向く起立姿勢に保持されて流下するように構成されている請求項１〜４のいずれかに記載のスロットマシン。
【発明の詳細な説明】
【０００１】
【発明の属する技術分野】
本発明は、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンに係わり、特に投入された遊技媒体の真偽を判別する遊技媒体判別装置を備えるスロットマシンに関する。
【０００２】
【従来の技術】
従来、この種のスロットマシンには、一般的に本体に設けられたメダル投入口から投入されたメダルの真偽を判別するメダルセレクタが備えられている。これらメダルセレクタは、メダル投入口から投入されたメダルが流下するメダル流下通路を有しており、この流路内でメダルの真偽が判別され、適正なメダルは本体内に誘導され、不適正なメダルは遊技者に返却されるように構成されている（例えば、特許文献１〜３参照）。
【０００３】
【特許文献１】
特開２００１−８４４２５号公報（第３−５頁、第１−６図）
【特許文献２】
特開２００１−１５５２０６号公報（第２−６頁、第１−６図）
【特許文献３】
特開２００１−１５５２０７号公報（第３−６頁、第１−２２図）
【０００４】
【発明が解決しようとする課題】
しかしながら、これら上記特許文献１〜３に記載されたメダルセレクタは、例えばメダルセレクタ内部でメダル詰まりが発生したり、センサ等が故障した場合や、メダルセレクタ内部が汚れた場合等においてメンテナンスが必要となることがあるため、スロットマシンの本体に対して容易に着脱することが出来るようにしたいといった要望があった。
【０００５】
本発明はこのような問題点に着目してなされたもので、投入される遊技媒体の真偽を判別する遊技媒体判別装置を、スロットマシンの本体に容易に着脱することが出来るスロットマシンを提供することを目的とする。
【０００６】
【課題を解決するための手段】
上記課題を解決するために、本発明のスロットマシンは、１ゲームに対して賭数を設定することによりゲームが開始可能となるとともに、表示状態を変化させることが可能な可変表示装置の表示結果が導出表示されることにより１ゲームが終了し、該可変表示装置の表示結果に応じて所定の入賞が発生可能なスロットマシンであって、
スロットマシンの本体に設けられた遊技媒体投入部から投入された遊技媒体が流下する遊技媒体流下通路を備えるとともに、該遊技媒体流下通路を流下する遊技媒体の真偽を判別する遊技媒体判別装置が、前記スロットマシンの本体に設けられた遊技媒体判別装置装着部に着脱自在に設けられており、
該遊技媒体判別装置装着部と前記遊技媒体判別装置の本体とには、一方に軸部が、他方に該軸部を離脱自在に軸支する軸受部が設けられ、前記軸部と前記軸受部とにより、前記遊技媒体判別装置の本体を前記遊技媒体判別装置装着部に対して回動自在とする回動手段が構成されており、
前記遊技媒体判別装置装着部と前記遊技媒体判別装置の本体とには、一方に係止部が、他方に該係止部に係止される被係止部が設けられ、前記係止部と前記被係止部とにより、前記回動手段を中心とした前記遊技媒体判別装置の本体の回動動作によって該遊技媒体判別装置の本体の係止または該係止の解除が行われるように構成された係止手段が設けられていることを特徴としている。
この特徴によれば、遊技媒体判別装置の本体を回動手段を中心として回動させることで、遊技媒体判別装置の本体を係止手段により係止させたり、係止手段による係止状態を解除することが出来るばかりか、軸部は軸受部から離脱させることが出来るように構成されているため、遊技媒体判別装置装着部への遊技媒体判別装置の本体の着脱を工具等を用いることなく容易に行うことが出来る。
【０００７】
本発明のスロットマシンの前記遊技媒体判別装置装着部は、前記スロットマシンの本体に取り付けられた遊技媒体判別装置取付部材により構成されており、
前記遊技媒体判別装置取付部材は、金属材にて構成されるとともに、合成樹脂により弾性変形自在に形成された係止部材が取り付けられており、該係止部材により前記係止部が構成されていることが好ましい。
このようにすれば、遊技媒体判別装置取付部材の本体が金属材にて構成されることで、遊技媒体判別装置の本体が帯電しにくくなるので、静電気等の要因による遊技媒体の判別誤作動を防止することが出来るとともに、製造時における加工が容易となるばかりか、係止部材を合成樹脂により弾性変形自在に構成することで、係止及び該係止の解除機構を簡単に構成することが出来るため、遊技媒体判別装置取付部材や係止手段の製造コストを効果的に低減することが出来る。
【０００８】
本発明のスロットマシンの前記遊技媒体判別装置装着部は、前記スロットマシンの本体に取り付けられた遊技媒体判別装置取付部材により構成されており、
前記遊技媒体投入部を形成する遊技媒体投入部材を、前記遊技媒体判別装置の本体とは別個に構成するとともに、前記遊技媒体判別装置取付部材に取り付けたことが好ましい。
このようにすれば、遊技媒体投入部材を遊技媒体判別装置の本体とは別個に構成することで、遊技媒体判別装置のメンテナンス時に邪魔になることがないばかりか、遊技媒体投入部材を、遊技媒体判別装置の本体が取り付けられる遊技媒体判別装置取付部材に取り付けることで、遊技媒体投入部材を遊技媒体判別装置取付部材以外の箇所に取り付ける場合に比べ、遊技媒体判別装置の本体との位置関係に狂いが生じにくいので、遊技媒体投入部材と遊技媒体流下通路との間での遊技媒体詰まりの発生を防止出来る。
【０００９】
本発明のスロットマシンの前記遊技媒体判別装置装着部は、前記スロットマシンの本体に取り付けられた遊技媒体判別装置取付部材により構成されており、
前記遊技媒体流下通路から流出した遊技媒体を前記スロットマシンの本体所定箇所に配置された遊技媒体払出し装置に誘導する遊技媒体誘導部材を、前記遊技媒体判別装置の本体とは別個に構成するとともに、前記遊技媒体判別装置取付部材に取り付けたことが好ましい。
このようにすれば、遊技媒体誘導部材を遊技媒体判別装置の本体とは別個に構成することで、遊技媒体判別装置のメンテナンス時に邪魔になることがないばかりか、遊技媒体誘導部材を、遊技媒体判別装置の本体が取り付けられる遊技媒体判別装置取付部材に取り付けることで、遊技媒体誘導部材を遊技媒体判別装置取付部材以外の箇所に取り付ける場合に比べ、遊技媒体判別装置の本体との位置関係に狂いが生じにくいので、遊技媒体流下通路から流出する遊技媒体を落下させることなく遊技媒体誘導部材に流出させることが出来る。
【００１０】
本発明のスロットマシンの前記遊技媒体は薄型略円柱状に形成されており、
前記遊技媒体判別装置は、前記遊技媒体流下通路を構成する流下壁を備えるとともに、前記遊技媒体判別装置装着部に装着された状態において、前記遊技媒体流下通路を円周面により回転流下する前記遊技媒体が、前記流下壁により前記遊技媒体の表裏面が略鉛直方向を向く起立姿勢に保持されて流下するように構成されていることが好ましい。
このようにすれば、遊技媒体流下通路を流下する円柱状の遊技媒体が流下壁に摺接した状態で流下し続けることを回避することが出来、これにより流下壁にゴミや塵等が付着しにくくなるため、摩擦抵抗による遊技媒体の流下速度の低下が防止され、流下速度の安定性が向上するとともに、遊技媒体流下通路での遊技媒体詰まりの発生等を効果的に防止することが出来る。
【００１１】
【発明の実施の形態】
以下、本発明の実施態様について図面を参照して説明する。
（１）スロットマシンの概略説明
まず、図１〜図５を参照してスロットマシンの概略構成について説明すると、図１はスロットマシン１を斜め前方から見た斜視図であり、図２は前面扉３を開放した状態のスロットマシン１を斜め前方から見た斜視図であり、図３はスロットマシン１の正面図であり、図４はスロットマシン１の筐体２内を示す正面図であり、図５はスロットマシン１の前面扉を示す背面図である。
【００１２】
本実施例におけるスロットマシン１は、前面が開口する筐体２と、この筺体２の側端に回動自在に枢支された前面扉３と、から構成されており、前面扉３の裏面に設けられた施錠装置４（図５参照）の鍵穴４ａに挿入した所定のキーを時計回り方向に回動操作することにより施錠が解除されて前面扉３を開放することができるようになっている。
【００１３】
（１−１）前面扉の前面
前面扉３の前面上端部には、遊技効果ＬＥＤ１３０（図３参照）が内蔵された遊技効果ＬＥＤ部４１が左右方向に延びるように設けられているとともに、左右側端部には、遊技効果ＬＥＤ１３１ａ〜１３１ｃ（図３参照）が内蔵された発光部としての遊技効果ＬＥＤ部４２Ｌ、及び遊技効果ＬＥＤ１３２ａ〜１３２ｃ（図３参照）が内蔵された発光部としての遊技効果ＬＥＤ部４２Ｒが、前面扉３の上部から下部にわたって一連に設けられている。これら遊技効果ＬＥＤ部４１、４２Ｌ、４２Ｒにより囲まれた前面扉３の前面には、役構成等が印刷された上部パネル５、各種表示部が形成された遊技パネル６、タイトル等が印刷された下部パネル７が各々設けられている。なお、下部パネル７の内部には表示面を後方から照らす蛍光灯１３９が内蔵されている。下部パネル７の下方には、メダル払出穴９から払出されるメダルを受け入れるメダル受皿１０が突設されている。なお、メダル受皿１０の左側には灰皿１３が設けられている。
【００１４】
遊技パネル６と下部パネル７の間には、操作部８が遊技パネル６よりも前方に膨出するように形成されており、この操作部８には、遊技媒体であるメダルを投入可能なメダル投入部３４や、各種操作ボタン３５、３６ａ、３６ｂ、３７、４０Ｌ、４０Ｃ、４０Ｒ、及びスタートレバー３８等が設けられている。
【００１５】
上部パネル５の左右側には、内部に設けられる高音スピーカ１３６Ｌ、１３６Ｒ（図５参照）から出力される音を放音する放音部１２Ｌ、１２Ｒがそれぞれ設けられているとともに、これら左右の放音部１２Ｌ、１２Ｒの間には、上部パネル５の後面に設けられる演出手段の一例である演出用リール９１Ｌ、９１Ｃ、９１Ｒを透視するための透明な演出用透視窓１１が印刷形成されている。
【００１６】
この演出用透視窓１１から視認できる各演出用リールの領域を、各演出用リールに対応させて左可変表示部９２Ｌ、中可変表示部９２Ｃ、右可変表示部９２Ｒ（領域）と呼ぶ（図３参照）。この演出用可変表示部としての各可変表示部９２Ｌ、９２Ｃ、９２Ｒからは、各演出用リールに描かれた複数の図柄のうち、連続する３つの図柄が上段、中段、下段の位置に表示される。
【００１７】
遊技パネル６には、筐体２に内設された後述するゲーム用リール５１Ｌ、５１Ｃ、５１Ｒを透視可能な透視窓１４と、各種表示部１６〜２５、２７〜３３と、がそれぞれ印刷形成されている。
【００１８】
遊技パネル６に設けられた各種表示部のうち、クレジット表示部３１は、内蔵されたクレジット表示器１０９（図５参照）によりクレジットが表示される。クレジットとは、遊技者所有の有価価値としてスロットマシン１内部の記憶部に記憶されているメダル数である。このスロットマシン１では、クレジットとして記憶可能な価値の上限値が最大でメダル５０枚分とされており、この上限値を越えるクレジットの加算更新の要求が発生した場合にはその上限を越えるメダルがメダル払出穴９から払出される。クレジット表示器１０９は、横並び状態で設けられた３個の７セグメント表示器からなり、３桁の数値を表示可能であるため、前記クレジットの上限が前記１００枚以上となった場合にも対応出来るとともに、クレジットの表示として使用しない７セグメント表示器は演出のために使用することが出来るようになっている。
【００１９】
ゲーム回数表示部３２は、後述するビッグボーナス（以下ＢＢと略称する）中に提供されるビッグボーナスゲーム（以下ＢＢゲームと略称する）の残回数や、後述するレギュラーボーナス（以下ＲＢと略称する）の残回数等が内蔵されたゲーム回数表示器１０８（図５参照）により表示される。さらにゲーム回数表示部３２は、スロットマシン１に発生した各種の異常を表示する報知手段であるエラー表示器としても機能する。
【００２０】
ペイアウト表示部３３は、１ゲーム中に発生した入賞に基づいて遊技者に付与されるメダル枚数が入賞がある毎に、内蔵されたペイアウト表示器１１０（図５参照）により表示される。さらに、本実施例におけるスロットマシン１は、予め定められた入賞確率の値を例えば６つのパターンの設定値として記憶しており、前記ペイアウト表示部３３には、この設定値が前記ペイアウト表示器１１０により表示されるようになっている。
【００２１】
１〜３枚賭け表示部４６〜４８は、内蔵された１〜３枚賭けＬＥＤ１１１〜１１３（図５参照）が、遊技者がゲームに賭数を設定した場合にその賭数に応じて点灯する。
【００２２】
リプレイ表示部２７は、リプレイ入賞が発生した場合に、その内部に内蔵されたリプレイＬＥＤ１１４（図５参照）が点灯する。スタート表示部２８は、賭数が設定されることによりスタート操作をすることが可能となった場合に、その内部に内蔵されたスタートＬＥＤ１１５（図５参照）が点灯し、有効なスタート操作が検出されることにより消灯する。投入指示表示部３０は、メダルを受付可能な状態である場合に、その内部に内蔵された投入指示ＬＥＤ１１７（図５参照）が点滅し、メダルを受付不可能な状態である場合に消灯する。
【００２３】
ウェイト表示部２９は、ウェイトタイム中にスタート操作が検出された場合に、その内部に内蔵されたウェイトＬＥＤ１１６（図５参照）が点灯し、ウェイトタイムが経過した後に消灯する。ウェイトタイムは、ゲームがあまりに速く進行しすぎてしまうことを規制するために設定されたゲーム進行規制期間であり、このウェイトタイム中にスタート操作が検出されると、ウェイトタイムが経過した後にリールが始動するように設定されている。
【００２４】
演出用表示部１６〜２５のうち演出用表示部１７〜２０は、リプレイ表示部２７、ウェイト表示部２９、スタート表示部２８、投入指示表示部３０と、演出用表示部２１〜２５は、１〜３枚賭け表示部４６〜４８と、各々同様に機能する表示部であり、これら各表示部に内蔵されたＬＥＤ１１１〜１１７の点灯／消灯に応じて、各々対応する演出用表示部１７〜２５に内蔵された演出用ランプ１４１〜１４９（図５参照）が点灯／消灯する。また、演出用表示部１６は、ビッグボーナス入賞やレギュラーボーナス入賞の発生が許容されている場合に、その内部に内蔵された演出用ランプ１４０（図５参照）が点灯するようになっており、ボーナス告知表示部として機能する。
【００２５】
操作部８の上面右側には、メダル投入口３４ａが形成されたメダル投入部３４が設けられているとともに、上面左側には精算ボタン３７、１枚ＢＥＴボタン３６ａ、ＭＡＸＢＥＴボタン３６ｂがそれぞれ設けられている。
【００２６】
１枚ＢＥＴボタン３６ａは、クレジットを使用してメダルを１枚分賭ける際に押圧するボタンであり、ＭＡＸＢＥＴボタン３６ｂは、１ゲームにおいて許容される賭数の最大数（本実施例ではメダル３枚分）をクレジットの範囲内で賭ける際に押圧するボタンである。１枚ＢＥＴボタン３６ａの表面には、該当する賭数である「１」の数字が刻設されているとともに、ＭＡＸＢＥＴボタン３６ｂの内部には、ＭＡＸＢＥＴボタンＬＥＤ１２１が内蔵されており（図５参照）、これらのＭＡＸＢＥＴボタンＬＥＤ１２１は、ＭＡＸＢＥＴボタン３６ｂの操作により賭数を設定可能な状態にある場合に点灯し、賭数を設定不可能な状態の場合に消灯する。なお、１枚ＢＥＴボタン３６ａの操作は内蔵された１枚ＢＥＴスイッチ１００に、また、ＭＡＸＢＥＴボタン３６ｂの操作は内蔵されたＭＡＸＢＥＴスイッチ１０１（図５参照）にて検出される。
【００２７】
精算ボタン３７は、記憶部に記憶されているクレジットの精算操作をする際に押圧するボタンであり、この精算ボタン３７の押圧操作は、内蔵された精算スイッチ１０４（図５参照）にて検出され、クレジットとして記憶されている枚数のメダルがメダル払出穴９から払出されるようになっている。
【００２８】
操作部８の前面には、スタートレバー３８、ストップボタン４０Ｌ、４０Ｃ、４０Ｒ、メダル詰まり解除ボタン３５がそれぞれ設けられている。スタートレバー３８は、ゲームを開始する際に操作するレバーであり、賭数の設定終了後においてスタートレバー３８を操作することにより、その操作が内蔵されたスタートスイッチ１０２（図５参照）にて検出されリールユニット５０の各リール５１Ｌ、５１Ｃ、５１Ｒの回転が開始される。
【００２９】
各ストップボタン４０Ｌ、４０Ｃ、４０Ｒは、ゲームが開始した後にリール５１Ｌ、５１Ｃ、５１Ｒの回転を停止させる際に操作するボタンであり、その操作は内蔵されたストップスイッチ１０３Ｌ、１０３Ｃ、１０３Ｒ（図５参照）にて検出されるようになっている。また、ストップボタン４０Ｌ、４０Ｃ、４０Ｒの内部には操作有効ＬＥＤ１２２Ｌ、１２２Ｃ、１２２Ｒが、それぞれ内蔵されており（図５参照）、これら操作有効ＬＥＤ１２２Ｌ、１２２Ｃ、１２２Ｒは、対応するストップボタン４０Ｌ、４０Ｃ、４０Ｒの操作が有効である場合に点灯し、操作が無効である場合に消灯する。
【００３０】
メダル詰まり解除ボタン３５は、メダル投入部３４に投入されたメダルが内部で詰まった場合に、これを解消させる際に操作するボタンである。
【００３１】
（１−２）筐体の内部
次に、筐体２内上部には、図２及び図４に示されるように、後述する遊技制御基板５００が収容された遊技制御基板ボックス３５０が、背板１５３に取り付けられた基板取付部材３５１（図１１参照）に取り付けられている。さらにその側方には、遊技制御基板５００から出力されるコマンド等を外部に出力するための外部出力基板５０５が取り付けられている。
【００３２】
筐体２内略中央部には、複数種の図柄が印刷された透光性を有する帯状のリールシートが外周に巻回されたリール５１Ｌ、５１Ｃ、５１Ｒを有する可変表示装置としてのリールユニット５０が設けられている。それぞれのリール５１Ｌ、５１Ｃ、５１Ｒは、各々に対応して設けられたリールモータ５４Ｌ、５４Ｃ、５４Ｒによりそれぞれ独立して縦方向に回転（駆動）、停止するように構成されており、各リール５１Ｌ、５１Ｃ、５１Ｒが回転することにより、透視窓１４には前記各種図柄が連続的に変化しつつ表示されるようになっている。
【００３３】
透視窓１４から視認できる各リールの領域を、各リールに対応させて左可変表示部４９Ｌ、中可変表示部４９Ｃ、右可変表示部４９Ｒ（領域）と呼ぶ（図３参照）。この遊技用可変表示部としての各可変表示部４９Ｌ、４９Ｃ、４９Ｒからは、各リールに描かれた複数の図柄のうち、連続する３つの図柄が上段、中段、下段の位置に表示される。
【００３４】
各リール５１Ｌ、５１Ｃ、５１Ｒには、それぞれのリールの回転基準位置を検出するリールセンサ５６Ｌ、５６Ｃ、５６Ｒが備えられており、このリールセンサ５６Ｌ、５６Ｃ、５６Ｒにより所定の図柄の停止位置を導出できるようになっているとともに、各リール５１Ｌ、５１Ｃ、５１Ｒにおける特定の表示領域（上、中、下段の表示領域）を裏面から個別に照射可能な複数のリールランプ５５Ｌａ〜５５Ｌｃ、５５Ｃａ〜５５Ｃｃ、５５Ｒａ〜５５Ｒｃがそれぞれ上、中、下段に設けられており、これら各リールランプ５５Ｌａ〜５５Ｌｃ、５５Ｃａ〜５５Ｃｃ、５５Ｒａ〜５５Ｒｃは、透視窓１４に表示される各図柄を後方から点灯するバックライトとして機能するようになっている。
【００３５】
また、リールユニット５０の背面には、各リールモータ５４Ｌ、５４Ｃ、５４Ｒ、リールセンサ５６Ｌ、５６Ｃ、５６Ｒの配線を遊技制御基板５００に接続するためのリール中継基板５０３が設けられているとともに、リールユニット５０の上面には、リールランプ５５Ｌａ〜５５Ｌｃ、５５Ｃａ〜５５Ｃｃ、５５Ｒａ〜５５Ｒｃからの配線が接続されるリールランプ中継基板５０４が設けられている。
【００３６】
リールユニット５０の下方には、メダル投入部３４から投入されたメダルを貯留するホッパータンク５７ａを有するホッパーユニット５７が設けられている。また、ホッパーユニット５７の右側にはホッパータンク５７ａからオーバーフローしたメダルが貯留されるオーバーフロータンク５９が設けられている。このオーバーフロータンク５９内にはメダルを検出可能なフルセンサ６０ａ、６０ｂが設けられており、内部に貯留されたメダル貯留量が所定量以上となったことを検出できるようになっている。
【００３７】
ホッパーユニット５７の下方部分にはホッパーモータ６２が設けられており、このホッパーモータ６２が回転することによりホッパータンク５７ａ内のメダルがメダル排出口６３から排出される。排出されたメダルは、メダル排出口６３の近傍に設けられる払出しメダルセンサ６１により検出された後、後述するメダル返却通路部材７３（図５参照）に形成されたメダル合流口７４（図５参照）を通して内部に流入し、メダル払出穴９から払い出される。
【００３８】
ホッパーユニット５７の側方には、メイン電源をｏｎ／ｏｆｆするメインスイッチ部６６と、エラーが生じた場合等において再びゲームを続行可能な状態にリセットする操作、及び入賞確率を変更可能とする操作を可能な設定／リセットボタン６７と、自動精算機能をｏｎ／ｏｆｆする自動精算選択スイッチ部６８と、自動打止め機能をｏｎ／ｏｆｆする打止め選択スイッチ部６９と、遊技場の管理者等が所持する特定のキーを挿入可能な設定キー挿入部７０と、が前面に設けられるとともに、電源基板５０２が内蔵された電源ユニット６５が配設されている。
【００３９】
本実施例では、設定キー挿入部７０のｏｎ／ｏｆｆ状態に関わらず、電源投入を行うことにより、その時点での自動精算選択スイッチ部６８及び打止め選択スイッチ部６９の状態にて設定されるとともに、設定／リセットボタン６７がリセットボタンとして機能することになる。また、縦長長方形状の設定キー挿入部７０が鉛直方向に対して左斜め４５度のｏｆｆの状態で特定のキーを挿入してから時計回りに９０度回転した状態、すなわちｏｎの状態で電源投入を行う操作により、設定キースイッチ（図示略）のｏｎが検出され、遊技状態の初期化、すなわち、遊技制御基板５００内に設けられたＲＡＭ（図示略）の記憶内容の初期化が実行されるとともに、設定／リセットボタン６７が設定ボタンとして機能することになり、この設定／リセットボタン６７の操作により入賞確率、すなわち出玉率の変更が実行可能となる。
【００４０】
設定キー挿入部７０は、ｏｆｆの状態において、垂直方向に対して左斜め４５度に傾斜した状態をなし、ｏｎの状態において、垂直方向に対して右斜め４５度に傾斜した状態となるように設けられているため、設定キーによる回動操作が行いやすいとともに、遊技状態のリセット及び入賞確率の設定それぞれの機能を１つのボタン操作にて行うことが出来るようにしたことで、操作性が向上する。
【００４１】
（１−３）前面扉の後面
次に、前面扉３の後面上部には、図５に示されるように、演出用ユニット９０が取り付けられている。演出用ユニット９０は、主に前方に開口する直方体状の演出用リール収容箱内に内蔵される演出用リール９１Ｌ、９１Ｃ、９１Ｒと、前記演出用リール収容箱の後面側（図５中手前側）に取り付けられる演出制御基板５０１と、から構成されている。演出用リール９１Ｌ、９１Ｃ、９１Ｒ内には、演出用リールセンサ１２７Ｌ、１２７Ｃ、１２７Ｒと、演出用リールＬＥＤ１２８Ｌ、１２８Ｃ、１２８Ｒと、演出用リールモータ１２９Ｌ、１２９Ｃ、１２９Ｒと、が内蔵されている。
【００４２】
また、演出用ユニット９０の左右側には、高音スピーカ１３６Ｌ、１３６Ｒが放音部１２Ｌ、１２Ｒに臨むように取り付けられている。高音スピーカ１３６Ｌの後面側には、リールランプ５５Ｌ、５５Ｃ、５５Ｒ及び各演出用ランプ１４０〜１４９が接続される演出用中継基板５０９が取り付けられている。また、スピーカ１３６Ｒの後方には、後述する遊技パネルユニット９５に組み付けられる冷陰極管１３８ａ〜１３８ｃ用の冷陰極管用インバータ１２４が取り付けられている。冷陰極管用インバータ１２４は、直方形状をなし、前面扉３の後面に対して縦向きに取り付けられている。
【００４３】
さらに、前面扉３の後面上部における図中向かって演出用ユニット９０の後側には、演出制御基板５０１に接続されるとともに、遊技効果ＬＥＤ１３０〜１３２、各スピーカ１３６Ｌ、１３６Ｒ、１３７（図１５参照）、冷陰極管１３８ａ〜１３８ｃ、蛍光灯１３９からの配線が接続されるドアベース中継基板５０６が設けられている。
【００４４】
前面扉３の後面中央部には、遊技パネル６及び各種演出用装置が組み付けられる遊技パネルユニット９５が組み付けられている。遊技パネルユニット９５の前面側には、遊技パネル６及びリール５１Ｌ、５１Ｃ、５１Ｒを上方から照らす発光色の異なる３本の冷陰極管１３８ａ〜１３８ｃが取り付けられている。
【００４５】
また、遊技パネルユニット９５の後面側には、演出用ランプ１４０〜１４４が搭載される演出用ランプ基板５４１と、演出用ランプ１４５〜１４９が搭載される演出用ランプ基板５４２と、各種表示器１０８〜１１０、１２０、各種ＬＥＤ１１１〜１１７が搭載される表示基板５４３と、演出用ランプ基板５４１、５４２の演出制御基板５０１への接続を中継するための演出用ランプ中継基板５０８と、が取り付けられている。なお、図５中の符号１２０は設定値表示器を示しており、この設定値表示器１２０が前面扉３の後面側に向けて取り付けられていることによって、電源ユニット６５にて設定値の設定操作を行う際において、開放した前面扉３の前面のペイアウト表示部３３を覗き込むことなく、設定値表示器１２０にて設定値を確認することが出来るため、操作性が向上する。
【００４６】
遊技パネルユニット９５の下方には、メダル投入部３４から投入された正規なメダルのみを後述するホッパータンク５７ａに導く投入メダルセレクタ７１が設けられている。直径や厚みの異なる不正メダルは、この投入メダルセレクタにより振り分けられて、メダル返却通路部材７３を介してメダル払出穴９から返却される。
【００４７】
投入メダルセレクタ７１の下流側には、流下するメダル流路を選択的に切替可能とする流路切替ソレノイド１０７が設けられている。通常時において流路切替ソレノイド１０７は励磁されており、この状態において流下するメダルは投入メダルセンサ１０６ａ〜１０６ｃにより検出された後、メダル誘導樋７２を流下してホッパータンク５７ａ内に貯留されるようになっている。また、メダル投入が不可能な場合には、流路切替ソレノイド１０７の励磁が解除されて流路が切替わって、メダル返却通路部材７３を介してメダル払出穴９から返却される。
【００４８】
また、投入メダルセレクタ７１の側方には、操作部８に設けられる各種操作部からの遊技制御基板５００への配線接続を中継するための操作部中継基板５０７が、合成樹脂材により構成された基板カバー９１４内に被覆された状態で設けられている。さらにこの操作部中継基板５０７の下方には、前面に設けられる蛍光灯１３９用の蛍光灯用インバータ１２５が取り付けられている。
【００４９】
さらに、メダル返却通路部材７３を挟んで蛍光灯用インバータ１２５の反対側には、スピーカ取付用のスピーカ取付穴７５が横向き楕円形状のリブ周りに４個設けられており、スピーカを取り付けることが出来るようになっている。
【００５０】
（１−４）遊技状態の説明
次に、遊技者が遊技（ゲーム）を行うための操作や、該操作に伴う各種装置の作動状況を説明する。
【００５１】
ゲームを開始する場合は、メダルやクレジットを使用して所望の大きさの有価価値を賭けて所望の大きさの賭数を設定する。賭数は、メダルをメダル投入部３４から投入するか、あるいはクレジットを使用することにより設定できるようになっている。クレジットを使用するにはＭＡＸＢＥＴボタン３６ｂ、または１枚ＢＥＴボタン３６ａを押圧すれば良い。
【００５２】
遊技者により賭数が「１」に設定されると入賞ラインＬ１が有効となり、賭数が「２」に設定されると入賞ラインＬ１、Ｌ２、Ｌ２’が有効となり、賭数が「３」に設定されると入賞ラインＬ１、Ｌ２、Ｌ２’、Ｌ３、Ｌ３’が有効となる。
【００５３】
そして少なくとも「１」の賭数が設定された時点でスタートレバー３８の操作が有効に受付けられる状態、すなわち、ゲームが開始可能な状態となる。
【００５４】
尚、このような賭数に応じて有効化される入賞ラインの本数、及び形状等は任意に変更可能であり、本実施例の形態に限定されるものではない。また、賭数に応じて有効化される入賞ラインの本数も任意に設定変更可能である。
【００５５】
ゲームが開始可能な状態でスタートレバー３８を押圧操作すれば、各リール５１Ｌ、５１Ｃ、５１Ｒが回転し、透視窓１４には複数種類の図柄が連続的に変化するように表示される。各リール５１Ｌ、５１Ｃ、５１Ｒの回転が開始されてから所定時間が経過すれば各ストップボタン４０Ｌ、４０Ｃ、４０Ｒの操作が有効になり、この状態で遊技者がいずれかのストップボタン４０Ｌ、４０Ｃ、４０Ｒを押圧操作すれば、対応するリールの回転が停止され、透視窓１４からは対応する可変表示部の上、中、下段に図柄が表示される。
【００５６】
また、遊技者がストップボタン４０Ｌ、４０Ｃ、４０Ｒを押圧操作しない場合には、一定時間が経過した時点で自動的に各リール５１Ｌ、５１Ｃ、５１Ｒの回転が順次停止する。
【００５７】
そして全てのリール５１Ｌ、５１Ｃ、５１Ｒが停止された時点で、賭数に応じて有効化されたいずれかの入賞ラインＬ１、Ｌ２、Ｌ２’、Ｌ３、Ｌ３’上に予め定められた図柄の組合せが表示された場合は入賞となり、入賞内容に対応して予め定められた所定枚数のメダルが遊技者に対してクレジットとして払出される。また、クレジットが上限数に達した場合には、メダルが直接メダル払出穴９から払い出される。
【００５８】
また、特に予め定められた特別図柄の組合せが表示されて大当たり入賞した場合にあっては、メダルの払出しが行なわれるとともに、通常遊技状態とは異なるとともに、遊技者にとって有利な、すなわち大量のメダルを獲得できるビッグボーナス（ＢＢ）やレギュラーボーナス（ＲＢ）が遊技者に対して遊技価値として付与されるようになっている。
【００５９】
尚、このように入賞することにより遊技者に対して付与される「遊技価値」は、メダル及びクレジット等の有価価値に限らず、上記のように大当たり入賞した場合において遊技者に対して付与されるＢＢやＲＢ等、遊技に関連する特典全てを含む。
【００６０】
本実施例では、各リール５１Ｌ（左リール）、リール５１Ｃ（中リール）、リール５１Ｒ（右リール）の周面に、「白７」、「ＢＡＲ」、「スイカ」、「ベル」、「チェリー」、「プラム」の図柄（図３参照）が各リールに２１個配列されており、通常遊技状態において「白７−白７−白７」、「ＢＡＲ−ＢＡＲ−ＢＡＲ」、「チェリー−Ａｎｙ−Ａｎｙ」、「スイカ−スイカ−スイカ」、「ベル−ベル−ベル」、または「プラム−プラム−プラム」の組合せが入賞の対象とされており、そのうち白７の図柄、及びＢＡＲの図柄のみが遊技者にとって利益の大きな賞である特別入賞（ＢＢ入賞、ＲＢ入賞）の対象となる特別図柄とされ、その他スイカ、チェリー、ベルまたはプラムの図柄は遊技者にとって利益の小さな賞である小役入賞の対象となる小役図柄とされている。
【００６１】
通常遊技状態において、「チェリー−Ａｎｙ−Ａｎｙ」、「スイカ−スイカ−スイカ」、「ベル−ベル−ベル」、の組合せが有効化された１つの入賞ライン上に揃った場合には、その図柄の組合せに応じて予め定められた所定枚数のメダルが遊技者に付与される。
【００６２】
具体的には、左リール５１Ｌに描かれた「チェリー」の図柄は単図柄と呼ばれるマークであり、この単図柄が有効な１本の入賞ライン上で停止表示された場合には例えば２枚のメダルが遊技者に付与される。また、「スイカ−スイカ−スイカ」の組合せが有効化された１つの入賞ライン上に揃った場合には、例えば１２枚のメダルが付与される。また、「ベル−ベル−ベル」の組合せが有効化された１つの入賞ライン上に揃った場合には、９枚のメダルが付与される。
【００６３】
また、賭数に応じて有効化された入賞ラインが複数本存在する場合において、前述したようにメダルが払出される図柄の組合せが複数本の入賞ライン上において同時に成立した場合には、各入賞ライン上の図柄の組合せによって付与されるメダル枚数の合計枚数に相当するメダルが付与されるのが原則である。しかし、１ゲームにおいて遊技者に付与されるメダルの上限が１５枚と定められているために、１５枚を越える場合にはその１６枚目以降のメダルが無効となる。
【００６４】
また、「プラム−プラム−プラム」の組合せが有効化された１つの入賞ライン上に揃った場合には、当該ゲームと同一の賭数にて次回のゲームを実施可能なリプレイ（再遊技）ゲームが付与される。
【００６５】
また、通常遊技状態において有効化されたいずれかの入賞ライン上に「ＢＡＲ−ＢＡＲ−ＢＡＲ」の図柄が揃えば、ＲＢ入賞したことになり、「ＢＡＲ−ＢＡＲ−ＢＡＲ」の図柄が揃ったことの対価として１５枚のメダルが払出されるとともに、遊技者にとって有利なレギュラーボーナス（ＲＢ）が発生し、以下に説明するレギュラーボーナスゲーム（ＲＢゲーム）が遊技者に対して付与される。具体的に説明すると、このＲＢが発生した場合には、プラム図柄の揃目が揃うことにより１５枚のメダルが払出されるＪａｃ入賞が高確率で発生するＲＢゲームが最大で１２回提供されるとともに、このＲＢゲームが１２回実行されるか、あるいはＲＢゲームが１２回に達する前にＪａｃ入賞が８回発生するか、いずれかの条件が満たされた時点で終了する。したがって、遊技者は１２回のＲＢゲーム中に最大８回のＪａｃ入賞の機会を得ることができる。
【００６６】
また、通常遊技状態において、有効化された入賞ライン上に、「白７−白７−白７」が揃えば、ＢＢ入賞したことになり、「白７−白７−白７」の図柄が揃ったことの対価として１５枚のメダルが払出されるとともに、遊技者にとって有利な特別遊技状態としてのビッグボーナス（ＢＢ）が発生し、以下に説明する小役ゲームとＲＢが遊技者に対して付与される。
【００６７】
具体的に説明すると、このＢＢが発生した場合には、まず、遊技状態が通常遊技状態から小役ゲームに移行する。小役ゲームでは、対象となる小役図柄の組み合わせが揃って所定枚数のメダルの払出しを伴う入賞が比較的高確率で発生するＢＢゲームが最大で３０回提供される。
【００６８】
また、ＢＢゲームを３０回実行するまでの間にプラム図柄の揃目が揃ってＪａｃＩｎ入賞した場合には、所定枚数のメダルが付与されるとともに、レギュラーボーナス（ＲＢ）に移行して前述したＲＢゲームが最大で１２回提供され、このＲＢゲームが１２回実行されるか、或いはＲＢゲームが１２回に達する前にＪａｃ入賞が８回発生するか、いずれかの条件が満たされた時点で終了する。このＲＢは、ＢＢ中において移行可能な最大回数が規定されており、本実施例では最大で３回移行し得るように規定されている。
【００６９】
そしてＢＢは、小役ゲーム中に３０回のＢＢゲームを実行した場合か、或いは３０回のＢＢゲームを実行する前にＲＢへ３回移行し、３回目のＲＢが終了した場合のうち、いずれかの条件が満たされた時点で終了する。
【００７０】
以上、実施形態に係る遊技機としてのスロットマシン１の全体の概略構成及び遊技内容について説明してきたが、次には、スロットマシン１の構造について詳細に説明する。スロットマシン１は、前述したように筐体２と前面扉３とから構成されているので、以下それぞれに分けて説明する。
【００７１】
（２）筐体
筐体２は、前述したように、上部の天板１５０と、左側板１５１Ｌ及び右側板１５１Ｒと、下部の底板１５２と、背面の背板１５３と、によって直方体状に組み付けられ、その内部には、主に遊技制御基板ボックス３５０、リールユニット５０、ホッパーユニット５７、電源ユニット６５、オーバーフロータンク５９等が収容されている。
【００７２】
そこで、まず、筐体２の外形を構成する天板１５０、側板１５１Ｌ、１５１Ｒ、底板１５２、背板１５３について図６〜図１０を参照して説明する。図６はスロットマシン１を示す背面図であり、図７はスロットマシン１を示す右側面図（左側面図は右側面図と同一のため省略する）であり、図８（ａ）はスロットマシン１を示す平面図であり、（ｂ）はスロットマシン１を示す底面図であり、図９は筐体２と前面扉３との関わりを示す要部拡大平面図であり、図１０は一部の部材が組み付けられた状態の筐体２を示す正面図である。
【００７３】
（２−１）背板
背板１５３には、図６に示されるように、その上部に後述する遊技制御基板ボックス３５０を取り付けるための開口部としての基板取付用開口１５４が開設されている。基板取付用開口１５４の長方形部の一方の短辺部の外側には膨出部１５４ａが形成されているとともに、各角部はＲ形状に加工されている。この基板取付用開口１５４は、背板１５３の前面側から取り付けられる遊技制御基板ボックス３５０を取り付けるための基板取付部材３５１（図１０参照）にて閉塞される。
【００７４】
基板取付用開口１５４の側方には、円形の外部接続配線通し穴１５７が開設されており、前記外部出力基板５０５からの配線を外部に引き出すことが出来るようになっており、引き出した配線は、例えば、遊技場の管理コンピュータに接続される。基板取付用開口１５４のやや下部には、溝状に形成される放熱穴１５５が水平方向に複数個形成されている。
【００７５】
放熱穴１５５のさらに下方には、自動循環補給装置接続開口１５６が形成されている。この自動循環補給装置接続開口１５６は、遊技場の設置台にメダルの自動循環補給装置が付設されている場合において、接続開口閉塞部材２１２（図１０参照）を取り外すことにより自動循環補給装置の補給ホース（図示略）を筐体２の内部に収容できるようになっており、補給ホースは、筐体２の内部に設けられるホッパーユニット５７のホッパータンク５７ａの上部に臨むようになっている。
【００７６】
また、背板１５３の下部には、前面扉３の軸支側に縦長矩形状の電源ユニット用放熱開口１５８が開設されており、その側方には、低音用のスピーカが取り付けられるスピーカ用開口１５９が開設されている。電源ユニット用放熱開口１５８は、電源ユニット６５から発生する熱を外部に放出するものであり、その下部側方に形成された膨出部１５８ａから電源ユニット６５に接続される電源線が外部に引き出される。スピーカ用開口１５９には、低音スピーカ１３７（図１１参照）が臨むように取り付けられ、そのスピーカ用開口１５９には、スピーカ保護網２１６（図１０参照）が背板１５３の外側からタッカー（ステプラー針の大型のもの）で止着される。
【００７７】
スピーカ用開口１５９のさらに側方には、円形のエンプティセンサ配線通し穴１６１が形成されている。このエンプティセンサ配線通し穴１６１は、自動循環補給装置が付設されている場合に、後述するホッパータンク５７ａに取り付けられるエンプティセンサ（図示略）からの配線を外部に引き出すためのものである。
【００７８】
（２−２）側板
左側板１５１Ｌ及び右側板１５１Ｒの上下方向中央部よりやや下方位置には、図７に示されるように、スロットマシン１を運搬する場合に指先を入れて持ち運ぶための運搬用凹部１５Ｌ、１５Ｒ（図１参照）を形成するための運搬用開口１６２Ｌ、１６２Ｒが形成されている。この運搬用開口１６２Ｌ、１６２Ｒには、後述する取手部材２１１Ｌ、２１１Ｒ（図４及び図１０参照）が筐体２の外側から嵌合されることにより閉塞されて運搬用凹部１５Ｌ、１５Ｒが形成されることになる。また、この運搬用開口１６２Ｌ、１６２Ｒの外面側の周縁部には、取手部材２１１Ｌ、２１１Ｒのフランジ部を収容する収容溝１６３Ｌ、１６３Ｒが環状に凹設されている。
【００７９】
また、左側板１５１Ｌ及び右側板１５１Ｒの前端面は、下端部から上端部に向かって後方に傾斜する傾斜面状に形成されており、前面扉３の後面も同じ方向に傾斜する傾斜面状に形成されている。これらの傾斜角度は、図７に示されるように、鉛直方向を向く基準線Ｐに対して約５．５度上端部側が後方に傾いており、これは、左側板１５１Ｌ及び右側板１５１Ｒの前端面を鉛直方向に向けて形成した場合よりも、前面扉３により筐体２の前面開口を閉塞した際において前面扉３の荷重が左側板１５１Ｌ及び右側板１５１Ｒの前端面にかかりやすくなり、前面扉３の閉塞時において前面扉３と筐体２との間に隙間が形成されにくくなるためであり、これにより両者の間に形成される隙間から針金等の異物を挿入すること等による不正行為が防止される。
【００８０】
なお、前面扉３に組み付けられる上部パネル５及び下部パネル７は、鉛直方向を向く基準線Ｐとほぼ平行をなすように、すなわち、ほぼ鉛直方向を向くように組み付けられているとともに、遊技パネル６は、鉛直方向を向く基準線Ｐに対して約１０度上端部側が後方に傾くように組み付けられている。これら角度は、スロットマシン１は設置時において遊技者の目線が遊技パネル６のやや上部付近にくることを前提として設計されている。すなわち、特に遊技者が最も注目する可変表示部を透視可能な透視窓１４（図１、図３参照）が形成された遊技パネル６に関しては、遊技者からの視認性を最も考慮して前記約１０度の傾斜角度をつけて組み付けられており、また、上部パネル５及び下部パネル７に関しては、遊技者はもちろん、遠方からの表示内容の視認性を考慮して傾斜をつけずに組み付けられている。
【００８１】
また、図８及び図９に示されるように、左側板１５１Ｌの前端面には、前面扉３が回動する際において前面扉３における回動軸側端部と干渉するのを回避するための円弧状の切欠凹部１６６が上下方向にわたって凹設されている。この切欠凹部１６６は、左側板１５１Ｌの前端面における外端部から筐体２の内側に向かって凹むように設けられている。
【００８２】
（２−３）天板及び底板
天板１５０の前端面１５０ａにおける左側板１５１Ｌ側の端部には、図８（ａ）、（ｂ）に示されるように、前面扉３が回動する際にその端部が干渉するのを回避するための円弧状の切欠凹部１６７が外向きに凹設されている。切欠凹部１６７の曲率は、左側板１５１Ｌの前端面に形成された切欠凹部１６６と同一とされているため、前記切欠凹部１６６の内面上部と切欠凹部１６７の内面とで連続する円弧状の凹面が形成されるようになっている。
【００８３】
また、底板１５２の前端面１５２ａにおける左側板１５１Ｌ側の端部には、前記切欠凹部１６６の内面上部と切欠凹部１６７の内面とにより連続的に形成される円弧状の凹面と同形をなす切欠凹部１６８が形成されており、この切欠凹部１６８における左側板１５１Ｌ側端部内面は、前記切欠凹部１６６の内面に連続するようになっている。
【００８４】
このように筐体２側に切欠凹部１６６及び切欠凹部１６７、１６８が形成されていることで、図９（ａ）、（ｂ）に示されるように、前面扉３を開閉する際において、前面扉３の回動軸側端部と天板１５０、側板１５１Ｌ、１５１Ｒ、底板１５２の前端面との干渉が回避される。よって、例えば前面扉３を筐体２に回動自在に枢支するために特殊な蝶番（例えば多関節蝶番）等を用いる必要がなく、コストを低減できるとともに、切欠凹部１６６は左側板１５１Ｌの前端面における外端部から筐体２の内側に向かって凹むように設けられているため、図９（ａ）に示されるように前面扉３を閉塞した状態において左側板１５１Ｌの前端面と前面扉３の後端面との間に隙間が生じることがないので、外部からの不正行為が効果的に防止される。
【００８５】
また、天板１５０は、その後部側に左右方向を向く溝状の上部放熱穴１６４が左右に４つずつ形成されている。このように上部放熱穴１６４を細長溝状として複数設けることで、放熱効果を低減することなく、かつ、外部からの不正行為を極力行いにくくすることが出来る。また、天板１５０と対向する底板１５２には、スロットマシン１を遊技場の設置島に設置した際に当該設置島にメダルの自動循環補給装置が付設されている場合に、スロットマシン１内でオーバーフローしたメダルを回収樋へ排出するためのメダル回収開口１６５が開設されている。
【００８６】
なお、図８（ｂ）中に示される符号２７０は、メダル受皿１０を前面扉３に取り付けるためのネジ（図示略）が螺入されるメダル受皿取付用ネジ穴であり、２７１は、メダル受皿１０の上面に設けられるメダル受板２７３（図６９参照）をメダル受皿１０に取り付けるためのネジ（図６９参照）が螺入されるメダル受板取付用ネジ穴である。
【００８７】
そこで、筐体２の組付けを補強する構成について、図４及び図１１〜図１４を参照して説明する。図１１は筐体２の内側に取り付けられる各種の補強用部材と筐体２との関係を示す分解斜視図であり、図１２は上部及び底部枠板を示す斜視図であり、図１３は左右の枠板を示す斜視図であり、図１４はリールユニット取付片及びリールユニット係止片を示す斜視図を示す斜視図である。
【００８８】
（２−４）上部枠板
天板１５０の前方開放側には、上部枠板１７０がネジによって取り付けられる。上部枠板１７０は、図１２に示されるように、横長の平板部に適宜間隔を置いて３つのネジ穴１７６が穿設されている。また、平板部の両端から下方に向けて垂下片１７７ａ、１７７ｂが垂下され、その垂下片１７７ａ、１７７ｂには連結止め穴１７８ａ、１７８ｂが形成されている。しかして、図１１に示されるように上部枠板１７０を天板１５０の前方開放内側に当接させた状態でネジ１７９ａをネジ穴１７６に止着することにより、上部枠板１７０を天板１５０に固定することができる。なお、図１２に示されるように、平板部における前方左側の角部には、前記切欠凹部１６７に対応する切欠凹部１７０ａが形成されているとともに、平板部の下面における切欠凹部１７０ａの周囲には防犯壁２０８が垂設されている。
【００８９】
また、連結止め穴１７８ａ、１７８ｂは、次に説明する左側部枠板１７１の最上部のネジ穴１８０と右側部枠板１７２の最上部のネジ穴１８１と対応しているため、ネジ１７９ｂで止着する際には、上部枠板１７０と左側部枠板１７１及び右側部枠板１７１とが上部枠板１７０の両端で連結した状態で筐体２の内側に止着することになる。ただし、垂下片１７７ａ、１７７ｂが左側部枠板１７１及び右側部枠板１７２の内側に位置するため、先に左側部枠板１７１及び右側部枠板１７２を筐体２に取り付けておいた方が望ましい。
【００９０】
更に、上部枠板１７０を天板１５０に取り付けた状態では、特に詳細な図示はしないが、その前端部が天板１５０の前端縁よりも若干前方に突出するため、前面扉３を閉じた状態においては、この前端部が前面扉３側に侵入した状態となって筐体２と前面扉３との上方の隙間を塞ぐようになっている。したがって、筐体２と前面扉３との上方の隙間から針金等の異物を挿入して不正行為を行なうことができない。
【００９１】
（２−５）左側部枠板
左側部枠板１７１は、図１３に示されるように縦長の平板部材であり、その平板部には、適宜間隔をおいて８個のネジ穴１８０と、上部連結止め穴１８０ａ及び下部連結止め穴１８０ｂが形成されており、図１１に示されるように、その上部連結止め穴１８０ａにネジ１７９ｂを、下部連結止め穴１８０ｂに後述するネジ２００ｃを、８個のネジ穴１８０にネジ１８２ａを止着することにより、左側部枠板１７１を左側板１５１Ｌの開放側端部に固着することができる。
【００９２】
左側部枠板１７１の先端辺には、防犯突片１８３が上下方向に延設されている。この防犯突片１８３は、特に詳細な図示はしないが、左側板１５１Ｌに取り付けられた状態で、左側板１５１Ｌの前端縁よりも前方に突出した状態となる。このため、前面扉３を閉じた状態においては、この防犯突片１８３が前面扉３側に侵入した状態となって筐体２と前面扉３との左側の隙間を塞ぐようになっている。したがって、筐体２と前面扉３との左側の隙間から針金等の異物を挿入して不正行為を行なうことができない。
【００９３】
また、防犯突片１８３の前端部における上下所定箇所には、前面扉３を回動自在に枢支するための枢軸１８４Ｈ、１８４Ｌがそれぞれ固着されている。枢軸１８４Ｈ、１８４Ｌは、それぞれ防犯突片１８３に固定される固定部１８４ｂと、固定部１８４ｂの上端部に突設される軸部１８４ａと、からなり、軸部１８４ａの先端は先細り状に形成されている。よって、８個のネジ穴１８０のうち、枢軸１８４Ｈ、１８４Ｌが固着される部分に対応してそれぞれ２つずつ穿設されて、枢軸１８４Ｈ、１８４Ｌ部分が強固に左側板１５１Ｌに固着されるようにしている。
【００９４】
（２−６）右側部枠板
右側部枠板１７２は、図１３に示されるように、その上下２ヵ所に内向きの係合突片１８５Ｈ、１８５Ｌが突設された縦長の平板部材であり、その平板部には適宜間隔をおいて４個のネジ穴１８１と、上部連結止め穴１８１ａ及び下部連結止め穴１８１ｂが形成されており、図１１に示されるように、その上部連結止め穴１８１ａにネジ１７９ｂを、下部連結止め穴１８１ｂに後述するネジ２００ｃを、４個のネジ穴１８１にネジ１８２ｂを止着することにより、右側部枠板１７２を右側板１５１Ｒの開放側端部に固着することができる。また、下部の係合突片１８５Ｌのさらに下方には、内向きに屈曲形成された前後方向を向く載置片１８６が突設されている。
【００９５】
係合突片１８５Ｈ、１８５Ｌは、右側板１５１Ｒに対して直交する方向に突設されるものであるが、これは、前面扉３側に設けられる右側部錠板金の係合片（図示略）と係合するためのものである。また、載置片１８６は、前面扉３を閉じた際において、前記右側部錠板金に設けられるガイドローラ（図示略）が乗り上げて前面扉３を下方から支持する支持片として機能するものであり、その前端部はやや下向きに傾斜するように屈曲されており、前記ガイドローラを載置片１８６上面に案内する案内片１８６ａとして形成されている。
【００９６】
また、右側部枠板１５１Ｒの先端辺には、防犯突片１８７が上下方向に延設されている。この防犯突片１８７は、特に詳細な図示はしないが、右側板１５１Ｒに取り付けられた状態で、右側板１５１Ｒの前端縁よりも前方に突出した状態となる。このため、前面扉３を閉じた状態においては、この防犯突片１８７が前面扉３側に侵入した状態となって筐体２と前面扉３との左側の隙間を塞ぐようになっている。したがって、筐体２と前面扉３との左側の隙間から針金等の異物を挿入して不正行為を行なうことができない。
【００９７】
（２−７）底部枠板
底部枠板１７３は、図１１に示されるように、底板１５２上面に載置固定するように取り付けられるものであり、その詳細は特に図１２に示されるようになっている。即ち、底部枠板１７３は、平板面に形成された２個のネジ穴１９９ａ及び後述するホッパーユニット係合レールの取付片上に形成されたネジ穴１９９ｂにネジ２００ａ、２００ｂを止着することにより底板１５２の上面に固着される。また、板材の左右二辺の側端部には、上向きに折曲形成された上向き折曲片１９７ａ、１９７ｂが形成されており、その上向き折曲片１９７ａ、１９７ｂには連結止め穴１９８ａ、１９８ｂが穿設されている。
【００９８】
連結止め穴１９８ａ、１９８ｂは、前述した左側部枠板１７１及び右側部枠板１７２の最下部の連結止め穴１８０ｂ、１８１ｂとそれぞれ対応しているため、ネジ２００ｃで止着する際には、この底部枠板１７３及び前述した上部枠板１７０と、左側部枠板１７１及び右側部枠板１７２と、が底部枠板１７３及び上部枠板１７０の両端で連結した状態で筐体２の内側に止着されることになる。ただし、上向き折曲片１９７ａ、１９７ｂが左側部枠板１７１及び右側部枠板１７２の内側に位置するため、先に左側部枠板１７１及び右側部枠板１７２を筐体２に取り付けておいた方が望ましい。
【００９９】
また、平板面には、ホッパーユニット５７の後述するホッパーユニット支持片２６５ａ、２６５ｂがスライド係合するホッパーユニット係合レール２０１ａ、２０１ｂが止着されている。平板面におけるホッパーユニット係合レール２０１ａ、２０１ｂの後端辺は、上向きに屈曲形成されてホッパーユニット５７のホッパーユニットストッパ片２０２とされており、ホッパーユニット係合レール２０１ａ、２０１ｂに沿ってホッパーユニット支持片２６５ａ、２６５ｂを後方に向けてスライドさせて押し込むことにより、ホッパーユニット支持片２６５ａ、２６５ｂの後端部がホッパーユニットストッパ片２０２に当接して後方移動が規制され、ホッパーユニット５７の前後位置が決定されるようになっている。また、ホッパーユニット５７を取り外す際には、ホッパーユニット５７を手前側に引き抜くことにより底部枠板１７３から取り外すことができる。なお、ホッパーユニットストッパ片２０２の左側端部には、ホッパーユニット５７から延設される種々の配線を束ねるクリップ部材（図示略）を取り付けるための穴部２０３が形成されている。
【０１００】
また、底部枠板１７３の左右側後部は、電源ユニット６５及びオーバーフロータンク５９を収容するとともに、底板１５２に形成されたメダル回収用開口１６５を上方に開放するために切り欠かれている。
【０１０１】
底部枠板１７３の先端縁は、特に詳細な図示はしないが、底板１５２に取り付けた状態において、底板１５２の先端部よりも前方に突出するようになっている。これにより、前面扉３を閉じた状態においては、底部枠板１７３の先端が前面扉３側に侵入して筐体２と前面扉３との底部の隙間を塞ぐようになるので、筐体２と前面扉３の底部の隙間から針金等の異物を挿入する不正行為を確実に防止することができる。なお、底部枠板１７３の左側前端角部には、前記切欠凹部１６８に対応する切欠凹部２０５が形成されているとともに、切欠凹部２０５を囲むように防犯壁２０４が立設されている。
【０１０２】
リールユニット取付片１７４及びリールユニット係止片１７５は、図１１に示されるように、背板１５３の前面における放熱穴１５５の上下に左右方向を向くように取り付けられており、その詳細は、図１４に示されるようになっている。
【０１０３】
（２−８）リールユニット取付片
リールユニット取付片１７４は、図１４に示されるように横長の平板部材であり、その平板部には適宜間隔を置いて６個のネジ穴１８８が形成され、図１１に示されるようにそのネジ穴１８８にネジ１８９を止着することにより背板１５３に固着される。平板部の左右端部には、それぞれリールユニット５０の上部に設けられた取付金具（図示略）が当接する側面視略Ｌ字状の当接片１９０Ｌ、１９０Ｒが下向きに連設されており、これら当接片１９０Ｌ、１９０Ｒには、前記取付金具を当接片１９０Ｌ、１９０Ｒから離脱不能に固定するための固定片１９１Ｌ、１９１Ｒが、当接片１９０Ｌ、１９０Ｒに突設された軸部材１９２Ｌ、１９２Ｒを介して回動自在に取り付けられている。なお、固定片１９１Ｌ、１９１Ｒには操作片１９１ｃ、１９１ｃが屈曲形成されている。
【０１０４】
また、当接片１９０Ｌ、１９０Ｒの下端辺の一部は、前方に向けて屈曲形成されたリールユニット位置決め片１９３Ｌ、１９３Ｒとなっており、これら左右のリールユニット位置決め片１９３Ｌ、１９３Ｒにリールユニット５０の左右方向のずれが規制されるようになっている。
【０１０５】
（２−９）リールユニット係止片
リールユニット係止片１７５は、図１４に示されるように横長の平板部材であり、その平板部には適宜間隔を置いて３個のネジ穴１９４が形成され、そのネジ穴１９４にネジ１９５を止着することにより背板１５３に固着される。平板部の上端辺は側面視略Ｌ字状をなすように屈曲形成されており、背板１５３への固着時において、背板１５３の前面との間にリールユニット５０の下部に設けられる係止金具（図示略）を差し込み可能な隙間が形成されるようになっている。
【０１０６】
（２−１０）フルセンサ
背板１５３の前面におけるオーバーフロータンク５９の配置位置後方には、左右一対のフルセンサ６０ａ、６０ｂが取り付けられる。フルセンサ６０ａ、６０ｂは、図１１に示されるように、それぞれ背板１５３に対して平行をなす取付片部と、該取付片部から前向きに屈曲するセンサ部とからなる略Ｌ字状の金属片からなり、取付片部に形成されたネジ穴２１７ａ、２１７ｂにネジ２１８ａ、２１８ｂを止着することにより、背板１５３の前面におけるスピーカ用開口１５９の右側側方に固着される。フルセンサ６０ａ、６０ｂは、その先端のセンサ部が互いに所定間隔離れて位置するが、オーバーフロータンク５９内に多量のメダルが貯留されてくると、ついには貯留されたメダル（金属製）によってフルセンサ６０ａ、６０ｂのセンサ部が導通した状態となってオーバーフロータンク５９がメダルで満杯状態（Ｆｕｌｌ状態）になったことを検出することができる。
【０１０７】
（２−１１）電源ユニット押え金具
背板１５３の前面における電源ユニット用放熱開口１５８の上部には、電源ユニット６５の上面を押さえる電源ユニット押え金具２１０が取り付けられる。電源ユニット押え金具２１０は、図１１に示されるように、平板部に形成された２個のネジ穴２１９にネジ２２０を止着することにより背板１５３の前面におけるスピーカ用開口１５９の左側方に固着される。平板部の下端辺は前向きに屈曲形成されて押え片とされており、この押え片により電源ユニット６５の上下のがたが防止されるようになっている。
【０１０８】
以上、筐体２の内部に取り付けられて筐体２を補強する金属製の上部枠板１７０、左側部枠板１７１、右側部枠板１７２、底部枠板１７３及びリールユニット５０を取り付けるためのリールユニット取付片１７４及びリールユニット係止片１７５について説明してきたが、筐体２の内部で上部枠板１７０、左側部枠板１７１、右側部枠板１７２、及び底部枠板１７３が四角形状に連結されるので、筐体２に外力が加えられても簡単に変形しないし、十分な強度を保持している。
【０１０９】
（２−１２）アルミシート
背板１５３の前面には、図１１に示されるようなアルミシート２０６が、その後面に予め塗布された粘着剤を介して貼着される。すなわち、リールユニット取付片１７４及びリールユニット係止片１７５は、このアルミシート２０６の前面に固着される。このように導電性を有するアルミシート２０６が木製の背板１５３の前面に貼着されることで、筐体２内部の各種装置や部材、特にはリールユニット５０で静電気が発生しても特にアースをしなくても全体的に自然放電することができ、遊技制御基板５００等への悪影響を防止することができる。
【０１１０】
なお、このアルミシート２０６は、図１１に示されるように、基板取付用開口１５４に対応する基板取付用切欠１５４’、放熱穴１５５に対応する放熱穴１５５’、自動循環補給装置接続用開口１５６に対応する自動循環補給装置接続用開口１５６’、外部接続配線通し穴１５７に対応する外部接続配線通し穴１５７’、電源ユニット用放熱開口１５８に対応する電源ユニット用放熱開口１５８’、スピーカ用開口１５９に対応するスピーカ用開口１５９’、エンプティセンサ配線通し穴１６１に対応するエンプティセンサ配線通し穴１６１’がそれぞれ形成されているとともに、オーバーフロータンク５９の後方に設けられるフルセンサ６０ａ、６０ｂの取付け位置に対応する箇所には切欠部２０７が形成されているとともに、前記各種枠板等のネジ穴に対応する箇所には複数の孔部が予め形成されている。
【０１１１】
さらに、上部枠板１７０、左側部枠板１７１、右側部枠板１７２、底部枠板１７３が連結されているので、いずれかの箇所で静電気が発生しても特にアースをしなくても全体的に自然放電することができ、遊技制御基板５００への悪影響を防止することができる。
【０１１２】
次に、各種枠板１７０〜１７３及びリールユニット取付片１７４、リールユニット係止片１７５が取り付けられた筐体２には、図１５に示されるように、低音スピーカ１３７、取手部材２１１Ｌ、２１１Ｒ、接続開口閉塞部材２１２、スピーカ保護網２１６、防犯用網２０９が装着される。以下、これら各種部材の詳細を図１５、図１６に基づいて説明する。図１５は筐体２に装着される各種部品と筐体２との関係を示す斜視図であり、図１６（ａ）は取手部材を側板１５１Ｌに嵌合する状態を示す斜視図であり、（ｂ）は取手部材が側板１５１Ｌに嵌合された状態を示す斜視図であり、（ｃ）は（ｂ）のＡ−Ａ断面図である。
【０１１３】
（２−１３）低音スピーカ
低音スピーカ１３７は、その周囲に形成された取付片２１３の角部に形成されたネジ穴２１４にネジ２１５を止着することにより、背板１５３のスピーカ用開口１５９に臨むように後向きに固着される。よって、ゲームの進行に関連して低音スピーカ１３７から出力される各種効果音は筐体２の外部後方に向けて放音されることになる。また、スピーカ用開口１５９の外側からはスピーカ保護網２１６がタッカー（ステプラー針の大型のもの）で止着される。
【０１１４】
（２−１４）防犯用網
天板１５０の下面には、上部放熱穴１６４からの不正行為を防止するための防犯用網２０９が、複数の上部放熱穴１６４を全体を閉塞するようにタッカー（ステプラー針の大型のもの）で止着される。
【０１１５】
（２−１５）接続開口閉塞部材
接続開口閉塞部材２１２は、自動循環補給装置を使用しない場合において自動循環補給装置接続開口１５６を閉塞しておくものであり、その前面左右側端部から前向きに突設された弾性変形可能な係止片２２４ａ、２２４ｂの先端に外向きに形成された係止爪２２５ａ、２２５ｂを自動循環補給装置接続開口１５６の開口周縁部に係止することにより装着される。
【０１１６】
（２−１６）運搬用凹部
取手用凹部としての運搬用凹部１５Ｌ、１５Ｒを構成する取手部材２１１Ｌ、２１１Ｒは、特に図１６に示されるように、側面が開口する横長箱状の本体部２２２ａと、本体部２２２ａの開口端周縁に環状に形成される外向きのフランジ部２２２ｂと、が一体成型された合成樹脂材から構成される。なお、図１６においては左側の取手部材２１１Ｌのみを示すことで、同様に構成される右側の取手部材２１１Ｒの詳細な構造の図示は省略する。本体部２２２ａの前後の短辺側外周面所定箇所には、本体部２２２ａの底板側からフランジ部２２２ｂに向けて次第に外向きに膨出するように形成された係合部２２３ａ、２２３ｂがそれぞれ形成されている。本体部２２２ａは、その深さ寸法が筐体の側壁部としての左側板１５１Ｌの厚み幅寸法よりも長寸となるように構成されている。
【０１１７】
ここで、このように構成される取手部材２１１Ｌ、２１１Ｒの装着方法を説明すると、図１６（ａ）に示されるように、まず側板１５１Ｌ、１５１Ｒの外側から運搬用開口１６２Ｌ、１６２Ｒ内に嵌合させる。ここで、図１６（ｃ）に示されるように、前後の係合部２２３ａ、２２３ｂの外端部間の距離Ｐ１は、運搬用開口１６２Ｌ、１６２Ｒの前後方向の内寸Ｐ２よりも若干大寸となっているが（Ｐ１＞Ｐ２）、本体部２２２ａを運搬用開口１６２Ｌ、１６２Ｒ内に圧入することで、係合部２２３ａ、２２３ｂが運搬用開口１６２Ｌ、１６２Ｒの開口内周面の一部を押し込みながら運搬用開口１６２Ｌ、１６２Ｒ内に嵌合されるようになっている。
【０１１８】
本体部２２２ａが運搬用開口１６２Ｌ、１６２Ｒ内に嵌合されると、図１６（ｂ）、（ｃ）に示されるように、フランジ部２２２ｂが収容溝１６３Ｌ、１６３Ｒ内に収容されて、本体部２２２ａの内方への移動が規制されるとともに、側板１５１Ｌ、１５１Ｒの内面における運搬用開口１６２Ｌ、１６２Ｒの周縁部に係合部２２３ａ、２２３ｂが係合して本体部２２２ａの外方への離脱が規制されることになる。よって、これらフランジ部２２２ｂ及び係合部２２３ａ、２２３ｂの係止作用により、取手部材２１１Ｌ、２１１Ｒは側板１５１Ｌ、１５１Ｒから離脱不能に取り付けられる。
【０１１９】
図１６（ｃ）に示される取り付け状態において、フランジ部２２２ｂは収容溝１６３Ｌ、１６３Ｒ内に収容されているので、フランジ部２２２ｂの外面は側板１５１Ｌ、１５１Ｒの外面とほぼ面一になって段部が形成されることがない。また、本体部２２２ａは、その深さ寸法が側板１５１Ｌ、１５１Ｒの厚み寸法よりも長寸であるため、嵌合された状態において側板１５１Ｌ、１５１Ｒの内面よりも筐体２の内部側に膨出することになる。詳しくは、本体部２２２ａの底面部は側板１５１Ｌ、１５１Ｒの内面から距離Ｐ３の幅寸法分筐体２内部側に位置するため、側板１５１Ｌ、１５１Ｒを直接加工して凹状の取手部を形成する場合と比べて、深さを有する持ち運びしやすい運搬用凹部１５Ｌ、１５Ｒを形成できることになる。
【０１２０】
このように、木製の側板１５１Ｌ、１５１Ｒに形成された運搬用開口１６２Ｌ、１６２Ｒを閉塞するように、有底箱状に形成された取手部材２１１Ｌ、２１１Ｒを筐体２の外側から嵌合して運搬用凹部１５Ｌ、１５Ｒを形成することにより、側板１５１Ｌ、１５１Ｒに貫通穴部が形成されることがないので、外部からの不正行為が効果的に防止される。
【０１２１】
また、本体部２２２ａは、その深さ寸法が側板１５１Ｌ、１５１Ｒの厚み寸法よりも長寸となるように構成されており、運搬用開口１６２Ｌ、１６２Ｒ内への装着時において、その底部が少なくとも側板１５１Ｌ、１５１Ｒの内面よりも筐体２の内部に膨出することになるため、側板１５１Ｌ、１５１Ｒの外面に運搬用凹部１５Ｌ、１５Ｒを直接加工形成するよりも、筐体２の持ち運びの際に手を深く挿入することが出来て持ち運びしやすい運搬用凹部を設けることが出来る。
【０１２２】
また、運搬用開口１６２Ｌ、１６２Ｒの内周面が合成樹脂製の本体部２２２ａにより覆われて凹部内面に露呈することがないので、木製の側板１５１Ｌ、１５１Ｒの運搬用開口１６２Ｌ、１６２Ｒの開口内周面や周端縁部の仕上げ加工等が不要であるばかりか、外観体裁が向上する。
【０１２３】
また、本体部２２２ａの開口端からは環状のフランジ部２２２ｂが外向きに連設されていることにより、運搬用開口１６２Ｌ、１６２Ｒ内面と本体部２２２ａの外周面との間の隙間から針金等の異物を挿入する等の不正行為が効果的に防止されるとともに、取手部材２１１Ｌ、２１１Ｒを側板１５１Ｌ、１５１Ｒの外方から嵌合した際における運搬用開口１６２Ｌ、１６２Ｒからの取手部材２１１Ｌ、２１１Ｒの逸脱が防止される。
【０１２４】
また、例えば取手部材２１１Ｌ、２１１Ｒを側板１５１Ｌ、１５１Ｒの内面側から嵌合する場合、筐体２内部に配設された各種装置が邪魔になって作業しにくくなることが考えられるが、本実施例における取手部材２１１Ｌ、２１１Ｒは側板１５１Ｌ、１５１Ｒの外面側から運搬用開口１６２Ｌ、１６２Ｒ内に嵌合されることで、筐体２内部に配設された各種装置が邪魔になることがないので、側板１５１Ｌ、１５１Ｒへの嵌合作業を極めて容易に行うことが出来る。また、フランジ部２２２ｂと係合部２２３ａ、２２３ｂによる係合作用により側板１５１Ｌ、１５１Ｒから離脱不能となるため、外部からの衝撃が加わっても筐体２内部側に抜け落ちにくいとともに、係合部２２３ａ、２２３ｂが外部に露呈することがないため、外部から不正しにくくなる。
【０１２５】
また、フランジ部２２２ｂにより取手部材２１１Ｌ、２１１Ｒの筐体２内部方向への移動が規制され、係合部２２３ａ、２２３ｂにより筐体２の外部方向への移動が規制されて、運搬用開口１６２Ｌ、１６２Ｒから取手部材２１１Ｌ、２１１Ｒが逸脱不能に固設されるため、ネジや接着剤等を使用することなく、外部から嵌合するだけで、取手部材２１１Ｌ、２１１Ｒを容易に、かつ、取り外し不能に側板１５１Ｌ、１５１Ｒに固設することが出来る。
【０１２６】
さらに、フランジ部２２２ｂは収容溝１６３Ｌ、１６３Ｒ内に収容され、その外面と側板１５１Ｌ、１５１Ｒの外面との間に段部が形成されることがなく、フラットな外面が形成されるので、筐体２の設置時に邪魔になることがない。なお、本体部２２２ａの深さや形状は任意であり、種々に変形可能である。
【０１２７】
以上説明してきたように、各種枠体や部品等が取り付けられた筐体２には、次にホッパーユニット５７、オーバーフロータンク５９、電源ユニット６５、外部出力基板５０５、遊技制御基板５００が収容された遊技制御基板ボックス３５０が取り付けられる。以下、これら各種装置や部品の詳細を図１７〜図３２に基づいて説明する。図１７は筐体２に装着される各種装置と筐体２との関係を示す斜視図であり、図１８はホッパーユニットを示す分解斜視図であり、図１９（ａ）はオーバーフロータンクを示す六面図（左右の側面図は同一であるため１つにまとめている）であり、（ｂ）はオーバーフロータンクが筐体に組み付けられた状態を示す一部破断側面図であり、図２０（ａ）は電源ユニットを示す斜視図であり、（ｂ）は（ａ）の正面図であり、図２２〜図３２は遊技制御基板ボックス３５０及び基板取付部材３５１を示す図である。
【０１２８】
（２−１７）ホッパーユニット
ホッパーユニット５７は、図１８に示されるように、主にメダルを貯留するホッパータンク５７ａと、該ホッパータンク５７ａの下部に位置してメダルを１列に整列させて放出するホッパー２６０と、該ホッパー２６０を回転駆動するホッパーモータ６２と、これらホッパータンク５７ａ、ホッパー２６０、ホッパーモータ６２を支持する支持台２６１と、から構成されている。
【０１２９】
ホッパータンク５７ａの前部上端には、前面扉３の裏面に取り付けられる前記メダル誘導樋７２（図５参照）の流下端が臨むメダル誘導樋挿通凹部２６２が形成され、また、正面から見て右側所定箇所には、オーバーフロータンク５９にメダルを誘導するためのオーバーフローレール２６３の一部を内部に挿通して固定するための挿通用開口２６４が形成されている。このオーバーフローレール２６３は、一端側がホッパータンク５７ａ内に臨むとともに、他端側がホッパーユニット５７の側方に配置されるオーバーフロータンク５９に臨むように固定されるものである。
【０１３０】
ホッパーユニット５７の前面側には、メダル排出口６３が設けられているとともに、このメダル排出口６３の内部には、払い出されるメダルを計数する払出しメダルセンサ６１が設けられる。また、支持台２６１の左右端部には、前記ホッパーユニット係合レール２０１ａ、２０１ｂ内に係合してホッパーユニット５７を支持する外向きに屈曲形成されたホッパーユニット支持片２６５ａ、２６５ｂが、前後方向にわたって一連に形成されており、このホッパーユニット支持片２６５ａ、２６５ｂを前記ホッパーユニット係合レール２０１ａ、２０１ｂの前方から挿入することで、ホッパーユニット５７が底板１５２上面所定箇所に配置されるようになっている。なお、メダルの補給時等においては、ホッパーユニット５７を手前側に引き寄せることで、ホッパーユニット係合レール２０１ａ、２０１ｂにホッパーユニット支持片２６５ａ、２６５ｂが案内されて前方にスライド移動するようになっている。
【０１３１】
（２−１８）オーバーフロータンク
オーバーフロータンク５９は、図１７及び図１９に示されるように、底板１５２の上面におけるホッパーユニット５７と右側板１５１Ｒとの間に配置される。
【０１３２】
オーバーフロータンク５９は、図１９（ａ）に示されるように、上面が開放した縦深の直方体状に合成樹脂で成形されている。オーバーフロータンク５９の前壁２３０ａには、一対のフルセンサ挿入穴２３１ａ、２３１ｂ及びが開設されているとともに、後壁２３０ｂには、一対のフルセンサ挿入穴２３２ａ、２３２ｂが開設されている。これらフルセンサ挿入穴２３１ａ、２３１ｂ及び２３２ａ、２３２ｂには、図１９（ｂ）に示されるように、前述した一対のフルセンサ６０ａ、６０ｂが内部に向けて挿入されるようになっている。なお、前壁２３０ａ及び後壁２３０ｂの前面におけるフルセンサ挿入穴２３１ａ、２３１ｂ及び２３２ａ、２３２ｂの下方には、オーバーフロータンク５９を抜き成型するための成型用凹部２３３ａ、２３３ｂ及び２３４ａ、２３４ｂが、フルセンサ挿入穴２３１ａ、２３１ｂ及び２３２ａ、２３２ｂから下端に向けて延設されている。
【０１３３】
オーバーフロータンク５７の底壁２３０ｄは、図１９（ｂ）示されるように、前後壁２３０ａ、２３０ｂ及び左右の側壁２３０ｃの下端よりも若干上方の高さ位置に形成されているとともに、底板１５２に形成されたメダル回収開口１６５に連通する縦長のメダル回収開口２３５が形成されている。このメダル回収開口２３５は、後壁２３０ｂ近傍から前後方向の中央よりもやや前方の所定位置まで延びるように形成されているとともに、通常時においては閉塞部材２３６により閉塞されるようになっている。
【０１３４】
閉塞部材２３６は、メダル回収開口２３５の開口周縁に環状に形成される収容溝２３７内に収容される蓋部２３８と、蓋部２３８の下面に垂設される環状の位置決め片２３９と、から構成されており、位置決め片２３９の前後部に下向きに形成される弾性変形自在な係止片２４０ａ、２４０ｂの先端に形成された外向きの係止爪２４１ａ、２４１ｂをメダル回収開口２３５の開口下端縁部に係脱させることによりメダル回収開口２３５に着脱できるようになっている。
【０１３５】
このメダル回収開口２３５は、メダル自動循環補給装置が設置島台に付設されている場合に、オーバーフロータンク５９に貯留されるメダルを設置島台の内部に返却するために、底板１５２のメダル回収開口１６５に連通するように形成されており、メダル自動循環補給装置が付設されていない場合には閉塞部材２３６にて閉塞してメダルを貯留出来るようになっている。
【０１３６】
また、前壁２３０ａの下端から左右の側壁２３０ｃの下端前部にかけて、底部枠板１７３との干渉を避けるための切欠部２４２ａが形成されているとともに、同じように後壁２３０ｂの下端から左右の側壁２３０ｃの下端前部にかけて、底部枠板１７３との干渉を避けるための切欠部２４２ｂが形成されている。すなわち、オーバーフロータンク５９は、左右の側壁２３０ｃにおける切欠部２４２ａ、２４２ｂを除く下端が底板１５２の上面に接地して載置される。
【０１３７】
このように構成されるオーバーフロータンク５９は、フルセンサ挿入穴２３２ａ、２３２ｂ内にフルセンサ６０ａ、６０ｂを挿入し、前壁２３０ａ及び後壁２３０ｂそれぞれの上端に下向きに折り返し形成される取手片２４３ａ、２４３ｂのいずれかの外側面を背板１５３の前面に当接させることで底板１５２上面に配置される。この時、図１９（ｂ）中の拡大図に示されるように、前方の切欠部２４２ａの下方に底部枠板１７３の後部が侵入するため、オーバーフロータンク５９の前方移動が底部枠板１７３の後端に側壁２３０ｃの前端が係止されることにより規制される。
【０１３８】
なお、オーバーフロータンク５９は縦長直方形状をなすとともに、フルセンサ挿入穴２３１ａ、２３１ｂ及び２３２ａ、２３２ｂが前後壁２３０ａ、２３０ｂそれぞれに形成され、また、切欠部２４２ａ、２４２ｂも前後に同様に形成されているため、例えば図示しないメダルの自動循環補給装置のメダル回収用ホースの接続口が、縦長のメダル回収開口１６５の後部寄りもしくは前部寄りのいずれに設けられた場合にも対応して使用することが出来る。また、メダル回収開口１６５は、底壁２３０ｄの後端から中央よりもやや前部よりにかけて縦長に形成されているため、前後の向きを変えたとしてもメダル回収開口１６５に接続される前記メダル回収用ホースの接続口に連通することになる。
【０１３９】
（２−１９）電源ユニット
電源ユニット６５は、図１７に示されるように、底板１５２の上面における左側板１５１Ｌの内面に隣接配置して固定される。この電源ユニット６５の詳細について図２０を参照して説明すると、電源ユニット６５は、図中点線で示される電源基板５０２を側面の支持板３００の内面に固定し、カバー３０１で被覆することにより直方体状に構成されるものである。カバー３０１の前壁部の下端から前方に屈曲される固定片３０２にはネジ穴３０３ａ、３０３ｂが形成されており、ネジ穴３０３ｂにネジ３０４を止着することにより底部枠板１７３に固定され、前述した電源ユニット押え金具２１０によりカバー３０１の上面後部が係止されることにより底部枠板１７３に固定される。
【０１４０】
電源ユニット６５のカバー３０１の上面には、複数の溝状の放熱穴３０５が形成されると共に、ホッパー電源用コネクタ穴３０６、遊技制御基板用電源コネクタ穴３０７、フルセンサ用コネクタ穴３０８、電源コード挿通穴３０９、が形成されている。ホッパー用電源コネクタ穴３０６には、ホッパーユニット５７に設けられるコネクタ（図示略）ヘの配線が接続されるものである。遊技制御基板用電源コネクタ穴３０７には、遊技制御基板５００の電源用コネクタ穴（図示略）に接続される配線が接続されるものである。フルセンサ用コネクタ穴３０８には、フルセンサ６０ａ、６０ｂからの配線が接続されるものである。電源コード挿通穴３０９には、外部から延設される電源コード（図示略）が挿通されるものである。
【０１４１】
カバー３０１の前面には、前述したように、上から順に設定キー挿入部７０、自動精算選択スイッチ部６８、打止め選択スイッチ部６９、設定／リセットボタン６７、メインスイッチ部６６が臨設されている。更にその下部には、アース線挿通用のアース線挿通穴３１０が設けられている。
【０１４２】
（２−２０）外部出力基板
外部出力基板５０５は、図１７に示されるように、右側板１５１Ｒの内面における上部所定箇所に外部出力基板取付部材３１５を介して取り付けられる。外部出力基板取付部材３１５は、合成樹脂によって格子状に形成され、その内部に形成される上下２つのネジ穴３１６にネジ３１７を止着することにより右側板１５１Ｒの内面に固着される。
【０１４３】
外部出力基板５０５には、遊技制御基板コネクタ３１８、試験用コネクタ３１９、ホールコンピュータ用コネクタ３２０、及び試験用コネクタ３２１が実装されている。遊技制御基板コネクタ３１８には、遊技制御基板５００からの情報を送出する信号線が接続されるものであり、試験用コネクタ３１９（ストップ信号出力コネクタ）、３２１（モータの励磁信号出力コネクタ）は、試験機関が試験を行なう際に接続するコネクタであり、このコネクタに接続することにより、遊技制御基板５００から送られてきた情報（ストップ情報及び励磁情報）に基づいてストップボタン４０Ｌ、４０Ｃ、４０Ｒが操作されてから停止するまでの時間が規格の範囲内であるか否かを検査することができる。また、ホールコンピュータ用コネクタ３２０には、レギュラーボーナスゲーム又はビッグボーナスゲーム中であるか否かの情報信号や投入メダル数、払出メダル数の情報信号が遊技制御基板５００から送られてきた情報に基づいて管理コンピュータに向けて出力されるものである。
【０１４４】
次に、図１７に示されるように、背板１５３に形成された基板取付用開口１５４を閉塞するように、基板取付部材３５１が背板１５３の前面側から止着される。ここで、遊技制御基板５００を被覆状態で収容する遊技制御基板ボックス３５０及び遊技制御基板ボックス３５０を背板１５３に取り付けるための基板取付部材３５１の詳細を図２１〜図３２に基づいて説明する。
【０１４５】
図２１は下部ケースを示す平面図、側面図であり、図２２（ａ）は図２１のＡ−Ａ断面図であり、（ｂ）は図２１のＢ−Ｂ断面図であり、（ｃ）は図２１のＣ−Ｃ断面図であり、図２３は上部ケースを示す平面図、側面図であり、図２４（ａ）は図２３のＤ−Ｄ断面図であり、（ｂ）は図２３のＥ−Ｅ断面図であり、（ｃ）は図２３のＦ−Ｆ断面図であり、（ｄ）は図２３のＧ−Ｇ断面図であり、図２５（ａ）は下部ケースを上部ケースにより閉塞する状態を示す一部破断断面図であり、（ｂ）は下部ケースを上部ケースにて閉塞した状態を示す要部断面図であり、（ｃ）、（ｄ）は（ｂ）の状態の要部拡大断面図であり、図２６は基板取付部材を示す平面図、側面図、背面図であり、図２７（ａ）は図２６のＨ−Ｈ断面図であり、（ｂ）は図２６のＩ−Ｉ断面図であり、（ｃ）は図２６のＪ−Ｊ断面図であり、（ｄ）は図２６のＫ−Ｋ断面図であり、（ｅ）は図２６のＬ−Ｌ端面図であり、図２８は背板に遊技制御基板ボックスを取り付ける状態を示す要部断面図であり、図２９は遊技制御ボックスの基板取付部材への取り付け状態を示す断面図であり、図３０の（ａ）〜（ｃ）は遊技制御ボックスを基板取付部材に取り付けるためのラッチの作用を示す断面図であり、図３１は同じく遊技制御ボックスの基板取付部材への取り付け状態を示す断面図であり、図３２（ａ）は第１封印シールを貼着した状態の上部ケースを示す要部平面図であり、（ｂ）は第２封印シールを貼着した状態の遊技制御基板ボックスを示す要部拡大断面図である。
【０１４６】
（２−２１）遊技制御基板ボックス
収容ケースとしての遊技制御基板ボックス３５０の詳細を図２１〜図２５に基づいて説明する。遊技制御基板ボックス３５０は、遊技制御基板５００の裏面側を覆うケース本体としての下部ケース３５２と、遊技制御基板５００の表面側を覆うケースカバーとしての上部ケース３５３と、から平面視略長方形状に構成され、遊技制御基板５００を表裏から挟持するように組み付けられるものである。
【０１４７】
下部ケース３５２は、図２１、図２２に示されるように、上面が開放した直方体状に透明な合成樹脂によって成形されている。遊技制御基板５００の周囲を囲むように長方形状に形成される側壁３５４ａ〜３５４ｄの内面には、遊技制御基板５００の裏面周囲を支持する上下方向を向く支持リブ３５５が所定間隔おきに複数形成されている。側壁３５４ａ〜３５４ｄに囲まれる内側の四隅には、遊技制御基板５００を所定高さ位置に支持する支柱３５６が突設され、これら支柱３５６の上部には、図２２（ａ）に示されるように、位置決め突起３５７が上方に向けて突設されている。位置決め突起３５７の外径は、支柱３５６の外径よりも小寸に形成されているため、支柱３５６の上部外周には基板載置用段部３５８が形成されている。
【０１４８】
側壁３５４ａ、３５４ｂよりも長寸の側壁３５４ｃ、３５４ｄのうちの側壁３５４ｄの外側に形成された上部ケース取付部３６３における長手方向中央部には、図２２（ｂ）に示されるように、係止部としての係止爪挿入穴３５９が形成されている。この係止爪挿入穴３５９は、上部ケース３５３に突設形成される後述する係止片としての係止爪３８３ａを有する挿入部３８４が遊挿されるものであり、係止爪挿入穴３５９の上部開口端縁部３５９ａと係止爪３８３ａとが係合することにより、下部ケース３５２と上部ケース３５３とが遊技制御基板５００を被覆した状態で封止される。
【０１４９】
下部ケース３５２の側壁３５４ｄの外側における係止爪挿入穴３５９の両側方には、下部ケース３５２と上部ケース３５３とを開封不能に封止するためのカシメ用ネジ穴３６０ａ、３６０ｂと予備ネジ挿入穴３６１ａ、３６１ｂとが左右にそれぞれ交互に並ぶように形成されている。カシメ用ネジ穴３６０ａ、３６０ｂは、上部ケース３５３の後述するカシメ用ネジ穴３８７ａ、３８７ｂに対応して設けられるものであり、後述するワンウェイネジ４１０が螺着されるものである。予備ネジ挿入穴３６１ａ、３６１ｂは、予備のワンウェイネジ４１０を掛け止めておくための挿入穴である。また、上部ケース取付部３６３と側壁３５４ｄとの間には、上部ケース３５３の閉塞時に後述する上部ケース３５３の側壁３８２ｄが挿入される側壁挿入部３６２が形成されている。
【０１５０】
側壁３５４ｃの外面には、上部ケース３５３を一端を中心に回動自在に枢支するための枢軸３６４ａ、３６４ｂが相互の対向端面に形成される左右一対の突片３６５ａ、３６５ｂが、それぞれ所定間隔おきに３対突設されている。なお、それぞれの突片３６５ａ、３６５ｂの外面には補強用の補強リブ３６６が形成されている。
【０１５１】
さらに、側壁３５４ｃの外面における中央の突片３６５ｂの側方近傍には、後述する第２封印シール４２７の下端が貼着される封印シール貼着部の一部を構成する傾斜面部３６７が形成されている。傾斜面部３６７は、図２２（ｃ）に示されるように、側壁３５４ｃの外面下端から上下方向略中央部にかけて、上方に行くに従い外方に向けて膨出するように形成されており、その上端には上部ケース３５３の側壁３８２ｃの下端が載置する段部３６７ａが形成されている（図３２（ｃ）参照）。
【０１５２】
上部ケース３５３は、図２３、図２４に示されるように、下方が開放した下部ケース３５２よりも横長の直方体状に透明な合成樹脂により形成されている。上部ケース３５３の長手方向の中央部は、左右端部側よりも上方に膨出する膨出部３５３ａとされており、その膨出部３５３ａの上面における長手方向の左右端部には、多数の放熱孔３７０が穿設されている。膨出部３５３ａの左右端部のみに放熱孔３７０を穿設するのは、放熱孔３７０を膨出部３５３ａの中心部まで形成した場合には、その放熱孔から針金等の異物を挿入して、遊技制御基板ボックス３５０の内部に配設された遊技制御基板５００の上面中央部付近に実装されるＲＯＭやＣＰＵ等の主要な電子部品に対して不正行為が行なわれる可能性があるため、そのような行為ができないように膨出部３５３ａの左右端部だけに形成している。
【０１５３】
上部ケース３５３における膨出部３５３ａの両サイドには、図２３及び図２４（ａ）に示されるように、上向きに開放する凹部３７１、３７２が一体的に形成されており、これら凹部３７１、３７２の底面部には、遊技制御基板５００に実装される各種コネクタが臨むコネクタ穴３７３〜３７８が開設されている。凹部３７１の底面部には、遊技制御用コネクタが臨む遊技制御用コネクタ穴３７３、装飾ランプ用コネクタが臨む装飾ランプ用コネクタ穴３７４、電源用コネクタが臨む電源用コネクタ穴３７５、がそれぞれ開設され、凹部３７２の底面部には、リール制御用コネクタが臨むリール制御用コネクタ穴３７６、外部出力用コネクタが臨む外部出力用コネクタ穴３７７、正規の基板か否かを照合するための基板照合用コネクタが臨む基板照合用コネクタ穴３７８、がそれぞれ開設されている。なお、本実施形態においては、遊技制御基板ボックス３５０の両側からコネクタ接続されるようになっているが、これは、内部での配線接続をなるべく短くして配線の複雑化を防止するためである。
【０１５４】
また、凹部３７１、３７２の周縁部下面には、図２４（ａ）に示されるように、下部ケース３５２への装着時において遊技制御基板５００の上面に下端が当接する基板押え片３９６、３９７が下方に向けて垂設されている。この基板押え片３９６、３９７の下端が遊技制御基板５００の上面における左右側それぞれに当接することで、遊技制御基板５００の浮き上がりが防止されるようになっている。
【０１５５】
また、凹部３７２のさらに外方には、基板取付部材３５１への装着時に基板取付部材３５１の上面に当接する取付部材当接凹部３７９が一体形成されている。短寸の側壁３８２ｂの近傍に設けられる取付部材当接凹部３７９の底面部には、後述するラッチ４３０が挿入されるラッチ挿入穴３８０と、固定用のネジ４２５が螺入されるネジ穴３８１と、が形成されている。ラッチ挿入穴３８０は、図２４（ａ）に示されるように、ラッチ４３０のフランジ部４３４を収容する大径部３８０ａと該大径部３８０ａに連設する小径部３８０ｂとから構成されている。
【０１５６】
側壁３８２ｄ外面における膨出部３５３ａの長手方向略中央部には、下部ケース３５２の係止爪挿入穴３５９に挿入されて係合する上向きの係止爪３８３ａが外面に形成された係止片３８３が突設形成されている。係止片３８３は、側壁３８２ｄ外面に連設形成された上面が開口する箱状の挿入部３８４の前壁部左右端に、上下方向を向く切欠部３８５ａ、３８５ｂを形成することにより弾性変形自在に形成されており、この弾性変形作用により下部ケース３５２の上部開口端縁部３５９ａに係止爪３８３ａを係脱させることが出来るようになっている。
【０１５７】
また、側壁３８２ａ、３８２ｂよりも長寸の側壁３８２ｃ、３８２ｄのうちの側壁３８２ｄ外面における挿入部３８４の左右側方には、複数のカシメ用ボス３８６ａ、３８６ｂが一体的に形成されている。カシメ用ボス３８６ａ、３８６ｂは、前記カシメ用ネジ穴３６０ａ、３６０ｂに対応するように形成されるものであり、図２４（ｂ）に示されるように、その中心にはカシメ用ネジ穴３８７ａ、３８７ｂが穿設されているとともに、その上端部からは、上部ケース取付部３６３と平行となる方向に予備ネジ押え板３８８ａ、３８８ｂが突設されており、これらカシメ用ボス３８６ａ、３８６ｂは、切断片３８９ａ、３８９ｂを介して側壁３８２ｄと連結されている。なお、カシメ用ネジ穴３８７ａ、３８７ｂは、図２４（ｂ）に示されるように、後述するワンウェイネジ４１０の頭部４１０ａを収容可能な大径部３８７’と、大径部３８７’に連設される小径部３８７’’とから構成される。
【０１５８】
膨出部３５３ａの側壁３８２ｅの外面における下部ケース３５２の傾斜面部３６７に対応する箇所には、上端から側壁３８２ｃに向かって外方に膨出する傾斜面部３９０が、特に図２４（ｄ）に示されるように、その傾斜面の下部が側壁３８２ｃの外面に連続するように形成されている。すなわち、その傾斜面部３９０が形成された部分のみ、側壁３８２ｅとその下方の側壁３８２ｃの外面との間の段部がない連続面が形成されている。
【０１５９】
側壁３８２ｃの外面には、図２３及び図２４（ｃ）に示されるように、下部ケース３５２の枢軸３６４ａ、３６４ｂに枢支される側面視略Ｊ字状をなす外向きの軸受け片３９１ａ、３９１ｂが、長手方向に所定間隔おきに３対形成されており、これら左右一対の軸受け片３９１ａ、３９１ｂは連結片３９２により連結されている。また、側壁３８２ｃにおける各軸受け片３９１ａ、３９１ｂの外方には、下部ケース３５２の突片３６５ａ、３６５ｂとの干渉を避けるための切欠部３９３ａ、３９３ｂがそれぞれ形成されている。
【０１６０】
側壁３８２ａの長手方向左右端部には、後述する基板取付部材３５１への取付け時において、基板取付部材３５１の係止被覆片挿入口４１７ａ、４１７ｂに挿入するとともに、基板取付部材３５１を背板１５３に止着するネジ４１６を被覆する係止被覆片３９４ａ、３９４ｂが外向きに突設されている。係止被覆片３９４ａ、３９４ｂは板状片からなり、その下面における長辺部には、先端に行くに従い先細りになるテーパ状の補強リブ３９５がそれぞれ形成されている。
【０１６１】
次に、下部ケース３５２の上面開口を上部ケース３５３により閉塞するには、まず、図２５（ａ）に示されるように、左右一対の枢軸３６４ａ、３６４ｂそれぞれに軸受け片３９１ａ、３９１ｂを係止させた状態で、枢軸３６４ａ、３６４ｂを中心に上部ケース３５３を下部ケース３５２方向に回転させ、上部ケース３５３を下部ケース３５２に嵌め合わせる。この際、各カシメ用ネジ穴３８７ａ、３８７ｂとカシメ用ネジ穴３６０ａ、３６０ｂとが合致すると共に、予備ネジ押え板３８８ａ、３８８ｂが予備ネジ挿入穴３６１ａ、３６１ｂの上方を閉塞することとなる。このため、上部ケース３５３を下部ケース３５２に嵌め合わせる前に、予め左右４つずつの予備ネジ挿入穴３６１ａ、３６１ｂに予備のワンウェイネジ４１０を挿入しておく。
【０１６２】
また、上部ケース３５３を下部ケース３５２に嵌め合わせると、図２５（ｃ）に示されるように、上部ケース３５３の挿入部３８４が下部ケース３５２の係止爪挿入穴３５９内に挿入される。この際、係止片３８３が弾性変形して係止爪３８３ａが係止爪挿入穴３５９の上部開口端縁部３５９ａに係止されるため、係止片３８３を変形させて係止作用を解除しない限り上部ケース３５３を開放することが出来なくなる。さらにこの状態において、図２５（ｂ）に示されるように、下部ケース３５２内に装着された遊技制御基板５００の上面に前記基板押え片３９６、３９７の下端が当接して遊技制御基板５００の浮き上がりが防止される。
【０１６３】
このように上部ケース３５３を下部ケース３５２に嵌め合わせた後、例えば挿入部３８４の左方の４つのカシメ用ネジ穴３８７ａ、３６０ａのうち挿入部３８４から最も遠いカシメ用ネジ穴３８７ａ、３６０ａと、挿入部３８４の右方の４つのカシメ用ネジ穴３８７ｂ、３６０ｂのうち挿入部３８４に最も近いカシメ用ネジ穴３８７ｂ、３６０ｂと、にワンウェイネジ４１０を螺着することにより、ワンウェイネジ４１０による螺着作用によってその反対側の長辺部の軸受け片３９１ａ、３９１ｂに枢支された枢軸３６４ａ、３６４ｂが軸受け片３９１ａ、３９１ｂから逸脱不能となるため、上部ケース３５３と下部ケース３５２とが分離不能に封止される。
【０１６４】
ワンウェイネジ４１０は、周知のように、一方向の回転によってネジを螺着することができるが、他方向の回転を行なおうとしても回転することができないため、そのネジを緩めることができない機能を有するネジである。したがって、上部ケース３５３と下部ケース３５２とを分離して開封するためには、例えば封止関連部位である切断片３８９ａ、３８９ｂを切断すること等により、ワンウェイネジ４１０で螺着されたカシメ用ボス３８６ａ、３８６ｂを上部ケース３５３から分離するより他に手立てはない。しかして、例えば内部のＲＯＭの検査等の正式な検査によって切断片３８９ａ、３８９ｂを切断した場合には、検査後、予備ネジ挿入穴３６１ａ、３６１ｂに挿入されていたワンウェイネジ４１０を取り出し、切断されていない切断片３８９ａ、３８９ｂのいずれかのカシメ用ボス３８６ａ、３８６ｂを利用して、前述と同様に、取り出したワンウェイネジ４１０を螺着することにより、再度切断片３８９ａ、３８９ｂを切断しない限り上部ケース３５３と下部ケース３５２とを分離できない状態に組付けることができる。このような切断片３８９ａ、３８９ｂの切断は、本実施形態の場合、カシメ用ボス３６０ａ、３６０ｂが左右に４個ずつあるので、最高３回繰返すことができる。
【０１６５】
さらに、カシメ用ネジ穴３８７ａ、３６０ａ、３８７ｂ、３６０ｂに螺着されたワンウェイネジ４１０の頭部４１０ａが収容された大径部３８７’内には、紫外線硬化樹脂等が充填され、ワンウェイネジ４１０の頭部４１０ａに形成されたドライバー等の係止溝を埋められるため、ワンウェイネジ４１０の取り出しがより困難となり、引いては上部ケース３５３と下部ケース３５２との分離がより困難となる。
【０１６６】
このように、上部ケース３５３及び下部ケース３５２に設けられたカシメ用ボス３８６ａ、３８６ｂ及びカシメ用ネジ穴３６０ａ、３６０ｂが、平面視長方形状の上部ケース３５３及び下部ケース３５２における側壁のうち、短寸の側壁よりも撓みやすい長寸の側壁３８２ｄ、３５４ｄから外方に向けて突設されていることにより、ワンウェイネジ４１０による螺着部が長寸の側壁３８２ｄ、３５４ｄに形成されることになり、上部ケース３５３及び下部ケース３５２を撓ませて両ケース間に隙間を形成することが困難となるため、外部から針金等の異物を挿入すること等による不正行為が効果的に防止される。
【０１６７】
また、上部ケース３５３の長寸の側壁３８２ｄにおける長手方向の略中央位置に係止爪３８３ａを有する係止片３８３が設けられ、その両側にワンウェイネジ４１０が螺入されるカシメ用ボス３８６ａ、３８６ｂがそれぞれ設けられることで、上部ケース３５３と下部ケース３５２とを封止する封止手段が上部ケース３５３における長辺部の長手方向にわたって設けられることになるため、上部ケース３５３と下部ケース３５２との間に隙間を開けることがより困難となるばかりか、仮に係止爪３８３ａによる封止が解除された場合でも、その両側はワンウェイネジ４１０により封止されていることになり、封止箇所が偏ることがないので、確実に封止することが出来る。
【０１６８】
また、本実施例においては、例えば一旦開放不能に封止した上部ケース３５３が切断片３８９ａ、３８９ｂの切断により開封された場合、切断された切断片３８９ａ、３８９ｂより先のカシメ用ボス３８６ａ、３８６ｂがワンウェイネジ４１０とともに下部ケース３５２側に残るように、カシメ用ネジ穴３６０ａ、３６０ｂが下部ケース３５２の長辺部長手方向にわたって一連に形成される上部ケース取付部３６３に形成されているため、開封時に破壊された封止関連部位（切断片３８９ａ、３８９ｂやカシメ用ボス３８６ａ、３８６ｂ等）が遊技制御基板ボックス３５０から分離することがないので、封止関連部位の除去作業等が不要となる。
【０１６９】
また、挿入部３８４を挟んで４つずつ設けられている左側のカシメ用ボス３８６ａ、３６０ａ及び右側のカシメ用ネジ穴３８６ｂ、３６０ｂの使用順序は、前述のように左側のカシメ用ボス３８６ａ、３６０ａ及び右側のカシメ用ネジ穴３８６ｂ、３６０ｂそれぞれの左端から順に使用していくものに限定されるものではなく、例えば左右それぞれの右端から順に使用していく等任意であるが、前述のようにそれぞれ同時に使用する左側のカシメ用ボス３８６ａ、３６０ａと右側のカシメ用ネジ穴３８６ｂ、３６０ｂとの距離が、複数回の使用の際において全て等間隔となるように使用することが好ましい。
【０１７０】
（２−２２）基板取付部材
基板取付部材３５１の詳細を図２６、図２７に基づいて説明すると、基板取付部材３５１は、透明な合成樹脂からなる平板部材からなり、平板部４１２の周囲には側壁４１１ａ〜４１１ｄが一体成型されている。平板部４１２は、図２７（ａ）に示されるように、側壁４１１ａ〜４１１ｄの上下方向略中央部よりも若干下方位置に連設されており、遊技制御基板ボックス３５０が取り付けられる基板取付部材３５１の前面側には側壁４１１ａ〜４１１ｄにより囲まれた遊技制御基板ボックス３５０の設置用凹部としての基板ボックス取付用凹部４３６が形成されている。よって、遊技制御基板ボックス３５０のうちの下部ケース３５２の下半部が基板ボックス取付用凹部４３６内に嵌合され、下部ケース３５３の水平方向の移動が側壁４１１ａ〜４１１ｄにより規制されるようになっている。
【０１７１】
また、側壁４１１ｃ、４１１ｄの内面には、基板ボックス取付用凹部４３６内に嵌合される下部ケース３５２の周面を移動不能にガイドする下部ケースガイド片４２９が、所定間隔おきにそれぞれ３つずつ形成されている。また、平板部４１２の裏面には、各側壁４１１ａ〜４１１ｄから連設される補強用リブ４１３が格子状に形成されている。
【０１７２】
側壁４１１ａは、図２７（ｃ）に示されるように、他の側壁４１１ｂ〜４１１ｄよりも高くなっており、その外面における側壁４１１ｃ、４１１ｄ、と同高さ位置からは、水平方向を向く固定片４１４が外方に向けて連設されている。固定片４１４にはネジ穴４１５が長手方向端部寄りにそれぞれ形成されており、このネジ穴４１５に基板取付部材固定手段としてのネジ４１６（図１１及び図２８参照）を止着することにより基板取付部材３５１の一端部側を背板１５３に固着することが出来るようになっている。
【０１７３】
また、平板部４１２、側壁４１１ａ、固定片４１４における２つのネジ穴４１５それぞれの近傍には、互いに向き合う方向に開口する切欠部が形成されており、これら各切欠部により前記係止被覆片３９４ａ、３９４ｂが挿入する係止被覆片挿入口４１７ａ、４１７ｂが形成されている。
【０１７４】
側壁４１１ｂの上端からは、水平方向を向く固定片４１８が外方に向けて連設されている。固定片４１８の長手方向端部寄りにはネジ穴４１９がそれぞれ１つずつ形成されており、このネジ穴４１９に基板取付部材固定手段としてのネジ４２０（図１１及び図２８参照）を止着することにより基板取付部材３５１の一端部側を背板１５３に固着することが出来るようになっている。また、これら２つのネジ穴４１９の間には、前記ラッチ挿入穴３８０に対応するラッチ挿入穴４２１が形成されているとともに（図２７（ｂ）参照）、前記ネジ穴３８１に対応するネジ穴４２２が形成されている。
【０１７５】
また、固定片４１８の後面におけるネジ穴４２２周りには、図２８（ｄ）に示されるように、例えば図示しない六角ナット等を収容するナット収容凹部４３７が形成されている。このナット収容凹部４３７は、図示しない金属製の六角ナット等を収容した状態で内部に接着剤等を塗布してナットを固着してネジ穴を形成するためのものである。このようにすることで、ネジ４２０のネジ穴が金属材に形成されるため、固定強度が著しく向上するとともに、ネジ４２０の螺入を複数回繰り返してもネジ穴の周辺が削られることがないので、基板取付部材３５１の耐久性が効果的に向上することになる。
【０１７６】
固定片４１８の上面には、装着される上部ケース３５３の側壁３８２ｂの下端と固定片４１８との間に形成されうる隙間を隠蔽するための防犯用突片４２３が長手方向の端縁部に沿って上向きに連続的に形成されている。また、固定片４１８の裏面には、ラッチ挿入穴４２１及びネジ穴４２２の下方周囲を覆うように補強用リブ４２４が下方に向けて垂設されている。
【０１７７】
なお、図２６及び図２７（ｅ）に示されるように、側壁４１１ｃの内面における前記傾斜面部３６７に対応する箇所には、後述するように傾斜面部３６７外面に貼着される第２封印シール４２７との干渉を避けるための第２封印シール収容溝４２８が形成されている。
【０１７８】
以上、遊技制御基板ボックス３５０を構成する下部ケース３５２と上部ケース３５３の詳細な構成について説明してきたが、以下、基板取付部材３５１の背板１５３への取付け状況、並びに遊技制御基板５００を内部に収容した遊技制御基板ボックス３５０の基板取付部材３５１への取り付け状況を図１１及び図２８〜図３２に基づいて説明する。
【０１７９】
（２−２３）基板取付部材への遊技制御基板ボックスの取り付け
基板取付部材３５１は、図１１及び図２８に示されるように、背板１５３の前面側から長方形状に形成された側壁４１１ａ〜４１１ｄを基板取付用開口１５４内に、また、基板取付用開口１５４の短辺部に形成された膨出部１５４ａ内に補強用リブ４２４を隙間なく嵌め込み、左右の固定片４１４、４１８の裏面を背板１５３の前面に当接させた状態で、ネジ穴４１５、４１９にネジ４１６、４２０を止着することにより背板１５３に取り付けられる。
【０１８０】
基板取付部材３５１が背板１５３に取り付けられた状態において、図２８に示されるように、基板取付用開口１５４は基板取付部材３５１により閉塞されるとともに、基板ボックス取付用凹部４３６の底部をなす平板部４１２は基板取付用開口部１５４内に入り込み、背板１５３の前面から距離Ｐ４に示す寸法分後方に退避した後方位置に配置されることになる。
【０１８１】
このように背板１５３に取り付けられた基板取付部材３５１の前面に形成された基板ボックス取付用凹部４３６内には、図２５にて説明したように、遊技制御基板５００を内部に収容した状態で開封不能に封止された遊技制御基板ボックス３５０が取り付けられる。詳しくは、図２８中２点鎖線で示されるように、まず上部ケース３５３のラッチ挿入穴３８０内にラッチ４３０を予め取り付けておき、遊技制御基板ボックス３５０の係止被覆片３９４ａ、３９４ｂを、その先端が固定片４１４の前方に突出するように係止被覆片挿入口４１７ａ、４１７ｂ内に挿入した状態で、遊技制御基板ボックス３５０における係止被覆片３９４ａ、３９４ｂの反対側を基板取付部材３５１の前面に押し当てる。
【０１８２】
この状態で、係止被覆片３９４ａ、３９４ｂが係止被覆片挿入口４１７ａ、４１７ｂの開口周縁部に係止されるとともに、図２９に示されるように、ラッチ４３０の一部が前記ラッチ挿入穴４２１内に嵌合されることで、遊技制御基板ボックス３５０は基板取付部材３５１の前面側に係止される。
【０１８３】
ここで、ラッチ４３０の構成を図３０に基づいて簡単に説明すると、ラッチ４３０は、連結する部材それぞれに形成される穴部内に嵌合されるブッシュ４３１と、ブッシュ４３１内に進退自在に嵌合される操作ピン４３２と、から構成されている。ブッシュ４３１は、その周面に複数の切欠溝が形成されており、操作ピン４３２が内部に押し込まれて操作ピン４３２の先端に押圧されることにより外向きに広がるように弾性変形する複数の固定片４３３を有しているとともに、これら固定片４３３の基端側には、ブッシュ４３１の抜け止め用のフランジ部４３４が形成されている。また、各固定片４３３の先端側内面には、操作ピン４３２の戻りを防止するための内向きの凸条４３５が環状に形成されている。
【０１８４】
操作ピン４３２は、ブッシュ４３１の貫通穴４３１ａ内に摺動自在に挿入されるピン部材４３２ａと、その端部側に取り付けられる操作部４３２ｂと、からなり、ピン部材４３２ａにおける操作部４３２ｂと反対側の先端部４３２ｃは若干拡径しており、貫通穴４３１ａ内からのピン部材４３２ａの逸脱が防止されている。
【０１８５】
図２９に戻って、遊技制御基板ボックス３５０が基板取付部材３５１の前面側に係止された状態において、前方に突出している操作ピン４３２を拡大図中の矢印の方向、すなわち後方に向けて強く押し込むことで、上部ケース３５３を固定片４１８に固定する。ここでラッチ４３０による作用を説明すると、図３０（ｂ）に示されるように、操作ピン４３２が後方に位置している状態から、図３０（ｃ）に示されるように操作ピン４３２を後方に向けて強く押し込むと、押し込まれたピン部材４３２ａの先端部４３２ｃにより各固定片４３３が外向きに押し広げられることにより、各固定片４３３の外周面がラッチ挿入穴３８０、４２１の内周面に押圧されるとともに、この状態において、操作ピン４３２の後退移動が、その先端部４３２ｃと凸条４３５との係止作用により規制されるため、遊技制御基板ボックス３５０と基板取付部材３５１とがラッチ４３０により互いに離間不能に連結されて仮固定される。
【０１８６】
なお、この状態から押し込んだピン部材４３２を手前側に引き出せば、遊技制御基板ボックス３５０と基板取付部材３５１との連結を容易に解除することが出来る。
【０１８７】
さらにラッチ４３０による仮固定の後、図３１に示されるように、前記ネジ穴３８１、４２２にネジ４２５を螺着することで、遊技制御基板ボックス３５０と基板取付部材３５１とが確実に連結固定され、遊技制御基板ボックス３５０の基板取付部材３５１からの離脱が防止されることになる。
【０１８８】
このようにラッチ４３０及びネジ４２５による固定にて遊技制御基板ボックス３５０が基板取付部材３５１の前面側から離脱不能に固定されることで、図２８、図２９、図３１に示されるように、遊技制御基板ボックス３５０の平板部４１２上でのスライド移動が規制され、係止被覆片挿入口４１７ａ、４１７ｂからの係止被覆片３９４ａ、３９４ｂの逸脱が防止されるため、係止被覆片３９４ａ、３９４ｂの係止作用及びラッチ４３０及びネジ４２５による固定作用にて、遊技制御基板ボックス３５０は基板取付部材３５１の前面側に離脱不能に取り付けられることになる。
【０１８９】
また、前記平板部４１２は、基板取付用開口１５４の内部における背板１５３の前面よりも後方位置に配置されているので、遊技制御基板ボックス３５０が基板取付部材３５１に取り付けられた状態において、下部ケース３５２の底部が、基板取付部材３５１の側壁４１１ａ〜４１１ｄ及び平板部４１２にて形成される前方に開口する基板ボックス取付用凹部４３６内に収容されることになる。よって、遊技制御基板ボックス３５０を、その一部が背板１５３内に埋め込まれるように、すなわち、基板取付用開口１５４の内部に入り込むように取り付けることが出来る。
【０１９０】
このように壁部としての背板１５３に取り付けられた遊技制御基板ボックス３５０の少なくとも一部が背板１５３の厚み方向に入り込むことで、筐体２の内部スペースにおける遊技制御基板ボックス３５０の占有率を小さくすることが出来、これにより筐体２の内部に配設される他の種々の装置や部材等の配置自由度が高まるため、限られた筐体２の内部スペース内に種々の装置や部材等を効率よく配設することが出来る。また、基板取付用開口１５４が基板取付部材３５１にて閉塞されることで、背板１５３の一部が開口することがないので、筐体２の外部からの不正行為が効果的に防止される。
【０１９１】
なお、本実施例においては、遊技制御基板ボックス３５０は背板１５３の所定箇所に設けられた基板取付用開口１５４内に入り込むように設けられていたが、例えば筐体２を構成する左右の側板１５１Ｌ、１５１Ｒや天板１５０、底板１５２の内面所定箇所にこのような開口部を設け、これに入り込むように遊技制御基板ボックス３５０を設けてもよい。
【０１９２】
さらに、例えば基板取付部材が左右一対の部材から構成されている場合、背板１５３に別々に取り付けることになるため、個々の部材の取り付け位置の精度を高めないと遊技制御基板ボックス３５０をうまく取り付けられないことがあるが、遊技制御基板ボックス３５０を配設するための基板ボックス取付用凹部４３６は、背板１５３に形成された基板取付用開口１５４に嵌合される単一の部材からなる基板取付部材３５１上に形成されているため、基板取付部材３５１を背板１５３に取り付ける際における基板取付部材の取り付け位置調整等が不要になり、背板１５３への取り付けが容易になるばかりか、部品点数が少なくなるので製造コストの低減を図ることが出来る。
【０１９３】
また、本実施例においては、壁部としての背板１５３に、遊技制御基板ボックス３５０の少なくとも一部を入り込ませることが出来る基板取付用開口１５４を形成し、該基板取付用開口１５４内に基板取付部材３５１の基板ボックス取付用凹部４３６が嵌合され、この基板ボックス取付用凹部４３６に遊技制御基板ボックス３５０が取り付けられるようになっていたが、本発明はこれに限定されるものではなく、例えば遊技制御基板ボックス３５０の少なくとも一部を基板取付用開口１５４内に直接入り込ませるようにして背板１５４に直接取り付けてもよい。
【０１９４】
また、背板１５３の内面の所定箇所を直接凹設加工したり、背板１５３の一部を外側に膨出させること等により、遊技制御基板ボックス３５０の少なくとも一部を入り込ませることが出来る内側に開放する凹部を形成してもよい。さらにこのように背板１５３の一部に内側に開放する凹部を直接形成した場合、その凹部の底面の少なくとも一部を透明な部材にて構成し、この凹部に配置された遊技制御基板ボックス３５０を筐体２の外部から視認出来るようにすることで、筐体２から遊技制御基板ボックス３５０を取り出さなくても、遊技制御基板ボックス３５０の状況を筐体２の外部から目視により確認することが出来るため、不正行為を直ちに発見することが出来る。
【０１９５】
また、図２８中実線で示されるように、基板取付部材３５１の前面側に遊技制御基板ボックス３５０が取り付けられた状態において、基板取付部材３５１を背板１５３に止着するネジ４１６の頭部が係止被覆片３９４ａ、３９４ｂにより覆われるとともに、他方のネジ４２０の頭部が上部ケース３５３により覆われて、外部から触れることが困難となるため、ネジ４１６、４２０を取り外して基板取付部材３５１を背板１５３から取り外すことで真正の遊技制御基板ボックス３５０を持ち出して不正な改造が施された遊技制御基板５００が収容された制御基板ボックスにすり替えられるといった不正行為が効果的に防止される。
【０１９６】
さらに、基板取付部材３５１の前面側に遊技制御基板ボックス３５０が取り付けられた状態において、図３１及び図３２（ａ）に示されるように、上部ケース３５３における取付部材当接凹部３７９の上面には、第１封印シール４２６が貼着されて取付部材当接凹部３７９の上面開口が閉塞されて、ラッチ４３０及びネジ４２５が隠蔽される。
【０１９７】
また、図３１及び図３２（ｂ）に示されるように、上下の傾斜面部３６７、３９０及び傾斜面部３６７と傾斜面部３９０との間の側壁３８２ｃ外面の一部により構成される第２封印シール貼着部には、第２封印シール４２７が貼着される。なお、この第２封印シール貼着部は、図３２（ｂ）に示されるように、上下の傾斜面部３６７、３９０により、下部ケース３５２の下端から上部ケース３５３の上端にかけて連続する平面状の貼着面が形成されるため、第２封印シール４２７を隙間のない密着状態で貼着することが出来、これにより剥離が困難とされている。これにより上下の傾斜面部３６７、３９０により形成された封印シール貼着面に第２封印シール４２７が剥離された痕跡が残りやすくなるため、不正行為が行われたことを発見しやすくなる。
【０１９８】
なお、これら第１封印シール４２６及び第２封印シール４２７は、表面に偽造が困難な模様等が印刷されているとともに、裏面には粘着性の高い粘着剤が塗布されており、一旦貼着すると剥離が極めて困難となるとともに、剥離されたときにはその痕跡が貼着面に確実に残るように構成されている。
【０１９９】
したがって、第１封印シール４２６が貼着されていることにより、第１封印シール４２６を破損しない限り、ラッチ４３０やネジ４２５を取り外すことは出来ないので、遊技制御基板ボックス３５０を基板取付部材３５１から取り外すことができない。つまり、第１封印シール４２６が破損していれば、遊技制御基板ボックス３５０がすり替えられて遊技制御基板ボックス３５０に収容される遊技制御基板５００に何らかの不正改造が行なわれた可能性もあることになり、不正の発見を容易に行なうことができる。
【０２００】
また、第２封印シール４２７が貼着されていることにより、第２封印シール４２７を破損しない限り、上部ケース３５３を下部ケース３５２から開放することは出来ない。つまり、第２封印シール４２７が破損していれば、上部ケース３５３が開放されて遊技制御基板ボックス３５０に収容される遊技制御基板５００に何らかの不正改造が行なわれた可能性もあることになり、不正の発見を容易に行なうことができる。
【０２０１】
以上説明したように、遊技制御基板ボックス３５０は、上部ケース３５３と下部ケース３５２との取付けに関連する取付け関連部位としてのワンウェイネジ４１０、カシメ用ボス３８６ａ、３８６ｂ、切断片３８９ａ、３８９ｂ、第２封印シール４２７等を破壊しない限り、上部ケース３５３を下部ケース３５２から開放することが出来ないため、不正行為が困難となるとともに、開放された際にはその痕跡が残るため、不正行為があったことを直ちに発見することが出来る。
【０２０２】
また、下部ケース３５２と上部ケース３５３との封止を、封止作業が容易な第１の封止手段である係止爪３８３ａと、不正行為がなされた場合において痕跡が残り得るように封止する第２の封止手段であるワンウェイネジ４１０と、により効率よく行うことが出来るとともに、これら係止爪３８３ａ及びワンウェイネジ４１０が上部ケース３５３の長辺部に設けられることで、例えば封止関連部位を破壊することなく上部ケース３５３の長辺部を撓ませて上部ケース３５３と下部ケース３５２との間に隙間を開けること等が困難となり、ケース外部から針金等の異物を差し込むこと等による遊技制御基板５００への不正行為を効果的に防止出来る。
【０２０３】
また、基板取付部材３５１に遊技制御基板ボックス３５０が取り付けられた状態において、例えば取付手段であるラッチ４３０やネジ４２５が下部ケース３５２に設けられている場合には係止爪３８３ａ及びワンウェイネジ４１０による封止が解除されると上部ケース３５３が開封する可能性があるが、ラッチ４３０やネジ４２５が上部ケース３５３に設けられることで、仮に係止爪３８３ａ及びワンウェイネジ４１０による封止が解除されてもラッチ４３０及びネジ４２５や係止被覆片３９４ａ、３９４ｂによる取付作用により上部ケース３５３が開封することがないばかりか、さらにラッチ４３０及びネジ４２５や係止片３９４ａ、３９４ｂが上部ケース３５３の短辺部に設けられることで、上部ケース３５３全体を偏りなく封止することが出来るので、上部ケース３５３を開封させることによる不正行為を効果的に防止することが出来る。
【０２０４】
また、遊技制御基板ボックス３５０は、遊技制御基板ボックス３５０と基板取付部材３５１との取付けに関連する取付け関連部位としての係止被覆片３９４ａ、３９４ｂや第１封印シール４２６等を破壊しない限り、基板取付部材３５１から取り外すことが出来ないため、不正行為が困難となるとともに、取り外された際にはその痕跡が残るため、不正行為があったことを直ちに発見することが出来る。
【０２０５】
また、遊技制御基板ボックス３５０を構成する上部ケース３５３及び下部ケース３５２は透明な合成樹脂により全体が透明部にて構成されているため、内部に収容された遊技制御基板５００の特に制御手段としてのＣＰＵ等に不正な改造が施されていないかどうかを、下部ケース３５２から上部ケース３５３を開放しない状態で外部から確認することが出来るため、不正行為を直ちに発見できる。
【０２０６】
さらに、基板取付部材３５１も透明な合成樹脂により全体が透明部にて構成されているため、遊技制御基板ボックス３５０を背板１５３に取り付けた状態において、筐体２の外部から、基板取付用開口１５４及び基板取付部材３５１を通して遊技制御基板ボックス３５０の状態を確認することが出来るため、不正行為を直ちに発見できる。
【０２０７】
また、本実施例においては、遊技に関連する制御を行う制御手段としての遊技制御基板５００を収容する遊技制御基板ボックス３５０を、筐体２内に設けた凹部に入り込むように配設していたが、例えば収容ケース内に収容した状態で筐体２内に配設する回路基板は、遊技に関連する制御を行う制御手段の他の一例である制御部（図示略）が設けられた演出制御基板５０１等を収容した収容ケース等を、遊技制御基板５００と同様の方法にて筐体２内に配設するようにしてもよい。
【０２０８】
次に、本実施例におけるスロットマシン１の可変表示装置を構成するリールユニット５０の詳細を、図３３〜図２２に基づいて説明する。図３３はリールユニット５０を斜め前方からみた斜視図であり、図３４はリールユニットを示す分解斜視図であり、図３５はリール体を示す分解斜視図であり、図３６はリールモータ５４Ｌを示す斜視図であり、図３７（ａ）は取付板６０５のリールモータ５４Ｌへの取付状態を示す図であり、（ｂ）は（ａ）のリールモータ５４Ｌの底面図であり、図３８（ａ）はリール保持枠６５６を示す縦断面図であり、（ｂ）はリール保持枠６５６を示す側面図であり、図３９（ａ）はリール保持枠６５７を示す縦断面図であり、（ｂ）はリール保持枠６５７を示す側面図であり、図４０は支持板６００Ｌとランプユニット６０１との関係を示す斜視図であり、図４１（ａ）（ｂ）はランプユニット６０１の支持板６００Ｌへの取付状態を示す側面図であり、図４２は支持板を示す側面図であり、図４３（ａ）は図４２のＡ−Ａ断面図であり、（ｂ）（ｃ）は（ａ）の要部拡大図であり、図４４（ａ）はリール収容箱体を示す正面図であり、（ｂ）は（ａ）のＡ−Ａ断面図であり、図４５はリール収容箱体を斜め後方から見た斜視図であり、図４６はリール体をリール収容箱体に組み付ける状態を示す概略図であり、図４７（ａ）は支持板６００Ｌをリール収容箱体５２内部に組み付ける状態を示す断面図であり、（ｂ）は支持板６００Ｌがリール収容箱体５２内部に組み付けられた状態の要部を示す断面図であり、図４８（ａ）はリール収容箱体５２を背板１５３に取り付ける状態を示す側面図であり、（ｂ）は（ａ）の要部を示す拡大図である。
【０２０９】
（２−２４）リールユニット
リールユニット５０は、３個のリール５１Ｌ、５１Ｃ、５１Ｒと、これらリール５１Ｌ、５１Ｃ、５１Ｒを横並び状態に並設するためのリール収容箱体５２と、から主に構成されており、各リール５１Ｌ、５１Ｃ、５１Ｒは、図３４に示されるように、リール収容箱体５２に着脱自在に設けられる。
【０２１０】
リール収容箱体５２は、ＡＢＳ樹脂により前面が開口する箱状に形成され、リール中継基板５０３及びリールランプ中継基板５０４、リールランプ中継基板５０４を固定するための基板固定爪４９５ａ、４９５ｂ及び該基板固定爪４９５ａ、４９５ｂを回動自在に取り付けるための固定爪取付片４９７ａ、４９７ｂ、リール収容箱体５２を背板１５３に取り付けるための固定片４５２ａ、４５２ｂ及び係止片４５１が取り付けられる。
【０２１１】
（２−２５）リール中継基板
リール中継基板５０３は、図３４に示されるように、リール収容箱体５２との対向面（前面側）に、リール収容箱体５２内に組み付けられた各リール５１Ｌ、５１Ｃ、５１Ｒ側に設けられたコネクタ６８６（図４７参照）にそれぞれ接続される３個のコネクタ５６５Ｌ、５６５Ｃ、５６５Ｒが前向きに実装されているとともに、遊技制御基板５００に接続されるケーブルが接続されるコネクタ５６６が上向きに実装されている。周縁部には６個のネジ穴５６７が所定間隔おきに形成されており、このネジ穴５６７にネジ５６８を止着することでリール収容箱体５２の背面上部に固定される。
【０２１２】
（２−２６）リールランプ中継基板
リールランプ中継基板５０４は、図３４に示されるように、リール収容箱体５２との対向面（下面側）に、リール収容箱体５２内に組み付けられた各リール５１Ｌ、５１Ｃ、５１Ｒ側に設けられたコネクタ６８８（図４７参照）にそれぞれ接続される３個のコネクタ５６９Ｌ、５６９Ｃ、５６９Ｒが前向きに実装されているとともに、反対側面には、前記演出用中継基板５０９に接続されるケーブルが接続されるコネクタ５７０が上向きに実装されている。また、基板における前記基板固定爪４９５ａ、４９５ｂに対応する箇所には切欠部５７１ａ、５７１ｂが形成されている。
【０２１３】
（２−２７）各種金属材
係止片４５１は、前記リールユニット係止片１７５に係止されるもので横長の金属板にて構成されており、幅方向の中央部にて屈曲された上片部にはネジ穴５７２が長手方向に向かって所定間隔おきに３個形成されており、これらネジ穴５７２にネジ５７３を止着することでリール収容箱体５２の背面に取り付けられる。また、各ネジ穴５７２間には、リール収容箱体５２の位置決め用ボス４７１（図４５参照）が嵌合される位置決め穴５７４が形成されている。
【０２１４】
固定片４５２ａ、４５２ｂは、前記リールユニット取付片１７４に当接して固定されるもので金属片にて構成されており、その上部は後向きにやや屈曲されているとともに、その下部には２個のネジ穴５７５ａ、５７５ｂが上下に形成されており、それぞれのネジ穴５７５ａ、５７５ｂにネジ５７６ａ、５７６ｂをそれぞれ止着することでリール収容箱体５２の背面に取り付けられる。上下のネジ穴５７５ａ及びネジ穴５７５ｂ間には、リール収容箱体５２の位置決め用ボス４５８ａ、４５８ｂが嵌合される位置決め穴５７７ａ、５７７ｂが形成されている。
【０２１５】
固定爪取付片４９７ａ、４９７ｂは、側面視略逆Ｌ字状に屈曲された金属片にて構成されており、その下片部にはネジ穴５７８ａ、５７８ｂが形成されており、それぞれのネジ穴５７８ａ、５７８ｂにネジ５８０ａ、５８０ｂをそれぞれ止着することでリール収容箱体５２の背面に取り付けられる。ネジ穴５７８ａ、５７８ｂの下方には、リール収容箱体５２の位置決め用ボス４６０ａ、４６０ｂ（４６０ｂは図示略）が嵌合される位置決め穴５７９ａ、５７９ｂが形成されている。上片部には、基板固定爪４９５ａ、４９５ｂを回転自在に支持するネジ５８１ａ、５８１ｂが螺入されるネジ穴５８２ａ、５８２ｂが形成されている。
【０２１６】
次に、各リール５１Ｌ、５１Ｃ、５１Ｒを含むリール体の構成及び各部部材の構造を図３５〜図４７に基づいて説明する。なお、本実施例におけるリール５１Ｌ、５１Ｃ、５１Ｒの取付け構造は全てほぼ同一であるため、図３５〜図４７ではリール５１Ｌを含むリール体の構成及び各部材の構造のみを説明することによりリール５１Ｃ、５１Ｒを含むリール体の詳細な説明は省略するものとする。
【０２１７】
（２−２８）支持板
図３５における６００Ｌは、リール５１Ｌを回転自在に支持するリールモータ５４Ｌを取り付けるためのＡＢＳ樹脂製の支持板であり、この支持板６００Ｌの上下の取付片６００ａ、６００ｂに形成された孔部６０２内に取り付けたラッチ６２０を介して前記リール収容箱体５２に固定することで、リール５１Ｌをリール収容箱体５２内に組み付けることが出来るようになっている。
【０２１８】
支持板６００Ｌの前方には、隣接配置されるリール同士の間を閉塞する円弧状のリール間隠蔽部５３が支持板６００Ｌに一体的に形成されている。リール間隠蔽部５３の近傍には、３つのリールランプ５５Ｌａ〜５５Ｌｃが上、中、下段にそれぞれ区画して収容されるランプユニット６０１が挿通される開口部６８０が開成されており、後述する係止手段を介して着脱自在に取付けられるようになっている。支持板６００Ｌの内面６００ｃ（リール５１Ｌの配置側面）における略中央位置には、リールモータ５４Ｌを固定するためのモータ取付部６１３が形成されている。
【０２１９】
このモータ取付部６１３には、リールモータ５４Ｌの台座６４１の周囲を囲むように保持する四角状の枠条６０７と、リールモータ５４Ｌの取付け位置を決定する駆動モータ位置決め手段としての凸部６０６と、リールモータ５４Ｌを取り付けるためのネジ６０３を挿通するための挿通孔６０８と、回転軸６０４の後端との干渉を避けるための穴部６０９が形成されている。
【０２２０】
内面６００ｃの後方上部には、リールモータ５４Ｌ及びリールセンサ５６Ｌから延設されるケーブルが接続されるとともに、前記リール中継基板５０３のコネクタ５６５Ｌ、５６５Ｃ、５６５Ｒに接続されるコネクタ６８６を有するリール信号基板６８７と、リールランプ５５Ｌａ〜５５Ｌｃから延設されるケーブルが接続されるとともに、前記リールランプ中継基板５０４に接続するためのコネクタ６８８を有するリールランプ信号基板６８９が取り付けられており、これらコネクタ６８６、６８８は、支持板６００Ｌをリール収容箱体５２内に組み付けた際にそれぞれの基板に設けられたコネクタに接続されるようになっている。
【０２２１】
詳しくは、図４２及び図４７（ｂ）に示されるように、リール信号基板６８７は、支持板６００Ｌの内面６００ｃに突設された位置決め用ボス４８３が挿通する位置決め孔４８４が一方の対角線上の角部に２つ形成されているとともに、支持板６００Ｌの内面６００ｃに突設された段付きのボス４８６が嵌合される嵌合孔４８５が他方の対角線上の角部に２つ形成されている。リール信号基板６８７は、位置決め孔４８４内に位置決め用ボス４８３を挿通して位置決めした状態で嵌合孔４８５にボス４８６を嵌合することで、嵌合孔４８５の周縁部がボス４８６の外周面先端部に形成された係止部（図示略）に係止されて支持板６００Ｌに取り付けられるようになっている。
【０２２２】
また、リールランプ信号基板６８９には、支持板６００Ｌの内面６００ｃに突設された位置決め用ボス４７９が挿通する位置決め孔４８０が対角線上に２つ形成されているとともに、支持板６００Ｌの側面に突設された段付きのボス４８１が嵌合される嵌合孔４８２が２つ形成されている。リールランプ信号基板６８９は、位置決め孔４８０内に位置決め用ボス４７９を挿通して位置決めした状態で嵌合孔４８２にボス４８１を嵌合することで、嵌合孔４８２の周縁部がボス４８１の外周面先端部に形成された係止部（図示略）に係止されて支持板６００Ｌに取り付けられるようになっている。
【０２２３】
これら位置決め孔４８０、４８４の内径は位置決め用ボス４７９、４８３の外径よりも若干大径に形成されているとともに、嵌合孔４８２、４８５の内径はボス４８１、４８６の外径よりも若干大径に形成されている。これによりリール信号基板６８７及びリールランプ信号基板６８９は、取り付け時において支持板６００Ｌの側面に対して平行方向に若干移動自在となっており、リール５１Ｌの駆動開始や駆動停止時等において支持板６００Ｌに発生する振動が直に伝達されないので、振動によるリール信号基板６８７及びリールランプ信号基板６８９内での断線や振動音の発生等が防止されるようになっている。
【０２２４】
支持板６００Ｌの後端には、リール収容箱体５２に形成された後述する案内凹部４５９Ｌ内に差し込まれる差込部６９０が後方に膨出するように形成されているとともに、差込部６９０の所定箇所には後述する規制片４６１が挿入される後向きに開放する細溝６９１が形成されている。また、後端上部には、支持板６００Ｌの後端上部をリール収容箱体５２に形成された後述する案内凹部４５９Ｌ内に差し込まれるように案内する平面視略三角形状の案内片６９２が後向きに突設されている。また、支持板６００Ｌの所定箇所には、軽量化のための穴部６８５が３箇所に形成されている。
【０２２５】
（２−２９）リールモータ
リールモータ５４Ｌは、図３６及び図３７に示されるように、本体部６４０の下部には、支持板６００Ｌに取り付けるためのネジ６０３が螺入されるネジ孔６４２が四隅に形成された台座６４１が設けられており、この台座６４１の裏面における所定箇所には、前述したモータ取付部６１３所定箇所に内向きに突設された凸部６０６に嵌合する嵌合孔部６４３が形成されている（図３７（ｂ）参照）。
【０２２６】
リールモータ５４Ｌは、この嵌合孔部６４３内に凸部６０６が嵌合されるように、台座６４１を枠条６０７内にはめ込んだ状態で、支持板６００Ｌの外面６００ｄ（内面６００ｃの反対面）側から挿通孔６０８内に挿通したネジ６０３をネジ孔６４２内に螺入することで、支持板６００Ｌの内面６００ｃに取り付けられるようになっている。支持板６００Ｌの内面６００ｃに形成された凸部６０６と台座６４１の裏面に形成された嵌合孔部６４３とによりリールモータ５４Ｌの位置決め手段が構成されているため、リールモータ５４Ｌを正確な位置に取り付けることが出来る。
【０２２７】
リールモータ５４Ｌの本体部６４０における回転軸６０４側の端面部には、リールセンサ５６Ｌを設けるための取付板６０５が取り付けられている。取付板６０５は、図３６及び図３７に示されるように、一方の端部に切欠部６４４が形成されており、特に図３７（ａ）に示されるように、リールモータ５４Ｌの回転軸６０４の側方から差し込むことが出来るようになっているとともに、切欠部６４４の周囲には、本体部６４０の上部端面に形成された図示しないネジ孔内に螺合する取付けネジ６４５を挿通するための取付部としての挿通孔６４６が４箇所形成されている。
【０２２８】
切欠部６４４の反対側端部近傍には、リールセンサ５６Ｌを取り付けるための開口６４７ａ、６４７ｂが形成されているとともに、その近傍にはリールセンサ５６Ｌから延出されるケーブルを挿通するための挿通孔６４８が形成されている。なお、６４９はケーブルを押さえるための押さえ片である。
【０２２９】
リールセンサ５６Ｌは、特に図４３（ｂ）に示されるように、本体部６５０の上部に透光部５６Ｌａ及び受光部５６Ｌｂが設けられるとともに、本体部６５０の下面四隅からは脚片６５１、６５２がそれぞれ下向きに連設されている。脚片６５１、６５２はそれぞれ合成樹脂材により弾性変形自在に形成されており、脚片６５１の先端には開口６４７ａ周縁部に係止される係止爪６５１ａが形成されているとともに、脚片６５２の先端には開口６４７ｂ周縁部に係止される係止爪６５２ａが形成されており、リールセンサ５６Ｌを取付板６０５の上方から下降させることによりそれぞれの脚片６５１、６５２が弾性変形して係止爪６５１ａ、６５２ａが開口６４７ａ、６４７ｂそれぞれの周縁部に係止され、脚片６５１、６５２の弾性復帰力によって取付板６０５に取り付けられるようになっている。なお、係止爪６５１ａ、６５２ａはそれぞれ異なる向きに形成されているので、前後左右方向のずれが効果的に防止されている。
【０２３０】
リールモータ５４Ｌの本体部６４０から突出した回転軸６０４の先端には、リール５１Ｌを相対回動不能に固定するための円盤状の回転板６１０（回動板）が固定されている。この回転板６１０は、材質が亜鉛ダイキャストからなり、その中心に回転軸６０４とほぼ同径をなす貫通路６１１が形成される円板部６１０ａと、円板部６１０ａの外周端縁から環状に連設される環状片６１０ｂとから構成されている。
【０２３１】
円板部６１０ａにおけるリールモータ５４Ｌの反対側面には、リール５１Ｌを固定するための固定ネジ６１４が螺合するネジ孔６１５が、円板部６１０ａの中心部を中心とする同心円上に４箇所形成されているとともに、リール５１Ｌを固定する際の位置決め手段となる位置決めピン６１６ａ、６１６ｂが、円板６１０ａの中心部を挟んで対向するように、かつ、前記中心部からの距離がそれぞれ異なる位置に突設されている。
【０２３２】
円板部６１０ａの周縁部近傍には大径穴６５３が８つ、その内側には小径穴６５４が４つ形成されている。これら複数の穴が形成されていることにより、金属材からなる回転板６１０が軽量となってリールモータ５４Ｌの駆動負担が軽減されるとともに、製造コストを低減出来る。また、リールモータ５４Ｌにて発生した熱が効果的に放熱されるようになっている。なお、これら穴のうち、４つの小径穴６５４は、図３７（ａ）に示されるように、回転板６１０を所定の向きで停止させた際に、取付板６０５をリールモータ５４Ｌの本体部６４０に取り付けるための取付部（取付けネジ６４５）の直上に位置するようになっているため、回転軸６０４に回転板６１０が取り付けられた状態にあっても、ドライバー等を挿通してその下方の取付けネジ６４５の取付け、取り外しを目視にて確認しながら行うことが出来るため、取付板６０５、ひいてはリールセンサ５６Ｌのリールモータ５４Ｌに対する着脱を、回転板６１０が回転軸６０４に固定された状態でも容易に行うことが出来る。
【０２３３】
このように構成される回転板６１０は、工場からの出荷時において予め回転軸６０４に圧入することにより回転軸６０４に対して相対回転不能に固定されている。そして回転軸６０４に固定された状態において、特に図４３に示されるように、環状片６１０ｂの一部がリールセンサ５６Ｌにおける投光部５６Ｌａと受光部５６Ｌｂとの間に位置するようになっており、環状片６１０ｂの所定箇所に形成された回転基準位置検出部を構成する切欠部６１７が投光部５６Ｌａと受光部５６Ｌｂとの間を通過することにより、回転板６１０、すなわち、リール５１Ｌの回転基準位置が検出されるようになっている。
【０２３４】
なお、回転軸６０４とリール５１Ｌとが確実に相対回転不能に固定されていないと、リール５１Ｌの周面に配置される図柄の停止位置ずれ等が発生することがあるため、本実施例においては、リール５１Ｌを固定するための回転板６１０を回転軸６０４に対して圧入することにより回転軸６０４と回転板６１０とを相対回転不能に固定しているが、例えば回転軸６０４とリール５１Ｌとの相対回転を不能に固定するために、予め回転軸６０４と回転板６１０とを一体成形により構成してもよい。
【０２３５】
また、本実施例においては、回転板６１０の回転軸６０４への取付けはリールモータ５４Ｌを励磁させた状態で行われている。これは、リール５１Ｌの回転基準位置検出部である切欠部６１７が回転板６１０に形成されているためである。詳しく説明すると、本実施例におけるリールモータ５４Ｌはステッピングモータであるため、回転板６１０を回転軸６０４へ固定する際において、リールモータ５４Ｌの回転軸６０４が励磁された状態における所定の停止位置（ステップ数に応じた停止位置）から若干ずれた位置にて停止されている状態で回転板６１０が取り付けられると、このような固定位置の微量のずれにより、リールモータ５１Ｌを駆動させてリール５１Ｌを回転させた際において、リールセンサ５６Ｌによる切欠部６１７の検出位置に若干のずれが発生して、リール５１Ｌの回転基準位置を正確に検出出来なくなることがあるからである。
【０２３６】
なお、本実施例におけるリールモータ５４Ｌは、４相のステッピングモータが使用されており、１相励磁の時に２００ステップであるのを１−２相励磁方式にて使用することで、プログラム上では４００ステップとなってスムーズに回転するようになっている。前述したように、本実施例における図柄は各リールシート６５５に２０個ずつ配置されているので、図柄の配置数に対してモータのステップ数が整数倍とされていることから、１図柄に対応するステップ数が均等に割り振られている（本実施例では１図柄に対して２０ステップ）。よって、図柄の停止位置のずれ等が効果的に防止されるため、例えば複数のリール５１Ｌ、５１Ｃ、５１Ｒが図３３に示されるように並設された状態において、各リール５１Ｌ、５１Ｃ、５１Ｒの図柄が横並びに整列する状態で停止させることが出来る。
【０２３７】
また、この励磁方式による基本励磁パターンは４ステップからなっており、この基本励磁パターンが繰り返されることにより回転軸６０４を回転させるようになっている。前述した切欠部６１７の検出方向の幅寸法Ｐ１は、この基本励磁パターン分に相当するステップ数である４ステップ分に相当する幅寸法に形成されているため、回転基準位置の検出を、リールセンサ５６Ｌによる切欠部６１７の検出と基本励磁パターンとで行う場合にも対応して使用することも可能である。
【０２３８】
（２−３０）リール
リール５１Ｒは、識別情報としての複数種の図柄が外方から視認可能となるように印刷等により配置された帯状のリールシート６５５と、このリールシート６５５の両端縁部をそれぞれ環状に保持する互いに別個に形成される一対の保持枠６５６、６５７とから構成されている。なお、本実施例におけるリールシート６５５は、厚さが約０．５ｍｍのＰＥＴ樹脂材により薄肉の帯状に成形されており、また、保持枠６５６、６５７は、ＡＢＳ樹脂材により成形されているがこれら材質は特に限定されるものではない。
【０２３９】
保持枠６５６は、図３８に示されるように、リールシート６５５の一端縁部が外周面に貼着される環状片６５８と、回転軸６０４に対して回転不能に固定された回転板６１０に固定するための固定部を構成する円板状の固定板６５９と、この固定板６５９と環状片６５８とを連結するように放射線状に設けられる複数のスポーク片６６０と、から、リールモータ５４Ｌに固定するための駆動保持枠として構成されている。なお、本実施例においては、これら固定板６５９、スポーク片６６０、環状片６５８を主にそれぞれ厚さ約１〜１．５ｍｍの薄肉の板材にて全体を枠状に形成するとともに、要所に補強用のリブを形成することで軽量化が図られている。
【０２４０】
固定板６５９の中心には、回転軸６０４が嵌合される嵌合穴６６１が形成されているとともに、その周囲には、固定ネジ６１４の挿通孔６６２、及び位置決めピン６１６ａ、６１６ｂが挿通される挿通長穴６６３ａ、６６３ｂが形成されている。この挿通長穴６６３ａ、６６３ｂは、回転板６１０に突設された位置決めピン６１６ａ、６１６ｂにそれぞれ対応する箇所に形成されている。これら回動式可変表示体位置決め手段を構成する挿通長穴６６３ａ、６６３ｂ（位置決めピン６１６ａ、６１６ｂ）は、図３７（ａ）に示されるように固定板６５９の中心Ｏからそれぞれの挿通長穴６６３ａ、６６３ｂまでの距離が異なる位置に形成されている（Ｐ２＞Ｐ３）。これにより円形の保持枠６５６を回転板６１０に対して常に所定の向きで取り付けることが出来るようになっている。
【０２４１】
また、固定板６５９と環状片６５８とが複数のスポーク片６６０により連結されていることにより保持枠６５６の軽量化が図られているとともに、各スポーク片６６０は、固定板６５９から環状片６５８側に向かうに従い先細りとなるように形成されているため、回転軸６０４の固定部となる固定板６５９側の強度が高く、かつ、保持枠６５６の外周付近が軽量化されて、保持枠６５６の回転時における慣性モーメントが極力小さくなるように形成されている。
【０２４２】
環状片６５８は、図３８（ｂ）に示されるように、断面略Ｔ字状に形成されており、その外周面６５８ａには、リールシート６５５における幅方向の一端縁部裏面が高粘着性の両面テープ材等を介して貼着されている。また、環状片６５８の一側面所定箇所には、図中に示されるように、リールシート６５５の貼着基準位置を示す基準位置表示部としての基準マークＭが設けられており、リールシート６５５を保持枠６５６、６５７に貼着する際において、この基準マークＭにリールシート６５５の長手方向の一端部を合わせることで、保持枠６５６、６５７に対してリールシート６５５を常に一定の位置から貼着することが出来るようになっている。よって、この基準マークＭの位置がリールシート６５５の継ぎ目となる。
【０２４３】
他方の保持枠６５７は、図３９（ｂ）に示されるように断面が略Ｔ字状をなすとともに、環状に形成されるＡＢＳ樹脂材のみからなり、その外周面６５７ａには、リールシート６５５における幅方向の一端縁部裏面が高粘着性の両面テープ材等を介して貼着されている。
【０２４４】
このように本実施例におけるリール５１Ｌ、５１Ｃ、５１Ｒは複数種の図柄が表面に複数配置された帯状のリールシート６５５と、該リールシート６５５の両端縁部を環状に保持する一対の保持枠６５６、６５７と、からなり、リールシート６５５の両端縁部を、それぞれの枠状の保持枠６５６、６５７の外周面に両面テープ材等によりそれぞれ貼着することにより一体化されている。
【０２４５】
このように構成されたリール５１Ｌとリールモータ５４Ｌとの固定方法を図３５及び図４３に基づいて説明する。
【０２４６】
リール５１Ｌをリールモータ５４Ｌに取り付ける場合、回転軸６０４に予め固定された回転板６１０に、保持枠６５６の固定板６５９を取り付ける。詳しくは、固定板６５９の嵌合穴６６１内に回転板６１０から突出された回転軸６０４を嵌合するとともに、挿通長穴６６３ａ内に位置決めピン６１６ａを、かつ、挿通長穴６６３ｂ内に位置決めピン６１６ｂを挿通させるようにして回転板６１０に固定板６５９を当接させる。
【０２４７】
この状態で、固定ネジ６１４を各挿通孔６６２内に挿通し、回転板６１０のネジ孔６１５内にそれぞれ螺入する。これにより、回転板６１０と固定板６５９とは、複数の固定ネジ６１４による取付け作用と位置決めピン６１６ａ、６１６ｂ及び挿通長穴６６３ａ、６６３ｂによる嵌合作用によって回動不能に固定される。よって、リール５１Ｌは保持枠６５６を介して回転板６１０、ひいてはリールモータ５４Ｌの回転軸６０４に対して相対回動不能に固定される。
【０２４８】
以上説明したように、本実施例におけるリール５１Ｌ（５１Ｃ、５１Ｒ）の回動基準位置を検出するための回動基準位置検出部である切欠部６１７が、リール５１Ｌを回転軸６０４に固定するための回転板６１０自体に形成されていることにより、リール５１Ｌの成型精度や回転軸６０４に対する取付け精度に影響されることなく、かつ、リール５１Ｌの回動に応じた回動基準位置の検出が行われるため、回転軸６０４の回転とリール５１Ｌの回転とのずれによる図柄の停止位置のずれが効果的に防止される。
【０２４９】
また、回転板６１０に形成された小径穴６５４を取付けネジ６４５の直上に位置させることで、回転板６１０の上方から取付けネジ６４５をドライバー等で取り付けたり取り外すことが出来るようになっているので、回転軸６０４に回転板６１０が固定された状態でも、取付板６０５をリールモータ５４Ｌの本体部６４０に対して着脱することが出来るため、リールモータ５４Ｌだけの製造が可能となる。
【０２５０】
また、回動基準位置検出部としての切欠部６１７を、回転板６１０における外周縁部の環状片６１０ｂの所定箇所に形成することで、環状片６１０ｂの内側における回転軸６０４の近傍に切欠部６１７を設ける場合よりも、回転軸６０４の１ステップに対応する移動距離が長くなり、これにより回転基準位置の検出誤差の許容範囲を大きくとれることになるので、リールセンサ５６Ｌによる検出精度が高まることが好ましいが、回転軸６０４からの距離が長くなり過ぎると、切欠部６１７が大きくなって回転板６１０の強度が低下したり、回転板６１０の回動時に生じるぶれ等の要因により検出精度が低下しやすくなるため、切欠部６１７は回転軸６０４から適宜距離離間した位置に形成することが好ましい。
【０２５１】
（２−３１）ランプユニット
支持板６００Ｌに回動自在に取り付けられるリール５１Ｌにおける前述した可変表示部に対応する領域、すなわち、透視窓１４を通して遊技者が図柄を視認可能となる視認領域を後面側から個別に照射可能な複数のリールランプ５５Ｌａ〜５５Ｌｃが設けられるランプユニット６０１の詳細を説明する。
【０２５２】
ランプユニット６０１は、図４０及び図４１に示されるように、リールランプ５５Ｌａ〜５５Ｌｃが配置される本体部６７０と、本体部６７０を支持板６００Ｌに取り付けるための取付部６７１とから主に構成されている。本体部６７０の前部には、図３５に示されるように、それぞれ前方に開口するとともに、上・中・下段それぞれに区画された区画室６７２ａ、６７２ｂ、６７２ｃが形成されている。これら区画室６７２ａ、６７２ｂ、６７２ｃそれぞれの後壁には、後方に設けられるランプ基板６７３の前面における上・中・下段にそれぞれ１個ずつ取り付けられたリールランプ５５Ｌａ〜５５Ｌｃを前方に前方に臨ませるための横長の長穴６７４ａ、６７４ｂ、６７４ｃがそれぞれ形成されている。
【０２５３】
本体部６７０の上端部には、先端に下向きの係止爪６７５ａが形成された弾性変形自在な係止片６７５が後向きに形成されているとともに、下端部には、先端に上向きの係止爪６６６ａが形成された弾性変形自在な係止片６６６が後向きに形成されており、これら上下の係止片６７５、６６６の係止爪６７５ａ、６６６ａにランプ基板６７３の上下端部を係止させることでランプ基板６７３を本体部６７０の後側に設けることが出来るようになっている。
【０２５４】
ランプ基板６７３が本体部６７０の後側に設けられることにより、各区画室６７２ａ、６７２ｂ、６７２ｃ内にリールランプ５５Ｌａ〜５５Ｌｃが配置される。各リールランプ５５Ｌａ〜５５Ｌｃは、それぞれ前後方向を向くように配置されるため、その前方に設けられるリールシート６５５の後面側が均等に照射される。本体部６７０における中央の区画室６７２ｂの側壁には、前面に上下方向を向く係合凹溝６７８が形成された突出部材６７９が、側方に向けて突設されている。
【０２５５】
また、取付部６７１は、本体部６７０の側方に前後方向を向くように形成されており、この取付部６７１の上端部には、側面視略上向きコ字状の係合片６７６が形成されているとともに、取付部６７１の下端部には、側面視略下向きコ字状の係合片６７７が形成されている。係合片６７６は、前片６７６ａと後片６７６ｂとを有しており、前片６７６ａと後片６７６ｂとは所定間隔離間して前後に形成されている。また、係合片６７７は、前片６７７ａと後片６７７ｂとを有しており、前片６７７ａと後片６７７ｂとは所定間隔離間して前後に形成されている。
【０２５６】
一方、支持板６００の開口部６８０は、本体部６７０を挿通可能な大きさに形成されており、その上端部には、幅寸法が前片６７６ａと後片６７６ｂとの間の隙間よりも小寸な下向きＬ字状の係合片６８１が形成されているとともに、下端部には、幅寸法が前片６７７ａと後片６７７ｂとの間の隙間よりも小寸な下向きＬ字状の係合片６８２が形成されている。また、後端部には、先端に外面６００ｄ側に突出する係止爪６８３ａが形成された弾性変形自在な係止片６８３が形成されている。
【０２５７】
このように構成されたランプユニット６０１は、図４０中矢印で示されるように、支持板６００Ｌの外面６００ｄ側、すなわち、リール５１Ｌの配置位置側と反対側から、前方に形成された開口部６８０内に本体部６７０を挿通することにより支持板６００Ｌの内面６００ｃ側、すなわち、リール５１Ｌの配置位置側に配置出来るようになっている。
【０２５８】
ここで支持板６００Ｌにランプユニット６０１を取り付ける場合を説明すると、まず図４０に示されるように、ランプ基板６７３が取り付けられたランプユニット６０１の本体部６７０を、支持板６００Ｌの外面６００ｄ側から開口部６８０内に挿通する。次いで、図４１（ａ）に示されるように、本体部６７０を開口部６８０内における後側に位置させ、上下の前片６７６ａ、６７７ａと後片６７６ｂ、６７７ｂとの間の隙間に係合片６８１、６８２を挿通させる。このとき、上下の前片６７６ａ、６７７ａと後片６７６ｂ、６７７ｂ、及び取付部６７１の後部が支持板６００の外面６００ｄに当接してそれ以上の挿通が規制される。
【０２５９】
この状態から、図４１（ａ）中矢印方向、すなわち、前方に向けてランプユニット６０１をスライド移動させると、図４１（ｂ）に示されるように、係合片６８１に後片６７６ｂが、また、係合片６８２に後片６７６ｂが係合して取付部６７１の支持板６００からの離脱が規制される。そして、突出部材６７９の前面に形成された係合凹溝６７８内に開口部６８０の湾曲状の前方端縁部が嵌合して前方移動が規制されるとともに、取付部６７１の後端部に係止爪６８３ａが弾性復帰力により係止され、後方移動も規制される。
【０２６０】
このようにランプユニット６０１は、これら係合片６７６、６７７／係合片６８１、６８２、係合凹溝６７８／開口部６８０の前端縁、係止爪６８３ａと取付部６７１の後端部、による係止作用によって、支持板６００に対して取り付け出来るようになっている。よって、ランプユニット６０１を支持板６００Ｌから取り外す場合は、係止片６８３ａを外面６００ｄ側から内向きに押し込んだ状態でランプユニット６０１を後退させ、上下の前片６７６ａ、６７７ａと後片６７６ｂ、６７７ｂとの間の隙間に係合片６８１、６８２が位置させれば、支持板６００Ｌの内面６００ｃ（図１１中裏面側）側に配置されていた本体部６７０を、外面６００ｄ側に容易に引き出して取り外すことが出来る。
【０２６１】
このようにランプユニット６０１は、弾性変形自在な係止爪等の係止手段（係合片６７６、６７７／係合片６８１、６８２、係合凹溝６７８／開口部６８０の前端縁、係止爪６８３ａと取付部６７１の後端部）を介して支持板６００Ｌに対して着脱自在に取り付けられているため、ランプユニット６０１の支持板６００Ｌからの着脱を、ドライバー等によりネジ固定などをすることなく、手作業で容易に行うことが出来るため、着脱作業を容易に行うことが出来る。
【０２６２】
また、図４０及び図４３に示されるように、ランプユニット６０１の本体部６７０は、リール５１Ｌのリールシート６５５の後面をリールランプ５５Ｌａ〜５５Ｌｃにて後方から照射できるように、支持板６００Ｌの内面６００ｃ側であるリール５１Ｌの内部に配置されるため、前方の図柄を後方から均一に照射することが出来る。また、リールランプ５５Ｌａ〜５５Ｌｃは各区画室６７２ａ、６７２ｂ、６７２ｃ内に配置されるため、前方の上・中・下段にそれぞれ停止される図柄をそれぞれ個別に照射することが出来るばかりか、各区画室６７２ａ、６７２ｂ、６７２ｃを全体的に均一に明るく照射することが出来るため、演出効果が向上する。
【０２６３】
また、ランプユニット６０１の本体部６７０は、支持板６００Ｌに形成された開口部６８０を介して、リール５１Ｌの回動軸心方向に向けて抜き差し出来るようになっているとともに、係止爪６８３ａが外面６００ｄ側に設けられており、支持板６００Ｌの外面６００ｄ側にて前述した係止手段の係止及び解除作業を行うことで着脱出来るため、リール５１Ｌが支持板６００Ｌに回動自在に設けられている状態においても、リール５１Ｌを支持板６００Ｌから取り外したりすることなく、かつ、支持板６００Ｌにおけるリール５１Ｌの配置位置の反対側から、配置されたリール５１Ｌに干渉することなく、開口部６８０を介して容易に着脱してリールランプ５５Ｌａ〜５５Ｌｃを交換することが出来る。
【０２６４】
このように、リール５１Ｌ及びリールモータ５４Ｌ、ランプユニット６０１が固設される支持板６００Ｌからなるリール体は、図３３に示されるように、リール収容箱体５２内に横並び状態で組み込まれる。このとき、特に図４３に示されるように、互いに所定距離離間するように隣り合って配置される各リール５１Ｌ、５１Ｃ、５１Ｒ間には、各支持板６００Ｌ、６００Ｃ、６００Ｒの前方に一体的に形成されたリール間隠蔽部５３が配置される。詳しくは、図４３（ｃ）に示されるように、リール間隠蔽部５３は、その幅方向の端部とリールシート６５５の端部とが互いに所定幅分重なり合うように（要部拡大図参照）、互いに隣り合うそれぞれのリールのリールシート６５５の裏面（内周面）側端部まで張り出すように設けられているため、リールシート６５５の表面における遊技者からの視認領域を狭めることなくリール５１Ｌ、５１Ｃ、５１Ｒ間を隠蔽することが出来る。よって、各リールシート６５５の表面を、幅方向に広く見せることが出来るため、リールシート６５５の表面に配置される図柄等を大きくするなどして視認性を高める等の自由度が向上するばかりか、リール隠蔽部５３が可変表示部内に大きく露呈して可変表示部の外観体裁が損なわれることを防止出来る。
【０２６５】
（２−３２）リール収容箱体
設置体としてのリール収容箱体５２は、図４４〜図４７に示されるように、ＡＢＳ樹脂材により前面が開口する箱状に構成されており、前述したように内部にリール５１Ｌ、５１Ｃ、５１Ｒの後部分を収容出来るようになっている。前面開口の周縁部に形成されたフランジ部４５６における上下部所定箇所には、支持板６００Ｌ、６００Ｃ、６００Ｒを設置位置にてリール収容箱体５２から離脱不能に固定するラッチ６２０を挿通する挿通穴４５７が所定間隔おきに複数形成されている。
【０２６６】
リール収容箱体５２を構成する後壁５２ａ内面所定箇所には、各支持板６００Ｌ、６００Ｃ、６００Ｒの組み付け時において、各支持板６００Ｌ、６００Ｃ、６００Ｒの前記差込部６９０が嵌合される縦長の案内凹部４５９Ｌ、４５９Ｃ、４５９Ｒが、前記各挿通穴４５７に対応するように所定間隔おきに複数形成されているとともに、各差込部６９０の前記細溝６９１内に差し込まれる規制片４６１が、各案内凹部４５９Ｌ、４５９Ｃ、４５９Ｒを横切るように後壁５２ａの左右方向にわたって形成されている。
【０２６７】
規制片４６１は、図４４（ｂ）に示されるように、その先端が案内凹部４５９Ｌ、４５９Ｃ、４５９Ｒ周辺の後壁５２ａの内面よりも前方に突出するように形成されているため、各支持板６００Ｌ、６００Ｃ、６００Ｒをリール収容箱体５２の内部に挿入した際においては、まず始めに細溝６９１内に規制片４６１が差し込まれて各支持板６００Ｌ、６００Ｃ、６００Ｒの上下方向の位置決めがなされた後、差込部６９０が案内凹部４５９Ｌ、４５９Ｃ、４５９Ｒ内に嵌合されることにより各支持板６００Ｌ、６００Ｃ、６００Ｒの左右方向の位置決めがなされるようになっている。その先端が案内凹部４５９Ｌ、４５９Ｃ、４５９Ｒ周辺の後壁５２ａの内面よりも前方に突出するように形成されているため、各支持板６００Ｌ、６００Ｃ、６００Ｒをリール収容箱体５２の内部に挿入した際においては、まず始めに細溝６９１内に規制片４６１が差し込まれて各支持板６００Ｌ、６００Ｃ、６００Ｒの上下方向の位置決めがなされた後、差込部６９０が案内凹部４５９Ｌ、４５９Ｃ、４５９Ｒ内に嵌合されることにより各支持板６００Ｌ、６００Ｃ、６００Ｒの左右方向の位置決めがなされるようになっている。
【０２６８】
設置体を構成する壁部としての底壁５２ｃの上面には、各リール５１Ｌ、５１Ｃ、５１Ｒを組み付ける際において、各支持板６００Ｌ、６００Ｃ、６００Ｒを後方の設置位置に向けて案内するとともに、組み付けられた状態における左右方向の位置ずれを当接規制する案内手段としての左右一対の案内規制片４６５Ｌ、４６５Ｃ、４６５Ｒ、４６６Ｌ、４６６Ｃ、４６６Ｒが、それぞれ案内凹部４５９Ｌ、４５９Ｃ、４５９Ｒに対応する位置に、互いに所定距離離間するように上向きに突設されており、底壁５２ｃの上面における両案内規制片４６５Ｌ、４６６Ｌ間、４６５Ｃ、４６６Ｃ間、４６５Ｒ、４６６Ｒ間には、底壁５２ｃの前後方向に向けて直線状に延びる支持板の設置用案内部６９５（図４６参照）が形成されている。
【０２６９】
すなわち、案内手段として底壁５２ｃの上面に突設された左右一対の案内規制片４６５Ｌ、４６５Ｃ、４６５Ｒ、４６６Ｌ、４６６Ｃ、４６６Ｒにより、支持板６００Ｌ、６００Ｃ、６００Ｒの下端辺を左右側から挟持するように当接規制して案内する案内壁が構成されている。
【０２７０】
詳しくは、一方の案内規制片４６５Ｌ、４６５Ｃ、４６５Ｒは、底壁５２ｄの後端から前端（支持板の差込側端部）まで延びるように形成され、他方の案内規制片４６６Ｌ、４６６Ｃ、４６６Ｒは、底壁５２ｄの後端から前端よりもやや後方の位置まで延びるように形成されている。すなわち、案内規制片４６６Ｌ、４６６Ｃ、４６６Ｒは案内規制片４６５Ｌ、４６５Ｃ、４６５Ｒよりも短寸であり、両案内規制片の前端部（支持板の差込側端部）の位置は前後方向にずれていることから、各案内規制片４６５Ｌ、４６５Ｃ、４６５Ｒにおける案内規制片４６６Ｌ、４６６Ｃ、４６６Ｒよりも前方に延設された部分、及びこの各案内規制片４６５Ｌ、４６５Ｃ、４６５Ｒにおける案内規制片４６６Ｌ、４６６Ｃ、４６６Ｒよりも前方に延設された部分と各案内規制片４６６Ｌ、４６６Ｃ、４６６Ｒの前端部との間に形成される空間が、これらが支持板６００Ｌ、６００Ｃ、６００Ｒの差込用案内部６９６（図４６参照）として機能するようになっている。
【０２７１】
また、これら案内規制片４６５Ｌ、４６５Ｃ、４６５Ｒ、４６６Ｌ、４６６Ｃ、４６６Ｒは、それぞれ前端部（支持板の前端部）に向かう従い幅方向の厚みが先細りになるように形成されていることで、案内規制片４６５Ｌ、４６６Ｌ間、及び４６５Ｃ、４６６Ｃ間、及び４６５Ｒ、４６５Ｒ間に形成される設置用案内部６９５の幅寸法が、それぞれ前端部に向かうに従い幅広となっているとともに、前述したように両案内規制片の前端部（支持板の差込側端部）の位置は前後方向にずれていることから、両案内規制片の前端部間が支持板の厚み幅寸法よりも幅広となっているため、支持板６００Ｌ、６００Ｃ、６００Ｒを設置用案内部６９５に差し込みやすくなっている。すなわち、両案内規制片の前端部間が、少なくとも支持板６００Ｌ、６００Ｃ、６００Ｒの差し込みが容易になる程度の幅を有するように両案内規制片の前端部における位置を前後方向にずらすことが好ましい。
【０２７２】
また、案内規制片４６５Ｌ、４６６Ｌ間、４６５Ｃ、４６６Ｃ間、４６５Ｒ、４６５Ｒ間に形成される設置用案内部６９５おける後端部側には、前方から後方に向かうに従い高くなる乗上げ片４６７Ｌ、４６７Ｃ、４６７Ｒが突設されており、案内規制片４６５Ｌ、４６６Ｌ間、４６５Ｃ、４６６Ｃ間、４６５Ｒ、４６５Ｒ間に挿入された支持板６００Ｌ、６００Ｃ、６００Ｒの後端が乗り上げてその後部が若干上昇されるようになっている。
【０２７３】
後壁５２ａの下方所定箇所には、案内凹部４５９Ｌ、４５９Ｃ、４５９Ｒよりも後方に膨出する当接部４６２が案内凹部４５９Ｌ及び４５９Ｃとを横切るように左右方向に形成されている。この当接部４６２の外面は、リール収容箱体５２を背板１５３に取り付けた際において背板１５３内面に当接する。
【０２７４】
後壁５２ａにおける各案内凹部４５９Ｌ、４５９Ｃ、４５９Ｒの上部から上壁５２ｂにかけて、上下方向を向く開口部４６３Ｌ、４６３Ｃ、４６３Ｒが形成されており、内部に組み付けられるリール５１Ｌ、５１Ｃ、５１Ｒや支持板６００Ｌ、６００Ｃ、６００Ｒの後部がリール収容箱体５２の外部から視認出来るようになっている。
【０２７５】
後壁５２ａの外面上部における左右両端側には、図４４（ｂ）及び図４５に示されるように、固定片取付部４６４ａ、４６４ｂがそれぞれ外方に膨出するように形成されている。この固定片取付部４６４ａ、４６４ｂの後面には、固定片４５２ａ、４５２ａ取付け用のネジ５７６ａ、５７６ｂ（図３４参照）が螺入されるネジ穴（図示略）が上下に形成されているとともに、これら上下のネジ穴（図示略）の間には、固定片４５２ａ、４５２ａの位置決め穴５７７ａに嵌合する位置決め用ボス４５８ａ、４５８ｂ（図４５参照）が後向きに突設されている。
【０２７６】
これら左右の固定片取付部４６４ａ、４６４ｂの間には、前記リール中継基板５０３を固定するためのネジ５６８が螺入されるネジ孔が形成された複数の基板取付ボス４７２（図４４（ｂ）参照）が後向きに形成されている。また、案内凹部４５９Ｌ、４５９Ｃの後面には、係止片４５１の位置決め穴５７４が嵌合される位置決め用ボス４７１が後向きに突設されている。
【０２７７】
リール収容箱体５２の後壁５２ａと上壁５２ｂとにおける開口部４６３Ｌの近傍及び開口部４６３Ｃ、４６３Ｒ間の２箇所には、外向きに開放する凹部４９６ａ、４９６ｂが形成されており、この凹部４９６ａ、４９６ｂには、前記リールランプ中継基板５０４を固定するための基板固定爪４９５ａ、４９５ｂを回動自在に支持するＬ字状の固定爪取付片４９７ａ、４９７ｂが取り付けられる。
【０２７８】
上壁５２ｂの前部所定箇所には、リール収容箱体５２の前面開口側から手を差し込むことが出来る把手部４７３が凹設されており、リール収容箱体５２を容易に持ち運び出来るようになっている。また、上壁５２ｂの上面における前記凹部４９６ａ、４９６ｂの前方には、上面に配置されるリールランプ中継基板５０４の下面を支持するリブ４７０がそれぞれ２本ずつ突設されている。
【０２７９】
また、各リール５１Ｌ、５１Ｃ、５１Ｒの後部との対向位置下方には、リールモータ５４Ｌ、５４Ｃ、５４Ｒからの熱を外部に放出するための放熱穴４６８が後壁５２ａから底壁５２ｃにかけてそれぞれ形成されている。また、後壁５２ａの左右側における上下方向略中央位置には、横長の放熱穴４６９がそれぞれ側壁５２ｄにかけて形成されている。
【０２８０】
このように、支持板６００Ｌ及び該支持板６００Ｌを組み付けるリール収容箱体５２がＡＢＳ樹脂材により軽量に構成されていることにより、リール５１Ｌ、５１Ｃ、５１Ｒの筐体２に対する着脱作業を容易に行うことが出来るとともに、リール５１Ｌ、５１Ｃ、５１Ｒが組み込まれたリール収容箱体５２の荷重が加わる係止片４５１や筐体２側のリールユニット係止片１７５が強固な金属材により形成されていることで耐久性が高められるため、リール収容箱体５２を確実に支持することが出来るばかりか、係脱により係止片４５１やリールユニット係止片１７５が破損してリール収容箱体５２が落下することがない。
【０２８１】
なお、支持板６００Ｌをリール収容箱体５２に組み付けた状態で固定する固定手段の一例であるラッチ６２０は、図３０に基づいて説明した遊技制御基板ボックス３５０を固定するラッチ４３０と同様のラッチが使用されているため、ここでの詳細な構造の説明は省略する。
【０２８２】
（２−３３）リール体のリール収容箱体への取付け
次に、このようにリール５１Ｌが回動自在に取り付けられた支持板６００Ｌのリール収容箱体５２内への着脱時における作用を図４６及び図４７に基づいて説明する。
【０２８３】
リール５１Ｌが回動自在に取り付けられた支持板６００Ｌをリール収容箱体５２内に組み付けるには、まず、支持板６００Ｌをリール収容箱体５２に組み付ける前の段階で、図４６及び図４７（ａ）に示されるように、上下の取付片６００ａ、６００ｂの孔部６０２内それぞれにラッチ６２０を予め前側から取り付けておく。
【０２８４】
次いで、ラッチ６２０が取り付けられた支持板６００Ｌを、リール収容箱体５２の案内凹部４５９Ｌが形成された位置に合わせた状態で前面側から内部に向けて差し込む。このとき、図４６に示されるように、案内規制片４６５Ｌ、４６５Ｃ、４６５Ｒ、４６６Ｌ、４６６Ｃ、４６６Ｒは、それぞれ前端部に行くに従い幅方向の厚みが先細りになるように形成されていることで、案内規制片４６５Ｌ、４６６Ｌ間、及び４６５Ｃ、４６６Ｃ間、及び４６５Ｒ、４６６Ｒ間の幅寸法が、前端部に向かうに従い幅広になるように形成されているとともに、両案内規制片の前端部の位置が前後方向にずれていることで案内規制片４６５Ｌ、４６５Ｃ、４６５Ｒの一側方が開放されて、各案内規制片４６５Ｌ、４６５Ｃ、４６５Ｒと各案内規制片４６６Ｌ、４６６Ｃ、４６６Ｒの前端部間が支持板６００Ｌ、６００Ｃ、６００Ｒの厚み幅寸法よりも幅広となるため、支持板６００Ｌ、６００Ｃ、６００Ｒを各案内規制片４６５Ｌ、４６６Ｌ間、４６５Ｃ、４６６Ｃ間、４６５Ｒ、４６５Ｒ間に容易に差し込むことが出来る。
【０２８５】
また、案内規制片４６６Ｌ、４６６Ｃ、４６６Ｒは案内規制片４６５Ｌ、４６５Ｃ、４６５Ｒよりも短寸であることで、それぞれの案内規制片４６５Ｌ、４６５Ｃ、４６５Ｒの前端部は一方向側（図中向かって右側）に向けて開放されるため、図４６中２点鎖線で示されるように、各リール５１Ｃ、５１Ｒを傾けて、リール５１Ｃ、５１Ｒの支持板６００Ｃ、６００Ｒの下端辺の後端をそれぞれに対応する案内規制片４６５Ｃ、４６５Ｒの前端部、すなわち、案内規制片４６５Ｃ、４６５Ｒにおける差込用案内部６９６に当接させた状態で後方に向けて滑らすようにスライド移動させることが出来、これにより両案内規制片４６５Ｃ、４６６Ｃ間、及び４６５Ｒ及び４６５Ｒ間の設置用案内部に案内されることになる。
【０２８６】
より詳しくは、支持板６００Ｌ、６００Ｃ、６００Ｒを差し込むための差込幅が広くなって差し込みやすくなるばかりか、長寸の案内規制片４６５Ｌ、４６５Ｃ、４６５Ｒの前方は差込用案内部６９６の一部を構成し、かつ、案内規制片４６５Ｌ、４６５Ｃ、４６５Ｒの後方は設置用案内部６９５の一部を構成していることで、支持板６００Ｌ、６００Ｃ、６００Ｒの下端辺部を直線状に形成された案内規制片４６５Ｌ、４６５Ｃ、４６５Ｒの前部に摺接案内させた状態で後方に向けてスライド移動させることが出来るため、支持板６００Ｌ、６００Ｃ、６００Ｒを後方の設置位置に容易に配置することが出来るのである。
【０２８７】
また、このように案内規制片４６６Ｌ、４６６Ｃ、４６６Ｒを案内規制片４６５Ｌ、４６５Ｃ、４６５Ｒよりも短寸とし、それぞれの案内規制片４６５Ｌ、４６５Ｃ、４６５Ｒの前端部を一側方（図中向かって右側）に向けて開放することで、例えば図４６に示されるように、先に設置したリール５１Ｌに干渉しないように各両案内規制片間に支持板を差し込み、スライド移動により設置位置まで押し込むことが出来るため、先に設置したリール５１Ｌと干渉してリールが損傷したりすることを効果的に回避出来る。
【０２８８】
本実施例においては、案内規制片４６６Ｌ、４６６Ｃ、４６６Ｒが他方の案内規制片４６６Ｌ、４６６Ｃ、４６６Ｒよりも短寸に形成されているので、図４６に示されるように、各リール５１Ｌ、５１Ｃ、５１Ｒは左側から配置していくことが好ましい。
【０２８９】
なお、本実施例においては、支持板の案内手段としての案内規制片４６５Ｌ、４６５Ｃ、４６５Ｒ、４６６Ｌ、４６６Ｃ、４６６Ｒそれぞれが前端に行くに従い幅狭となるように先細り形状とすることで、差込用案内部の間口が支持板６００Ｌ、６００Ｃ、６００Ｒの厚み幅よりも幅広となっているが、互いに対向する案内規制片４６５Ｌ、４６５Ｃ、４６５Ｒ、４６６Ｌ、４６６Ｃ、４６６Ｒを平面視略「ハ」の字状となるように形成することで差込用案内部６９６における支持板の差込幅が幅広となるようにしてもよい。
【０２９０】
さらにリール５１Ｌを後方に押し込むと、支持板６００Ｌの後部が乗上げ片４６７Ｌに乗り上げて若干上昇するとともに、支持板６００Ｌの後端に形成された差込部６９０の細溝６９１内に、案内凹部４５９Ｌ付近に形成された規制片４６１の先端が差し込まれることにより、支持板６００Ｌの上下移動が規制されるとともに、さらに支持板６００Ｌを押し込むと、支持板６００Ｌの差込部４９０が案内凹部４５９Ｌ内に嵌合されることにより、支持板６００Ｌの後端下部の左右移動が規制されるとともに、図４７（ｂ）に示されるように、案内片６９２が開口部４６３Ｌ内に入り込んで支持板６００Ｌの後端上部の左右移動が規制されて位置決めがなされる。
【０２９１】
このように規制片４６１及び案内凹部４５９Ｌと、案内片６９２及び開口部４６３Ｌにより支持板６００Ｌの後端部の位置決めがなされることにより、コネクタ６８６がコネクタ５６５Ｌの前方に正確に位置し、コネクタ５６５Ｌに確実に接続されるように案内されることになる。すなわち、これら規制片４６１及び案内凹部４５９Ｌと案内片６９２及び開口部４６３Ｌとは、コネクタ６８６のコネクタ５６５Ｌへの接続を案内する案内手段を構成している。
【０２９２】
さらに支持板６００Ｌの後端が後壁５２ａの内面に当接するまで支持板６００Ｌを押し込むと、図４７（ｂ）に示されるようにコネクタ６８６がコネクタ５６５Ｌに接続される。このように、支持板６００Ｌをリール収容箱体５２内に組み付けるだけでコネクタ６８６とコネクタ５６５Ｌとが電気的に導通するように接続されるので、リールモータ５４Ｌやリールセンサ５６Ｌのコネクタ６８６をリール中継基板５０３のコネクタ５６５Ｌに接続する作業を支持板６００Ｌの組み付け後に行う必要がなくなるので、配線の接続作業が簡素化される。よって、リール５１Ｌの交換やメンテナンスの作業性が効果的に向上する。
【０２９３】
また、コネクタ６８６のコネクタ５６５Ｌへの接続を案内する規制片４６１及び案内凹部４５９Ｌがリール収容箱体５２に形成されていることにより、コネクタ６８６とコネクタ５６５Ｌとの接続を、作業者が目視により接続状況を確認しながら行う必要がないので、コネクタ６８６のコネクタ５６５Ｌへの接続を容易になる。
【０２９４】
さらに、支持板６００Ｌの後端が後壁５２ａの内面に当接する設置位置に設置された状態において、上下の取付片６００ａ、６００ｂの後面とフランジ部４５６の前面とがそれぞれ当接するとともに、孔部６０２と挿通穴４５７とが合致するため、孔部６０２内に取り付けられたラッチ６２０のブッシュが挿通穴４５７内に嵌合される。
【０２９５】
この状態で、上下の取付片６００ａ、６００ｂから前方に突出している操作ピンを後方に向けて強く押し込み、上下の取付片６００ａ、６００ｂを上下のフランジ部４５６にそれぞれ固定する。ここで前述したラッチ４３０と同様に、ラッチ６２０の操作ピンが後方に位置している状態から、操作ピンを後方に向けて強く押し込むと、押し込まれたピン部材により固定片が外向きに押し広げられることにより、固定片の外周面が孔部６０２及び挿通穴４５７の内周面に押圧されるとともに、この状態において、操作ピンの後退移動が規制されて、上下の取付片６００ａ、６００ｂと上下のフランジ部４５６とがラッチ６２０により互いに離間不能に連結される（図３０参照）。
【０２９６】
このようにして全ての支持板６００Ｌ、６００Ｃ、６００Ｒをリール収容箱体５２内に組み付けた後、図４７（ａ）に示されるように、リールランプ中継基板５０４を、その下面に設けられた各コネクタ５６９Ｌが、リール収容箱体５２内から各開口部４６３Ｌ、４６３Ｃ、４６３Ｒを通して上方に臨む各コネクタ６８８に接続されるように下降させる。そして図４７（ｂ）に示されるように各コネクタ６６８、５６９Ｌが電気的に接続された後、それぞれの基板固定爪４９５ａ、４９５ｂを図４５中実線で示される位置まで回転させることで、リールランプ中継基板５０４が上壁５２ｂに固定されることになる。このようにリールランプ中継基板５０４とリールランプ５５Ｌａ〜５５Ｌｃとの接続も、リールランプ中継基板５０４を上壁５２ｂに取り付けるだけの簡単な作業で行うことが出来る。
【０２９７】
また、前述のようにリール間隠蔽部５３が支持板６００Ｌ、６００Ｃ、６００Ｒに予め一体成型されていることで、支持板６００Ｌ、６００Ｃ、６００Ｒに固設されるリールモータ５４Ｌ、５４Ｃ、５４Ｒに回動自在に設けられたリール５１Ｌ、５１Ｃ、５１Ｒとリール間隠蔽部５３との間に隙間が生じにくくなるとともに、全て同一構造とされた複数個のリール体（リール５１Ｌ、５１Ｃ、５１Ｒ及び支持板６００Ｌ、６００Ｃ、６００Ｒ）をリール収容体５２に並列配置するだけで、各リール５１Ｌ、５１Ｃ、５１Ｒ間の隙間が、一方の支持板のリール間隠蔽部５３により隠蔽されるため、製造コストの低減を図ることが出来るばかりか、配置作業に手間がかかることがない。
【０２９８】
また、支持板６００Ｌをリール収容箱体５２から取り外すには、まず、基板固定爪４９５ａ、４９５ｂを回転させてリールランプ中継基板５０４の固定を解除してリールランプ中継基板５０４を上昇させて上壁５２ｂから離脱させる。これにより各コネクタ６８８、５６９Ｌの接続が解除される。このように、リール収容箱体５２からの支持板６００Ｌの着脱作業時において着脱する必要があるリールランプ中継基板５０４は、工具等を用いることなく手作業で固定及び固定の解除を行える中継基板固定手段としての基板固定爪４９５ａ、４９５ｂにより上壁５２ｂに対して着脱自在に取付けられているため、リール収容箱体５２からの支持板６００Ｌの着脱作業及びリールランプ５５Ｌａ〜５５Ｌｃとリールランプ中継基板５０４との電気的接続及び接続解除を容易に行うことが出来る。
【０２９９】
次いで、各ラッチ６２０の操作ピンを手で手前側に引っ張るだけで上下の取付片６００ａ、６００ｂと上下のフランジ部４５６との連結が解除されるので、簡単に取り外すことが出来る。さらに、本実施例にて用いたラッチ６２０にあっては、取付片６００ａ、６００ｂ側に取り付けられた部位（ブッシュ）に対して操作ピンが逸脱しないように保持されたままとなるため、ネジ等のようにその都度取付部にねじ込んだり取付部から取り外す必要がないので、支持板６００Ｌの取り外しの際にパーツを紛失したりすることがないばかりか、操作性が極めて容易であるため、作業性が向上する。
【０３００】
また、支持板６００Ｌをリール収容箱体５２から取り外すことにより、コネクタ５６５Ｌとコネクタ６８６との接続が解除されるため、支持板６００Ｌをリール収容箱体５２から取り外す前にリールモータ５４Ｌやリールセンサ５６Ｌとリール中継基板５０３との接続を手作業で解除する必要がないため、リール５１Ｌの着脱作業が容易になる。
【０３０１】
このように、支持板６００Ｌのリール収容箱体５２に対する着脱をラッチ６２０を用いて行うことで、着脱作業を工具等を用いることなく手作業のみで極めて容易に行うことが出来る。
【０３０２】
なお、このような固定手段は、上記ラッチ６２０のように、操作部（操作ピン）の手動操作により作用する固定部材（ブッシュ）を作用させることでリール収容箱体５２に対する支持板６００Ｌ、６００Ｃ、６００Ｒの固定及び固定の解除を行うことが出来る固定手段のみに限定されるものではなく、リール収容箱体５２に対する支持板６００Ｌ、６００Ｃ、６００Ｒの固定及び固定の解除を、ドライバー等の工具等を用いることなく手作業で行えるものであれば、例えば蝶ネジ等種々の固定手段も適用可能である。
【０３０３】
また、リール間隠蔽部５３はリール５１Ｌ、５１Ｃ、５１Ｒの内周面側に配置されることで、各リールの幅寸法を広げることが出来るため、図柄の視認性が著しく向上するばかりか、リール体（リール５１Ｌ、５１Ｃ、５１Ｒ及び支持板６００Ｌ、６００Ｃ、６００Ｒ）の並列配置をリール間隠蔽部５３に干渉されることなく行うことが出来る。
【０３０４】
なお、本実施例においては、リール５１Ｌに関わる付帯装置の一部であるリールランプ５５Ｌａ〜５５Ｌｃのコネクタ６８８とリールランプ中継基板５０４のコネクタ５６９Ｌとの接続は、リールランプ中継基板５０４の上壁５２ｂへの着脱により行われるように構成されているが、例えばコネクタ６８８とコネクタ５６９Ｌとの接続が後壁５２ａ側で行われるようにリールランプ中継基板５０４を後壁５２ａに取り付けて、リールランプ５５Ｌａ〜５５Ｌｃのコネクタ６８８とリールランプ中継基板５０４のコネクタ５６９Ｌとの接続が、支持板６００Ｌをリール収容箱体５２への組み付けることにより行われるように構成してもよい。
【０３０５】
なお、他の支持板６００Ｃ、６００Ｒに関しても、上記支持板６００Ｌの着脱方法と同様の方法によってリール収容箱体５２に対して着脱自在に組み付けることが出来るため、詳細な説明は省略することとする。
【０３０６】
以上説明してきたように、本実施例におけるリールユニット５０にあっては、支持板６００Ｌ、６００Ｃ、６００Ｒを、案内規制片４６５Ｌ、４６６Ｌ間、４６５Ｃ、４６６Ｃ間、４６５Ｒ、４６６Ｒ間にそれぞれ直線状に形成された設置用案内部に沿ってスライド移動させることで、支持板６００Ｌ、６００Ｃ、６００Ｒが設置体としてのリール収容箱体５２における設置位置まで確実に案内されて配置されるため、各リール５１Ｌ、５１Ｃ、５１Ｒを、互いに隣接配置されるリールと干渉させることなく容易に配置することが出来るばかりか、設置位置での支持板６００Ｌ、６００Ｃ、６００Ｒの固定を、ラッチ６２０を介して工具等を用いることなく手作業で、また、支持板６００Ｌ、６００Ｃ、６００Ｒの組み付け方向、すなわち、リール収容箱体５２の前方からの固定のみで簡単に行うことが出来る。よって、これら各リールのリール収容箱体５２への配置や取外し、及び配置位置での固定や該固定の解除を含む一連の作業を、設置体を分解したりすることなく極めて容易に行うことが出来るため、製造時等におけるリール体の組み付け作業効率が向上するばかりか、機種変更等に伴うリールの交換作業効率が著しく向上する。
【０３０７】
また、支持板６００Ｌ、６００Ｃ、６００Ｒそれぞれに対応する案内路部を構成する案内規制片４６５Ｌ、４６５Ｃ、４６５Ｒ及び４６６Ｌ、４６６Ｃ、４６６Ｒは、支持板６００Ｌ、６００Ｃ、６００Ｒの上下を支持する上壁５２ｂ及び底壁５２ｃのうち、底壁５２ｃにおける上壁５２ｂとの対向面（上面）にのみ形成されているため、リール収容箱体５２の構造が簡素化されて製造コストが低減される。
【０３０８】
次に、このようにリール５１Ｌ、５１Ｃ、５１Ｒ及び支持板６００Ｌ、６００Ｃ、６００Ｒからなるリール体が内部に組み付けられたリール収容箱体５２の筐体２への着脱方法及びその作用を図４８に基づいて説明する。
【０３０９】
（２−３４）リール収容箱体の筐体への取付け
リール収容箱体５２を筐体２へ取り付けるには、図４８（ａ）に示されるように、リール収容箱体５２の後壁５２ａ外面に取り付けられた係止片４５１を、背板１５３の内面所定箇所に固設されたリールユニット係止片１７５に対して上方から下降させるようにして係止させる。この時、リール収容箱体５２の後壁５２ａの上部左右側の固定片４５２ａ、４５２ｂが、図４８（ｂ）に示されるように、当接片１９０Ｌ、１９０Ｒそれぞれに形成されたリールユニット位置決め片１９３Ｌ、１９３Ｒ（図４８（ｂ）中には左側のリールユニット位置決め片１９３Ｌのみが図示されている）の内側に位置される。
【０３１０】
そして、リール収容箱体５２の下部の当接部４６２が背板１５３の内面に当接するとともに、左右の固定片４５２ａ、４５２ｂの裏面が当接片１９０Ｌ、１９０Ｒの前面に当接され、リール収容箱体５２が背板１５３内面所定高さ位置に係止される。この状態で、左右のリールユニット位置決め片１９３Ｌ、１９３Ｒに固定片４５２ａ、４５２ｂが係止されてリール収容箱体５２の左右方向の位置ずれが規制される。
【０３１１】
最後に、左右の固定片１９１Ｌ、１９１Ｒを内側に回転させて固定片４５２ａ、４５２ｂの前面側に位置させる。これによりに固定片４５２ａ、４５２ｂの当接片１９０Ｌ、１９０Ｒからの離脱が固定片１９１Ｌ、１９１Ｒにより防止されることで、リールユニット係止片１７５からの係止片４５１の逸脱が規制されるため、リール収容箱体５２が背板１５３の内面から離脱不能に取り付けられることになる。
【０３１２】
また、リール収容箱体５２を筐体２から取り外す場合は、固定片１９１Ｌ、１９１Ｒをそれぞれ外向きに回転させるだけで、リールユニット係止片１７５からの係止片４５１の逸脱が可能となるため、この状態でリール収容箱体５２を背板１５３に沿うように若干上昇させてリールユニット係止片１７５から係止片４５１を引き出せば、リール収容箱体５２を背板１５３から簡単に取り外すことが出来る。
【０３１３】
このように、リールユニット係止片１７５からの係止片４５１の逸脱の規制や解除を行う固定片１９１Ｌ、１９１Ｒは、前記規制及び規制解除の操作を工具等を用いることなく手作業で行うことが出来るように構成されているため、リール収容箱体５２の着脱作業が効果的に向上する。
【０３１４】
なお、上記のような固定片１９１Ｌ、１９１Ｒのみに限定されるものではなく、リールユニット係止片１７５からの係止片４５１の逸脱の規制や解除を、ドライバー等の工具等を用いることなく手作業で行えるものであれば、例えば蝶ネジ等種々の手段が適用可能である。
【０３１５】
以上説明したように、筐体２の背板１５３の内面所定箇所に設けられたリールユニット係止片１７５に係止片４５１を係脱させるだけで、リール５１Ｌ、５１Ｃ、５１Ｒを回動自在に支持する支持板６００Ｌ、６００Ｃ、６００Ｒが組み付けられたリール収容箱体５２を簡単に筐体２に取り付けたり取り外したりすることが出来るので、リール５１Ｌ、５１Ｃ、５１Ｒの交換やメンテナンスの作業性が効果的に向上するとともに、リールユニット係止片１７５と係止片４５１との係脱がリール収容箱体５２の後面（外面）と背板１５３の内面との間で行われるので、リールユニット係止片１７５や係止片４５１が筐体２内部に大きく張り出して、筐体２内部におけるリール収容箱体５２の周辺に各種装置を組み付けたり配線する作業等の邪魔になることがない。
【０３１６】
より詳しくは、例えばリール収容箱体５２内を上面に載置することが出来る載置板を筐体２内に設け、この載置板の上面にリール収容箱体５２を載置することで筐体２内部に設ける場合、載置板は所定重量を有するリール収容箱体５２を下方から受支するために筐体２の内面から内方に向けて大きく張り出すように設けられることになるが、リールユニット係止片１７５と係止片４５１との係脱が背板１５３内面と後壁５２ａの外面との間で行われて、リール収容箱体５２が背板１５３に支持されることになるので、リール収容箱体５２を取り付けるための載置板等を設けなくても支持することが出来る。
【０３１７】
よって、上記のように筐体２の内部空間を上下に区画するような載置板がなくなるため、リール収容箱体５２を筐体２に取り付けた状態、さらには取り外した状態においても、リールユニット係止片１７５や係止片４５１が筐体２内部におけるリール収容箱体５２の周辺に各種装置に関わる作業、例えばリール収容箱体５２の下方のホッパータンク５７ａへのメダルの補給時等において邪魔になることがない。また、特に本実施例においては、筐体２内下部に電源ユニット６５が設けられていることから、電源ユニット６５と、その上方に設けられる各種装置や各種基板等とを接続するための各種ケーブルを筐体２内において上下方向に配線する必要があるが、これら各種ケーブルの上下方向の配線作業を載置板等に邪魔されることなく容易に行うことが出来ることになる。
【０３１８】
また、このようにリール５１Ｌ、５１Ｃ、５１Ｒ及び支持板６００Ｌ、６００Ｃ、６００Ｒからなるリール体を筐体２に対して着脱自在に構成することにより、機種変更等に伴い交換が必要となった場合においても筐体２ごと交換する必要がなくなり、筐体２を複数の機種間で共通して繰返し使用出来るとともに、さらにリール収容箱体５２に対して支持板６００Ｌ、６００Ｃ、６００Ｒを着脱自在に構成することで、リール収容箱体５２も複数の機種間で共通して繰返し使用できるとともに、複数のリール５１Ｌ、５１Ｃ、５１Ｒを部分的に交換することも可能となるので、製造コストを大幅に低減出来る。
【０３１９】
（３）前面扉の前面
前面扉３は、図５１に示されるように、合成樹脂によって一体成形される前面枠７００から構成され、該前面枠７００の前面側には、上部パネル５を有する上部パネルカバー体５６０、高音スピーカ１３６Ｌ、１３６Ｒ、各種操作部が装着される操作部カバー体５６１、蛍光灯１３９、下部パネル７を有する下部パネル装飾枠５５１、メダル受皿１０、ＬＥＤカバー体５５０Ｌ、５５０Ｒ等が主に取り付けられる。以下、前面扉３を構成する部材について図面を参照して説明する。
【０３２０】
前面枠７００の前面側の構成について、主に図４９〜図５１を参照して説明する。図４９は前面枠７００を示す正面図であり、図５０は前面枠７００を斜め前方から見た斜視図であり、図５１は前面扉３を構成する部材と前面枠７００との関係を示す斜視図である。まず、前面枠７００の前面側の構成について、主として図４９及び図５０を参照して説明する。
【０３２１】
（３−１）前面枠
前面枠７００は、合成樹脂によって一体的に成形されているものであり、その中央よりやや上部には遊技パネル開口７０１が開設されている。遊技パネル開口７０１の上部には、演出用ユニット９０の演出用リール９１Ｌ、９１Ｃ、９１Ｒを前方に臨ませるための演出用ユニット開口７０２と、高音スピーカ１３６Ｌ、１３６Ｒが挿通されるスピーカ用開口７０３Ｌ、７０３Ｒと、が開設されている。遊技パネル開口７０１下部には、ストップボタン４０Ｌ、４０Ｃ、４０Ｒが挿通されるストップボタン開口７０４と、メダル詰まり解除ボタン３５が挿通されるメダル詰まり解除ボタン開口７０５と、前記施錠装置４のシリンダ錠（図示略）が挿通されるシリンダ錠開口７０６が開設されている。
【０３２２】
演出用ユニット開口７０２の上部には、前方に上部パネルカバー体５６０が装着される上部パネルカバー体装着部７４５が前方に隆起するように形成されており、この上部パネルカバー体装着部７４５には、遊技効果ＬＥＤ部４１に内蔵される複数の遊技効果ＬＥＤ１３０が搭載された上部ＬＥＤ基板５４４（図５１参照）を止着するためのネジ７０７（図５１参照）が螺入されるネジ穴を有するＬＥＤ基板固定用ボス７０８が所定間隔おきに３個形成されているとともに、その下方には、上部ＬＥＤ基板５４４のＬＥＤ基板位置決め用ボス７０９が２個突設されている。また、図中向かって右側と中央のＬＥＤ基板固定用ボス７０８の間には、上部ＬＥＤ基板５４４と、その後面側に設けられるドアベース中継基板５０６（図５、図７２参照）と、を接続するケーブルを挿通するためのケーブル挿通用開口７１０が形成されている。
【０３２３】
演出用ユニット開口７０２の周囲には、その前方に装着される上部パネルカバー体５６０の後面との間に隙間が形成されないように閉塞するための隙間閉塞用突片７１１ａ〜７１１ｄが、高音スピーカ用開口７０３Ｌ、７０３Ｒの領域を除いて、演出用ユニット開口７０２の周囲を囲むように略長方形状に形成されている。これら隙間閉塞用突片７１１ａ〜７１１ｄのうち、隙間閉塞用突片７１１ａは、その前方に装着された上部パネルカバー体５６０の後面に形成されたリブ（図示略）の後端面と当接されるとともに、隙間閉塞用突片７１１ｂ〜７１１ｄは上部パネル５の後面における端縁部に当接されて、上部パネルカバー体５６０の後面との間を閉塞するようになっている。
【０３２４】
演出用ユニット開口７０２それぞれの角部の外側には、上部パネルカバー体５６０から後向きに突設される係止爪１０１０ａ、１０１０ｂ（図５５参照）が挿入される係止爪挿入穴７１２が４個形成されている。下部左右側の係止爪挿入穴７１２の下方には、上部パネルカバー体５６０の後面から後向きに突設される位置決め用ボス１０３１（図５６参照）が内部に嵌合される嵌合穴を有する位置決め用ボス嵌合ボス７１３が形成されている。高音スピーカ用開口７０３Ｌ、７０３Ｒの周囲には、スピーカ１３６Ｌ、１３６Ｒを止着するためのネジ７１４ａ、７１４ｂが螺入されるネジ穴７１５ａ、７１５ｂが形成されている。
【０３２５】
遊技パネル開口７０１の上部側縁部には、上部パネルカバー体５６０の下端部から後向きに形成される係止用突片１０３５（図５５参照）が係止される係止用突片７１６ａ〜７１６ｄが前向きに突設されている。係止用突片７１６ａと係止用突片７１６ｃとの間、及び係止用突片７１６ｂと係止用突片７１６ｄとの間には、装着された上部パネルカバー体５６０の後面に設けられる上部パネル５を係止する左右の回転爪１０３２ｂ（図５４参照）との干渉を回避するための係止爪逃げ部７１８ａ、７１８ｂが形成されている。
【０３２６】
遊技パネル開口７０１の左右側端縁部には、遊技パネル６の左右端縁部とその側方に装着されるＬＥＤカバー体５５０Ｌ、５５０Ｒとの間に形成される隙間を閉塞する隙間閉塞用突片７１７ａ、７１７ｂが前向きに突設されている。
【０３２７】
遊技パネル開口７０１の下方には、前方に操作部カバー体５６１及び下部パネル装飾枠５５１の上部が装着される操作部カバー体装着部７２０が、前記上部パネルカバー体装着部７４５よりも前方に膨出するように形成されており、該操作部カバー体装着部７２０には、前記ストップボタン開口７０４、メダル詰まり解除ボタン開口７０５、シリンダ錠開口７０６が形成されているとともに、操作部カバー体５６１を取り付けるためのネジ７２１が挿通される取付穴７１９が所定箇所に８個形成されている。操作部カバー体装着部７２０における正面から見て左側には、操作部カバー体５６１に設けられるスタートレバー３８や各種ボタン３６ａ、３６ｂ、３７との干渉を回避するための切欠部７２２が遊技パネル開口７０１に連通するように形成されている。
【０３２８】
操作部カバー体装着部７２０の上端は、後向きに屈曲する後向片７２３が形成されており、該後向片７２３の後端における正面から見て右側端部には、メダル投入部３４を構成する投入メダルガイド部材９５０（図７５参照）を装着するための切欠部７２４が形成されている。また、７２５は前面枠７００の後面に形成されるネジ穴形成用ボスである。
【０３２９】
操作部カバー体装着部７２０の下部には、下部パネル装飾枠５５１の上部から後向きに突設される係止爪５８５ａ〜５８５ｃ（図６７参照）が挿入される係止爪挿入穴７２８が、左右及び中央に３個形成されている。また、正面から見て左側と中央の係止爪挿入穴７２８、７２８間には、操作部カバー体装着部７２０の下方に形成される蛍光灯装着部７２９に装着される蛍光灯１３９の一端側から延設されるコードを係止する上向き略Ｊ字状のコード係止フック７３０が形成されている。
【０３３０】
蛍光灯装着部７２９には、蛍光灯１３９の反射板２７５（図５１参照）を固定するためのネジ７３３が螺入されるネジ穴が形成された反射板固定用ボス７３１と、前記反射板２７５を位置決めするための位置決め用ボス７３２と、がそれぞれ２個ずつ前向きに突設されているとともに、蛍光灯１３９から延設されるコードを前面枠７００の後面側に挿通させるためのコード挿通穴７３４が正面から見て左側に形成されている。また、蛍光灯装着部７２９の下部には、前方に装着される前記下部パネル装飾枠５５１の下部に当接して内側への凹みを防止するための４個の当接規制ボス７３５が、左右方向に向けて所定間隔おきにそれぞれ前向きに突設されているとともに、下部パネル装飾枠５５１の下部から後向きに突設される係止爪５８５ｄ、５８５ｅ（図６７参照）が挿入される係止爪挿入穴７３６が２個形成されている。左右の係止爪挿入穴７３６、７３６間には、後面側に取り付けられる前記メダル返却通路部材７３を位置決めするための位置決め用係止部９１７（図７０参照）を後面側に向けて突設形成するための係止部形成用凹部７３７が形成されている。
【０３３１】
また、前面枠７００の後面に取り付けられる前記操作部中継基板５０７に対応する領域の上下部には、前記操作部中継基板５０７を被覆する基板カバー９１４（図８２参照）の上下部に形成された係止爪９４９ａ、９４９ｂ（図８２参照）が挿通される係止爪挿入穴７３８が形成されている。
【０３３２】
なお、蛍光灯装着部７２９は、段部を介して操作部カバー体装着部７２０より後側に凹むように形成されているとともに、その左右端縁部及び下端縁部には、蛍光灯１３９からの光の外方への拡散を防止するための遮光片７３９、７４０がそれぞれ前向きに突設されている。
【０３３３】
蛍光灯装着部７２９のさらに下方には、遮光片７４０を挟んでメダル受皿装着部７４１が形成されている。メダル受皿装着部７４１の略中央部には、メダル払出開口７４２が形成されているとともに、その側方には、後面側にスピーカ（図示略）が取り付けられた場合において、該スピーカから出力される音を前方に向けて放音するための楕円形状の放音開口７４３が形成されている。正面から見て左側には、メダル受皿１０から後向きに突設された位置決め用ボス２９０ｂ（図６９参照）が嵌合されるとともに、メダル受皿１０を止着するネジ７５５ｃが取付けられる取付穴７４４ａを有するボス嵌合穴７４４が前向きに突設されている。
【０３３４】
メダル受皿装着部７４１の下方及び左右側方位置には、メダル受皿１０を取り付けるためのネジ７５５ａが挿通される取付穴７５６ａが左右に２個、ネジ７５５ｂが挿通される取付穴７５６ｂが３個形成されている。下方の左右の角部近傍には、メダル受皿装着部７４１の前方に保護板２７２を取り付けるためのネジ７５７が螺入されるネジ穴７５８が２個形成されているとともに、メダル受皿装着部７４１の上部には、保護板２７２の上端に形成される係止片（図５３参照）が挿入される係止片挿入穴７５９が形成されている。また、取付穴７５６ｂ間には、メダル受皿１０に取り付けられるネジの頭部との干渉を回避するための孔部７６０が形成されている。
【０３３５】
上部パネルカバー体装着部７４５、遊技パネル開口７０１、操作部カバー体装着部７２０、蛍光灯装着部７２９、メダル受皿装着部７４１の左右端部と前面枠７００の左右端部との間には、前方にＬＥＤカバー体５５０Ｌ、５５０Ｒが装着されるＬＥＤカバー体装着部７６５Ｌ、７６５Ｒが上下方向に延びるように形成されている。
【０３３６】
ＬＥＤカバー体装着部７６５Ｌには、サイドＬＥＤ基板５４５ａ〜５４５ｃそれぞれの上下端部を固定するネジ７６６ａ〜７６６ｃが螺入されるネジ穴を有する固定用ボス７６８ａ〜７６８ｃと、サイドＬＥＤ基板５４５ａ〜５４５ｃそれぞれを位置決めするための位置決め用ボス７７０ａ〜７７０ｃと、がそれぞれ前向きに突設されている。また、ＬＥＤカバー体装着部７６５Ｒには、サイドＬＥＤ基板５４６ａ〜５４６ｃそれぞれの上下端部を固定するネジ７６７ａ〜７６７ｃが螺入されるネジ穴を有する固定用ボス７６９ａ〜７６９ｃと、サイドＬＥＤ基板５４６ａ〜５４６ｃそれぞれを位置決めするための位置決め用ボス７７１ａ〜７７１ｃと、がそれぞれ前向きに突設されている。
【０３３７】
位置決め用ボス７７０ａ、７７１ａの下方には、上部のサイドＬＥＤ基板５４５ａ、５４６ａから延設されるコードを係止するためのコード係止フック７７２ａ、７７３ａが形成されているとともに、下方の固定用ボス７６８ｂ、７６９ｂの上方には、中央及び下部のサイドＬＥＤ基板５４５ｂ、５４５ｃ、５４６ｂ、５４６ｃから延設されるコードをまとめて係止するためのコード係止フック７７２ｂ、７７３ｂが形成されている。これらコードは、上部パネルカバー体装着部７４５の下方の角部側方にそれぞれ形成されたコード挿通用穴７７４ａ、７７４ｂを介して前面枠７００の後面側に挿通される。
【０３３８】
ＬＥＤカバー体装着部７６５Ｌ、７６５Ｒにおける上部パネルカバー体装着部７４５の上部及び下部側方近傍位置と、メダル受皿装着部７４１の上部側方近傍位置と、には、ＬＥＤカバー体５５０Ｌ、５５０Ｒを固定するためのネジ７７９ａ、７７９ｂが取り付けられる取付穴７８０ａ、７８０ｂが左右３個ずつ形成されている。
【０３３９】
また、ＬＥＤカバー体装着部７６５Ｌ、７６５Ｒにおける外側端部には、装着されたＬＥＤカバー体５５０Ｌ、５５０Ｒの外面側を閉塞するようにガイドするガイド片７７７、７７８が上下方向にわたって前向きに突設されているとともに、ガイド片７７７、７７８の内側には、ＬＥＤカバー体５５０Ｌ、５５０Ｒから後向きに突設された係止爪５５３（図５２参照）が挿入される係止爪挿入穴７７５、７７６が、ガイド片７７７、７７８に沿うように、上下方向に向けて所定間隔おきに６個ずつ形成されている。
【０３４０】
次に、前面枠７００の前面側に装着される各種部材の詳細を説明していく。図５２（ａ）はＬＥＤカバー体５５０Ｌ、５５０Ｒ、サイドＬＥＤ基板５４５ａ〜５４５ｃ、５４６ａ〜５４６ｃ、下部パネル装飾枠５５１との関係を示す斜視図であり、（ｂ）はＬＥＤカバー体５５０Ｌを示す左側面図であり、図５３（ａ）は上部ＬＥＤ基板５４４を示す斜視図であり、（ｂ）はサイドＬＥＤ基板５４５ａを示す斜視図であり、（ｃ）は保護板２７２を示す斜視図であり、（ｄ）は保護板２７２’の要部を示す斜視図である。
【０３４１】
（３−２）遊技効果ＬＥＤ部
遊技効果ＬＥＤ部４２Ｌ、４２Ｒは、特に図５２に示される発光体としての複数の遊技効果ＬＥＤ１３１ａ〜１３１ｃ、１３２ａ〜１３２ｃと、その前面側を覆うように設けられるＬＥＤカバー体５５０Ｌ、５５０Ｒと、から構成される。
【０３４２】
遊技効果ＬＥＤ１３１ａ〜１３１ｃ、１３２ａ〜１３２ｃは、サイドＬＥＤ基板５４５ａ〜５４５ｃ、５４６ａ〜５４６ｃそれぞれに６個づつ所定間隔おきに搭載されていて、左右それぞれのサイドＬＥＤ基板５４５ａ〜５４５ｃ、５４６ａ〜５４６ｃは、それぞれ上下に隙間なく前面扉３の前面における左右の端縁部に沿って設けられる。
【０３４３】
また、各遊技効果ＬＥＤ１３１ａ〜１３１ｃ、１３２ａ〜１３２ｃは、それぞれ赤色（Ｒ）、緑色（Ｇ）、青色（Ｂ）の発光素子を有し、複数色（少なくとも７色）に発光可能なフルカラーＬＥＤが使用されている。よって、発光色を変えるだけで発光態様を効果的に、かつ、簡単な制御で変化させることが出来、これにより効果的な演出を実施することが出来るばかりか、各種状況を多様な発光態様にて効果的に伝達することが出来る。
【０３４４】
ＬＥＤカバー体５５０Ｌ、５５０Ｒは、白色半透明の合成樹脂により後面が開口する縦長の箱状に一体成型されており、内面には遊技効果ＬＥＤ１３１ａ〜１３１ｃ、１３２ａ〜１３２ｃからの光を乱反射させるためにローレット加工が施されているとともに（図示略）、その前面５５０ａ、外側面５５０ｂ（外側方発光面）、内側面５５０ｃが発光部面として機能するように構成されており、前面扉３の前面における左右の端縁部に沿って設けられるサイドＬＥＤ基板５４５ａ〜５４５ｃ、５４６ａ〜５４６ｃを前方から覆うように前面扉３に取り付けられる。
【０３４５】
ＬＥＤカバー体５５０Ｌ、５５０Ｒそれぞれの後端縁部における外縁部には、前記係止爪挿入穴７７５に挿入して係止される外向きの係止爪５５３が、上下方向にわたって所定間隔おきに後向きに突設されているとともに、後端縁部における内縁部所定箇所には、ネジ７７９ａ、７７９ｂが螺入されるネジ穴を有する３個の取付用ボス５５４がそれぞれ後向きに突設されている。
【０３４６】
このように構成されたＬＥＤカバー体５５０Ｌ、５５０Ｒは、係止爪５５３を前面枠７００の前記係止爪挿入穴７７５に挿入して係止爪挿入穴７７５の開口端縁部に係止させるとともに、後面側から螺入されるネジ７７９ａ、７７９ｂを取付用ボス５５４のネジ穴に螺入することで、前面における左右のＬＥＤカバー体装着部７６５Ｌ、７６５Ｒに設けられるＬＥＤ基板５４５ａ〜５４５ｃ、５４６ａ〜５４６ｃを前方から覆うように前面枠７００に取り付けられる。
【０３４７】
ＬＥＤカバー体５５０Ｌ、５５０Ｒそれぞれの前面５５０ａの下部には、前面５５０ａ側に照射される光を遮光するための遮光手段としての遮光シート５５２Ｌ、５５２Ｒが貼着される。この遮光シート５５２Ｌ、５５２Ｒの前面には、図５２に示されるように、下部パネル７の左右端部及び該下部パネル７が取り付けられる横長四角枠状の下部パネル装飾枠５５１の左右端部がかかるように前面枠７００の前面に取り付けられる（図５２（ｂ）参照）。
【０３４８】
遮光シート５５２Ｌ、５５２Ｒは、主に下部の遊技効果ＬＥＤ１３１ｃ、１３２ｃからの光が前面５５０ａを通して下部パネル７の後面左右端部付近に照射されないようにするためのものであり、これにより、前述したように下部パネル７の後面側に設けられる蛍光灯１３９（図５１参照）からの光と、複数色に発光可能な遊技効果ＬＥＤ１３１ｃ、１３２ｃからの光とが混ざり合って、下部パネル７の左右端部付近が遊技効果ＬＥＤ１３１ｃ、１３２ｃの発光色に変化することがないので、遊技者に違和感を与えることがない。
【０３４９】
遊技効果ＬＥＤ１３０は、本実施例においては赤色に発光可能な単色ＬＥＤであり、この遊技効果ＬＥＤ１３０が実装される上部ＬＥＤ基板５４４は、図５３（ａ）に示されるように、前面枠７００に取り付けるためのネジ７０７が取り付けられるネジ穴５５５が３箇所に形成されているとともに、ＬＥＤ基板位置決め用ボス７０９が嵌合される位置決め用穴５５６が２箇所に形成されている。また、上辺部及び下辺部には、上部パネルカバー体５６０側のネジとの干渉を避けるための切欠部５５７がそれぞれ形成されている。
【０３５０】
遊技効果ＬＥＤ１３１ａ〜１３１ｃ、１３２ａ〜１３２ｃは、前述したようにそれぞれ赤色（Ｒ）、緑色（Ｇ）、青色（Ｂ）の発光素子を有し、複数色（少なくとも７色）に発光可能なフルカラーＬＥＤが使用されている。この遊技効果ＬＥＤ１３１ａ〜１３１ｃ、１３２ａ〜１３２ｃが実装されるサイドＬＥＤ基板５４５ａ〜５４５ｃ、５４６ａ〜５４６ｃを、図５３（ｂ）に示されるサイドＬＥＤ基板５４５ａを一例に説明すると、前面枠７００に取り付けるためのネジ７６６ａが取り付けられるネジ穴５５８が上下に形成されているとともに、位置決め用ボス７７０ａが嵌合される位置決め用穴５５９が上部から３個目のＬＥＤの上方に形成されている。なお、他のサイドＬＥＤ基板５４５ｂ、５４５ｃ、５４６ａ〜５４６ｃはサイドＬＥＤ基板５４５ａと同様に構成されている。
【０３５１】
（３−３）保護板
保護板２７２は、メダル受皿１０のメダルとの衝突による合成樹脂製の前面枠７００の損傷を防止するために、図５３（ｃ）に示されるように、１枚の金属板にて構成されている。上辺部には、係止片挿入穴７５９に挿入される係止片２７６が形成されている。下辺部左右両端には、この保護板２７２を前面枠７００に取り付けるためのネジ７５７が取り付けられる取付穴２７７がそれぞれ形成されているとともに、これら取付穴２７７間には、メダル受皿１０を取り付けるためのネジ７５５ｂが挿通するための３個の挿通穴２７８が、前記取付穴７５６ｂに対応する位置に形成されている。また、各挿通穴２７８間には、メダル受皿１０に螺入されるネジとの干渉を避けるための切欠部２７９が２個形成されている。
【０３５２】
前面枠７００のメダル払出開口７４２に対応する箇所には、メダル払出開口２８０が形成されているとともに、ボス嵌合穴７４４に対応する箇所には、ボス挿通穴２８１が形成されている。また、メダル払出開口２８０の下方には、前方に膨出する突条２８２が長手方向に延びるように形成されている。この突条２８２は、図６９に示されるように、メダル受皿１０の底部からメダルの半径ほど離れた高さ位置に形成されていることで、メダル受皿１０内のメダルが保護板２７２の前方で図のように起立しても、メダルと保護板２７２との間には隙間が確実に形成されることで、メダルが保護板２７２に張り付くようにして起立姿勢を保つことが出来なくなり、転倒しやすくなる。これにより遊技者がメダルを取り出しにくくなるのが防止されている。
【０３５３】
なお、本実施例においては、前面枠７００の放音開口７４３にスピーカが取り付けられていない場合における保護板２７２が説明してきたが、放音開口７４３にスピーカが取り付けられた場合には、図５３（ｄ）に示されるように、前面枠７００の放音開口７４３に対応する箇所に放音用穴２８３が形成された保護板２７２’等に交換すれば、スピーカから出力される音を前方に放音可能となるとともに、スピーカの保護板として機能することになる。
【０３５４】
次に、上部パネルカバー体５６０の詳細な構成を図５４〜図５９に基づいて説明する。図５４は上部パネルカバー体５６０を示す分解斜視図であり、図５５は上部パネル枠１０００を斜め前方から見た斜視図であり、図５６は上部パネル枠１０００を示す背面図であり、図５７（ａ）は上部ＬＥＤカバー体１００１を示す分解斜視図であり、（ｂ）は（ａ）の縦断面図であり、図５８（ａ）はスピーカカバー体１００２を示す分解斜視図であり、（ｂ）はスピーカカバー体１００２Ｌ、１００２Ｒを示す正面図であり、図５９（ａ）は上部パネル５を斜め前方から見た斜視図であり、（ｂ）は上部パネル枠１０００に上部パネル５が組み付けられた状態を示す背面図である。
【０３５５】
（３−４）上部パネルカバー体
上部パネルカバー体５６０は、図５４に示されるように、上部パネル枠１０００と、上部パネル枠１０００の後面に組み付けられる上部パネル５と、上部パネル枠１０００の前面に取付けられるスピーカカバー体１００２Ｌ、１００２Ｒ及び上部ＬＥＤカバー体１００１と、から構成されている。スピーカカバー体１００２Ｌ、１００２Ｒは、スピーカカバー１００３Ｌ、１００３Ｒ及びスピーカ装飾パネル１００４Ｌ、１００４Ｒからなり、また、上部ＬＥＤカバー体１００１は、ＬＥＤカバー１００５及びＬＥＤカバー取付枠１００６と、から構成されている。
【０３５６】
上部パネル枠１０００は合成樹脂からなり、図５５及び図５６に示されるように、中央部に演出手段としての演出用リール９１Ｌ、９１Ｃ、９１Ｒを前方から視認可能にするための透視用開口１００７が形成されている。透視用開口１００７の上方には、後方に配置される遊技効果ＬＥＤ１３０の光を前方に照射可能とするためのＬＥＤ開口１００８ａ、１００８ｂが複数形成されているとともに、所定のＬＥＤ開口１００８ａの上部及び下部所定箇所には、ＬＥＤカバー取付枠１００６を取り付けるためのネジ１０１２ａ、１０１２ｂ（図５４参照）が取り付けられる取付穴１００９ａ、１００９ｂがそれぞれ形成されている。
【０３５７】
左右の細長のＬＥＤ開口１００８ｂの下方には、前面枠７００の上方の係止爪挿入穴７１２に挿入される係止爪１０１０ａを形成するための係止爪成型用穴１０１１が形成されている。係止爪１０１０ａは上部パネル枠１０００の後面における係止爪成型用穴１０１１の下端縁から後向きに突設された係止片の先端に上向きに形成されている。
【０３５８】
左右のＬＥＤ開口１００８ｂの外側方には、ＬＥＤカバー１００５の後面から後向きに突設される取付用ボス１０１４（図５７参照）が嵌合される嵌合凹部を前面に形成すべく取付用ボス１０１３が後面から後向きに突設されており、この取付用ボス１０１３の底部に形成されたネジ穴にネジ１０１５を止着することでＬＥＤカバー１００５が前面に取り付けられるようになっている。また、左右の取付用ボス１０１３の下方には、ＬＥＤカバー取付枠１００６の後面左右端部から後向きに突設される取付用ボス１０１６ｃ（図５７参照）が嵌合される嵌合凹部を前面に形成すべく取付用ボス１０１７が後面から後向きに突設されている。ＬＥＤカバー取付枠１００６は、取付用ボス１０１７の底部に形成されたネジ穴にネジ１０１２ｃ（図５４参照）を止着するとともに、前記取付穴１００９ａ、１００９ｂに取り付けられたネジ１０１２ａ、１０１２ｂを、ＬＥＤカバー取付枠１００６の後面から後向きに突設される取付用ボス１０１６ａ、１０１６ｂ（図５７参照）の底部に形成されたネジ穴に止着することで、上部パネル枠１０００の前面上部に取り付けられる。
【０３５９】
透視用開口１００７の左右側には、高音スピーカ１３６Ｌ、１３６Ｒの取付部が形成されている。左右の取付部には、円形の高音スピーカ用開口を形成すべくリング部材１０１８Ｌ、１０１８Ｒがそれぞれ形成されているとともに、各リング部材１０１８Ｌ、１０１８Ｒの内側には、スピーカ装飾パネル１００４Ｌ、１００４Ｒの後面から後ろ向きに突設された取付用ボス１０１９ａ（図５８参照）が嵌合する嵌合凹部１０２０ａが前面側に凹設される筒状の取付部１０２０Ｌ、１０２０Ｒが設けられている。取付部１０２０Ｌ、１０２０Ｒの内部は、図示しない区画板により内部空間が前後方向に区画されており、この区画板には取付用ボス１０１９ａに形成されたネジ穴に螺入されるネジ１０２１ａが取り付けられる取付穴１０２０ｂ（図５６参照）が形成されている。
【０３６０】
リング部材１０１８Ｌ、１０１８Ｒそれぞれの外側上部には、スピーカ装飾パネル１００４Ｌ、１００４Ｒの後面から後ろ向きに突設された取付用ボス１０１９ｂ（図５８参照）が嵌合する嵌合凹部を前面側に凹設すべく取付用ボス１０２２が後向きに突設されているとともに、外側下部には、スピーカ装飾パネル１００４Ｌ、１００４Ｒの後面から後ろ向きに突設された取付用ボス１０１９ｃ（図５８参照）が嵌合する嵌合凹部を前面側に凹設すべく取付用ボス１０２３が後向きに突設されている。
【０３６１】
上部パネル枠１０００の後面における前記取付用ボス１０２３の近傍には、前記係止爪１０１０ｂが先端に形成された係止部材１０２４Ｌ、１０２４Ｒを取り付けるためのネジ１０２６が螺入されるネジ穴１０２５が形成されているとともに、その周囲には係止部材１０２４Ｌ、１０２４Ｒの取付け位置を決定するための位置決めガイド片１０２７が形成されている。係止部材１０２４は、図５４に示されるように、係止部材１０２４に形成された取付穴１０２８にネジ１０２６を挿通してネジ穴１０２５に螺入することで、上部パネル枠１０００の後面に取り付けられる。
【０３６２】
上部パネル枠１０００の後面における前記取付用ボス１０２３の下方には、前面枠７００の前記位置決め用ボス嵌合ボス７１３に嵌合される位置決め用ボス１０３１が後向きに突設されているとともに、これら左右の位置決め用ボス１０３１の内側には、上部パネル５の下端左右端部に形成された位置決め用凹部１０２９（図５９参照）が嵌合される位置決め用ボス１０３０が左右側にそれぞれ形成されている。
【０３６３】
また、上部パネル枠１０００の後面における前記左右の取付用ボス１０２２の内側及び前記左右の位置決め用ボス１０３０の内側には、上部パネル５を着脱自在に取り付けるための回転爪１０３２ａ、１０３２ｂ（図５４、図５９参照）を回転自在に軸支するためのネジ１０３３ａ、１０３３ｂが螺入されるネジ穴１０３４ａ、１０３４ｂがそれぞれ２個ずつ形成されている。
【０３６４】
これら位置決め用ボス１０３０、１０３１、ネジ穴１０３４ｂが形成される上部パネル枠１０００の下片部の下端辺部には、前面枠７００の前記係止用突片７１６ａ〜７１６ｄの下端縁に係止される後向きの係止用突片１０３５が長手方向にわたって連続的に形成されており、これら係止用突片７１６ａ〜７１６ｄ、１０３５との係止作用により両者部材間に形成される隙間が閉塞されるようになっている。
【０３６５】
また、図５５に示されるように、上部パネル枠１０００の上部から後向きに連設される後向片の後端縁部には、ＬＥＤカバー取付枠１００６の上部から後向きに連設される後向片の後端部が嵌合される前向きに開放する嵌合溝１０３６が長手方向にわたって連続的に形成されている。
【０３６６】
ＬＥＤカバー１００５は、図５７に示されるように、赤色に着色された透光性を有する合成樹脂材により構成されており、その後面側左右端部には取付用ボス１０１４がそれぞれ後向きに突設されているとともに、上部及び下部所定箇所には、ＬＥＤカバー取付枠１００６の取付用ボス１０１６ａ、１０１６ｂが嵌合される前後方向を向く切欠部１０３７ａ、１０３７ｂが形成されている。
【０３６７】
ＬＥＤカバー取付枠１００６は合成樹脂材にて構成されているとともに、前面には前方に膨出する遊技効果ＬＥＤ部４０を形成する透光性を有する膨出部１００６ａが形成されている。後面側には取付用ボス１０１６ａ〜１０１６ｃが後向きに突設されているとともに、上部からは後向片１００６ｂが後向きに連設される。
【０３６８】
このように構成されるＬＥＤカバー１００５及びＬＥＤカバー取付枠１００６は、図５７（ｂ）に示されるように、ＬＥＤカバー取付枠１００６の後面側にＬＥＤカバー１００５が一体に組み付けられる。組み付け時において、切欠部１０３７ａ、１０３７ｂに取付用ボス１０１６ａ、１０１６ｂが嵌合されるとともに、ＬＥＤカバー１００５の前端上部がＬＥＤカバー取付枠１００６の後面上部に形成された段部１００６ｃに係止されて位置決めがなされるようになっている。
【０３６９】
このようにＬＥＤカバー１００５及びＬＥＤカバー取付枠１００６が一体化された上部ＬＥＤカバー体１００１は、ＬＥＤカバー１００５の取付用ボス１０１４及びＬＥＤカバー取付枠１００６の取付用ボス１０１６ａ〜１０１６ｃを上部パネル枠１０００の前面に形成されたそれぞれの嵌合凹部内に嵌合した状態で、上部パネル枠１０００の後面側から螺入されるネジ１０１５、１０１２ａ〜１０１２ｃが止着されることにより、上部パネル枠１０００の前面上部に一体的に取り付けられる。また、取り付けられた状態において、ＬＥＤカバー取付枠１００６の後向片１００６ｂが上部パネル枠１０００の後向片の上面に重合するとともに、その後端が嵌合溝１０３６内に嵌合されて隙間が形成されないようになっている。
【０３７０】
スピーカカバー体１００２Ｌ、１００２Ｒは、スピーカカバー１００３Ｌ、１００３Ｒ及びスピーカ装飾カバー１００４Ｌ、１００４Ｒから構成される。円形のスピーカカバー１００３Ｌ、１００３Ｒは、図５８に示されるように、高音スピーカ１３６Ｌ、１３６Ｒから出力される音を前方に放音するために網状に形成されているとともに、内側には取付用ボス１０１９ａを挿通させるための切欠部１０３８が形成されている。
【０３７１】
スピーカ装飾カバー１００４Ｌ、１００４Ｒは、乳白色に着色された合成樹脂にて構成されており、平板状の取付部に一体的に形成されたリング部材１０３９Ｌ、１０３９Ｒにより円形の放音用開口が形成されている。取付部の後面外側端部上下位置には取付用ボス１０１９ｂ、１０１９ｃが後向きに突設されている。リング部材１０３９は、スピーカカバー１００３Ｌ、１００３Ｒを後面側から装着可能に形成され、内周面の左右側には、スピーカカバー１００３Ｌ、１００３Ｒの前方への移動を規制する押え片１０４０ａ、１０４０ｂがそれぞれ形成されており、内側の押え片１０４０ａの後面からは、取付用ボス１０１９ａが後向きに突設されている。
【０３７２】
これらスピーカカバー１００３Ｌ、１００３Ｒ及びスピーカ装飾カバー１００４Ｌ、１００４Ｒは、図５８（ａ）に示されるように、スピーカ装飾カバー１００４Ｌ、１００４Ｒのリング部材１０３９Ｌ、１０３９Ｒの後面にスピーカカバー１００３Ｌ、１００３Ｒを付き合わせてスピーカカバー体１００２Ｌ、１００２Ｒとした状態で、図５４に示されるように、取付用ボス１０１９ａ〜１０１９ｃを上部パネル枠１０００の前面に形成された嵌合凹部内に嵌合させ、上部パネル枠１０００の後面側からそれぞれの取付用ボス１０２２、１０２３のネジ穴及び取付穴１０２０ｂにネジ１０２１ｂ、１０２１ａを挿通して止着することにより、上部パネル枠１０００の前面左右側に取り付けられる。
【０３７３】
スピーカカバー体１００２Ｌ、１００２Ｒが取り付けられた状態において、該スピーカカバー体１００２Ｌ、１００２Ｒを取り付けるための取付用ボス１０２２、１０２３は取付部の後面に隠蔽されて前面側に露呈することがないばかりか、取付用ボス１０１９ａは押え片１０４０ａの後面側に隠蔽されて前面側に露呈することがないため、外観体裁が損なわれることがない。また、スピーカカバー１００３Ｌ、１００３Ｒは、上部パネル枠１０００のリング部材１０１８Ｌ、１０１８Ｒとスピーカ装飾カバー１００４Ｌ、１００４Ｒのリング部材１０３９Ｌ、１０３９Ｒとの間に狭持されるとともに、切欠部１０３８に取付用ボス１０１９ａが嵌合されることで回転不能に保持されるため、容易に取付けることが出来る。
【０３７４】
上部パネル５は、図５９（ａ）に示されるように合成樹脂により平板状に構成されており、その中央部には、前記演出用リール９１Ｌ、９１Ｃ、９１Ｒを透視可能な透明な長方形状の演出用透視窓１０４１が印刷形成されている。左右端辺部には、リング部材１０１８Ｌ、１０１８Ｒの内側外周に嵌装するための半円形状の切欠部１０４２がそれぞれ形成されている。また、左右の切欠部１０４２の内周には、取付部１０２０Ｌ、１０２０Ｒの外周面の一部が嵌合される切欠凹部１０４３がそれぞれ形成されている。また、下端辺部には、位置決め用ボス１０３０に嵌合される前向きに開放する位置決め用凹部１０２９が形成されている。
【０３７５】
このように構成された上部パネル５は、図５９（ｂ）に示されるように、上部パネル枠１０００の後面に透視用開口１００７を閉塞するように配置される。配置された際において、切欠部１０４２内にリング部材１０１８Ｌ、１０１８Ｒが嵌合されるとともに、切欠凹部１０４３内に取付部１０２０Ｌ、１０２０Ｒが嵌合されることで位置決めされる。位置決めされた状態で、それぞれの回転爪１０３２ａ、１０３２ｂを回転させて上部パネル５の端部に係止させることにより離脱不能に取り付けられる。
【０３７６】
上部パネル５を取り外す際には回転爪１０３２ａ、１０３２ｂを回転させて係止状態を解除するだけでよい。このように、後方に配置される演出用ユニット９０の演出手段や前面側の表示内容の変更に伴って交換する可能性がある機種固有部材である上部パネル５の着脱が上部パネル枠１０００に予め設けられた回転爪１０３２ａ、１０３２ｂの操作のみで簡単に行うことが出来る。
【０３７７】
以上説明してきたように、前面側にスピーカカバー体１００２Ｌ、１００２Ｒ及び上部ＬＥＤカバー体１００１が取り付けられるとともに、後面側に上部パネル５が取り付けられた上部パネル枠１０００は、図５１に示されるように、上下の係止爪１０１０ａ、１０１０ｂを係止爪挿入穴７１２内に挿入して開口端縁部にそれぞれ係止させることで、前面枠７００の前面上部の上部パネルカバー体７４５に装着される。
【０３７８】
次に、操作部カバー体５６１の構造について、図６０〜図６４を参照して説明する。図６０は操作部カバー体５６１と該操作部カバー体５６１に装着される部材や部品との関係を示す分解斜視図であり、図６１は操作部カバー体５６１を斜め前方から見た斜視図であり、図６２（ａ）は操作部カバー体５６１を示す正面図であり、（ｂ）は操作部カバー体５６１を示す背面図であり、図６３（ａ）は３個のストップボタンが装着される場合に装着されるボタンカバー体を示す斜視図であり、（ｂ）は４個のストップボタンが装着される場合に装着されるボタンカバー体を示す斜視図であり、図６４（ａ）は右サイド装飾カバー７９１及び左サイド装飾カバー７９２を示す斜視図であり、（ｂ）は左サイド装飾カバー７９２’を左サイド装飾カバー装着部７９７に装着する一例を示す斜視図である。
【０３７９】
（３−５）操作部カバー体
操作部カバー体５６１には、図６０に示されるように、ストップボタン４０Ｌ、４０Ｃ、４０Ｒを構成するストップボタンユニット４４０Ｌ、４４０Ｃ、４４０Ｒと、スタートレバー３８を構成するスタートレバーユニット４４１と、１枚ＢＥＴボタン３６ａを構成する１枚ＢＥＴボタンユニット４４２と、ＭＡＸＢＥＴボタン３６ｂを構成するＭＡＸＢＥＴボタンユニット４４３と、精算ボタン３７を構成する精算ボタンユニット４４４と、メダル詰まり解除ボタン３５と、操作部カバー体５６１の前面に装着されるメイン装飾カバー７９０、右サイド装飾カバー７９１、左サイド装飾カバー７９２と、操作部カバー体５６１の上面に貼着される装飾シート７９３と、が装着される。
【０３８０】
操作部カバー体５６１は、図６１及び図６２に示されるように、前方にメイン装飾カバー７９０が装着されるメイン装飾カバー装着部７９５と、右サイド装飾カバー装着部７９６、左サイド装飾カバー装着部７９７とがそれぞれ凹設されている。メイン装飾カバー装着部７９５の略中央部には、ストップボタンユニット４４０Ｌ、４４０Ｃ、４４０Ｒをそれぞれ装着するためのストップボタン挿入穴７９８、７９９、８００がそれぞれ形成されている。操作部カバー体５６１の後面におけるストップボタン挿入穴７９８、７９９、８００周りには、ストップボタンユニット４４０Ｌ、４４０Ｃ、４４０Ｒを水平状態に保持するための筒状片８０１、８０２、８０３がそれぞれ後向きに突設されている。
【０３８１】
ストップボタン挿入穴７９８、７９９、８００は、それぞれ横並び状態で個別に形成されている。左右のストップボタン挿入穴７９８、７９９は、それぞれ１個のストップボタンユニット４４０Ｌ、４４０Ｒが挿入可能なように正面から見て略円形に形成されており、筒状片８０１、８０２の内周面上下部には、特に図１６に示されるように、装着されるストップボタンユニット４４０Ｌ、４４０Ｒの回り止めとして機能する平面部８３５ａ、８３６ａがそれぞれ対向配置されているとともに、内周面の左右側部には、平面部８３５ａ、８３６ａよりも幅寸法が若干広い平面部８３５ｂ、８３６ｂがそれぞれ対向配置されている。
【０３８２】
ストップボタン挿入穴８００は、ストップボタン挿入穴７９８、７９９と同様に構成される３つの穴を互いに重合させた横長形状とされている。具体的には、筒状片８０３の内周面の上下部には、ストップボタンユニット４４０Ｃの回り止めとして機能する平面部８３７ａ〜８３７ｃが、それぞれ横並びに３個ずつ、かつ、上下それぞれに対向配置されているとともに、内周面の左右側部には、平面部８３７ａ〜８３７ｃよりも幅寸法が若干広い平面部８３７ｄがそれぞれ対向配置されている。
【０３８３】
上下の平面部８３７ａ、８３７ｂ間、及び上下の平面部８３７ｂ、８３７ｃ間には、内向きに突出する区画ガイド部８３８ａ、８３８ｂがそれぞれ上下に形成されている。よってこのストップボタン挿入穴８００内は、正面から見て区画ガイド部８３８ａよりも左側の左装着部（図中「２」）と、区画ガイド部８３８ａ、８３８ｂ間の中装着部（図中「３」）と、区画ガイド部８３８ｂよりも右側の右装着部（図中「４」）と、から構成されている。
【０３８４】
すなわち、本実施例のように３個のストップボタンユニット４４０Ｌ、４４０Ｃ、４４０Ｒを装着する際には、ストップボタンユニット４４０Ｌを左側のストップボタン挿入穴７９８内に、また、ストップボタンユニット４４０Ｒを右側のストップボタン挿入穴７９９内に、また、ストップボタンユニット４４０Ｃを中央のストップボタン挿入穴８００内における中装着部（図中「３」）に装着すれば、３個のストップボタンユニット４４０Ｌ、４４０Ｃ、４４０Ｒを互いに等間隔おきに横並び状態に並設（図中「１」「３」「５」）することが出来る。
【０３８５】
また、例えば４個のストップボタンユニット（図示略）を装着する際には、ストップボタンユニットを左右側のストップボタン挿入穴７９８、７９９内にそれぞれ１個ずつ装着するとともに、２個のストップボタンユニットを、ストップボタン挿入穴８００内における左右装着部（図中「２」「４」）に装着すれば、４個のストップボタンユニットを互いに等間隔おきに横並び状態に並設（図中「１」「２」「４」「５」）することが出来る。
【０３８６】
このように中央のストップボタン挿入穴８００は、予め中装着部に１個、または左右装着部で２個のストップボタンユニットを装着可能に形成されているため、例えば機種変更等に応じて、左、中、右の可変表示部５２Ｌ、５２Ｃ、５２Ｒを形成するリール５１Ｌ、５１Ｃ、５１Ｒの配置数を３個から４個に変更し、かつ、増設するリールの回動を停止操作するストップボタンも増設する場合等において、可変表示部の配置数の増加に対応してストップボタンユニットの配置数を３個から４個に変更するために、操作部カバー体５６１、引いては前面枠７００等に加工を施したり、または前面枠７００を新規なものに交換して装着部を新たに形成することなく、ストップボタンユニットの配置数変更に容易に対応することが出来る。
【０３８７】
また、配置数の変更の際において、左右側のストップボタン挿入穴７９８、７９９のストップボタンユニット４４０Ｌ、４４０Ｒは配置変更されることなく、中央のストップボタン挿入穴８００のストップボタンユニット４４０Ｃの配置位置及び配置数が変更することになるので、ストップボタン４０Ｌ、４０Ｃ、４０Ｒ全体の配置位置が右側や左側に偏って（例えば図中「１」「２」「４」や「２」「４」「５」）配置されて操作位置が大きく変わったり、配置される各ストップボタン同士の間隔がばらけることなく、常に均等間隔おきに配置することが出来るため、遊技者による操作や外観体裁に違和感を与えることがない。
【０３８８】
詳しくは、これらストップボタンユニット４４０Ｌ、４４０Ｃ、４４０Ｒを配設するための停止操作ユニット装着部は、配置方向の両端にそれぞれ配置されるストップボタンユニット４４０Ｌ、４４０Ｒを装着するための側端装着部としてのストップボタン挿入穴７９８、７９９と、該ストップボタン挿入穴７９８、７９９間に配置されるストップボタンユニットを装着するための中央装着部としてのストップボタン挿入穴８００と、から構成され、このストップボタン挿入穴８００は、複数のストップボタンユニットの装着部（左、中、右装着部）が連続する単一の装着部として長穴状に形成されているため、中央のストップボタン挿入穴８００と左右のストップボタン挿入穴７９８、７９９とで外観上の違いが生じ、両端のストップボタンの配置位置が固定されていることが明確となるため、配置変更の際におけるストップボタンユニットの配置位置の間違いが生じるのが効果的に防止される。
【０３８９】
また、左右側のストップボタン挿入穴８００は、奇数個（ここでは１個）のストップボタンユニットを配置する場合と、偶数個（ここでは２個）のストップボタンユニットを配置する場合とで、それぞれ配置位置が異なるような形状にて形成されているため、配置数が変更されても隣接するストップボタン同士を均等間隔おきに配置することが出来る。
【０３９０】
ストップボタン挿入穴７９８、７９９、８００の上下部には、操作部カバー体５６１を前面枠７００に係止するために、後面から後向きに４個突設された上向きの係止爪８０４ａ及び下向きの係止爪８０４ｂを形成するための係止爪形成用穴８０５が形成されている。
【０３９１】
正面から見てストップボタン挿入穴７９８の左側方には、スタートレバーユニット４４１が挿入されるスタートレバー挿入穴８０６が形成されている。精算ボタン挿入穴８０６周りには、スタートレバーユニット４４１を水平状態に保持するための筒状片８０７が前後面からそれぞれ外方に向けて突出するように形成されており、該筒状片８０７の前端部内面所定箇所には、スタートレバーユニット４４１の装着位置を決定する位置決め用凹部８０８が凹設されている。
【０３９２】
スタートレバー挿入穴８０６のさらに左側方には、メイン装飾カバー７９０から後向きに突設される係止爪８３１ａ、８３１ｂ（図６３参照）が挿入される係止爪挿入穴８０９ａ、８０９ｂが形成されている。また、正面から見てストップボタン挿入穴７９９の右側方には、メダル詰まり解除ボタン３５が挿入される解除ボタン挿入穴８１０が形成されているとともに、さらにその右側方には、メイン装飾カバー７９０から後向きに突設される係止爪８３１ｃ（図６３参照）が挿入される係止爪挿入穴８０９ｃが形成されている。解除ボタン挿入穴８１０周りには、メダル詰まり解除ボタン３５を水平状態に保持するための筒状片８１１が後向きに突設されている。
【０３９３】
右サイド装飾カバー装着部７９６には、前記施錠装置４のシリンダ錠（図示略）が挿通されるシリンダ錠挿通穴８１２が形成されているとともに、右サイド装飾カバー７９１から後向きに突設される上向きの係止爪８３３ａ（図６０参照）が挿入される係止爪挿入穴８１３ａ及び下向きの係止爪８３３ｂ（図６０参照）が挿入される係止爪挿入穴８１３ｂが上下に２個ずつ形成されている。
【０３９４】
左サイド装飾カバー装着部７９７には、スロットマシン１の側方に並設して使用される図示しないカードユニットに接続されるメダル貸しボタン及びカード返却ボタンを取り付けるためのボタン取付部８１４ａ、８１４ｂが形成されているとともに、左サイド装飾カバー７９２から後向きに突設される上向きの係止爪８３４ａ（図６０参照）が挿入される係止爪挿入穴８１５ａ及び下向きの係止爪８３４ｂ（図６０参照）が挿入される係止爪挿入穴８１５ｂが上下に２個ずつ形成されている。
【０３９５】
操作部カバー体５６１の上端部は後向きに屈曲して後向片８２０が連設されており、該後向片８２０の正面から見て左側には、１枚ＢＥＴボタン挿入穴８２１、ＭＡＸＢＥＴボタン挿入穴８２２、精算ボタン挿入穴８２３がそれぞれ形成されている。これら略円形状の挿入穴８２１、８２２、８２３には、図６１に示されるように、各ボタンユニットの回り止めとして機能する直線部８２１ａ、８２２ａ、８２３ａがそれぞれ対向配置されているとともに、周縁後部には位置決め用凹部８２１ｂ、８２２ｂ、８２３ｂがそれぞれ形成されている。また、後向片８２０の正面から見て右側後端部には、投入メダルガイド部材９５０（図７５参照）取付用の切欠部８２４が形成されている。また、後向片８２０の上面には、前記装飾シート７９３が貼着される装飾シート貼着部８２５が凹設されている。
【０３９６】
操作部カバー体５６１の後面には、図６２（ｂ）に示されるように、８個の固定用ボス８２６が後向きに突設されており、この固定用ボス８２６の先端に、前面枠７００の後面側から取付穴７１９に挿通されたネジ７２１が止着されることで、前面枠７００の操作部カバー体装着部７２０の前方に操作部カバー体５６１が固定されるようになっている。
【０３９７】
（３−６）メイン装飾カバー
メイン装飾カバー７９０は、透明な合成樹脂材にて構成され、特に図６３に示されるように、各ストップボタンユニット４４０Ｌ、４４０Ｃ、４４０Ｒに対応する位置に、ストップボタン挿入穴８２７Ｌ、８２７Ｃ、８２７Ｒが形成されている。各ストップボタン挿入穴８２７Ｌ、８２７Ｃ、８２７Ｒの前端周縁部には、ストップボタンユニット４４０Ｌ、４４０Ｃ、４４０Ｒのフランジ部１８６８（図１８参照）が収容される収容凹溝８３９が環状に形成されているとともに、この収容凹溝８３９の底部右側には、ストップボタンユニット４４０Ｌ、４４０Ｃ、４４０Ｒの位置決め用の位置決め用凹部８２８ａ、８２８ｂ、８２８ｃが形成されている。
【０３９８】
正面から見てストップボタン挿入穴８２７Ｌの左側方には、スタートレバー３８を前方に臨ませるための円弧状の切欠部８２９が形成されているとともに、ストップボタン挿入穴８２７Ｒの右側方には、メダル詰まり解除ボタン３５を前方に臨ませるための解除ボタン挿通穴８３０が形成されている。
【０３９９】
正面から見てメイン装飾カバー７９０の左側端部近傍には、係止爪挿入穴８０９ａに挿入される上向きの係止爪８３１ａと、係止爪挿入穴８０９ｂに挿入される下向きの係止爪８３１ｂと、が後向きに突設されているとともに、正面から見てメイン装飾カバー７９０の右側端部には、係止爪挿入穴８０９ｃに挿入される外向き（右向き）の係止爪８３１ｃが後向きに突設されている。
【０４００】
後面には、図６３中１点鎖線で囲まれる拡大図に示されるように、ストップボタン挿入穴８００における特にストップボタンユニット４４０Ｃが装着されていない部分を視認不能に隠蔽するための隠蔽部としてのローレット加工が施されており、これによりメイン装飾カバー装着部７９５に形成されたストップボタン挿入穴７９８〜８００や、係止爪形成用穴８０５、係止爪挿入穴８０９ａ〜８０９ｃ等をメイン装飾カバー７９０を透して前方から視認しにくくなるため、操作部カバー体５６１の前面の外観体裁が著しく損なわれるのが防止される。
【０４０１】
なお、本実施例ではメイン装飾カバー７９０が透明な合成樹脂にて構成され、内面にローレット加工が施されることで隠蔽部としての凹凸状部が形成されていたが、後方のストップボタン挿入穴８００を透視不能とする隠蔽する隠蔽部は、前記ローレット加工による凹凸状部に限定されるものではなく、サンドブラスト加工による凹凸状部にて構成されていたり、あるいは不透明な着色材を含有または塗布させること等によって構成してもよい。
【０４０２】
このように構成されたメイン装飾カバー７９０は、最初に係止爪８３１ｃを係止爪挿入穴８０９ｃに挿入した後、他端側の係止爪８３１ａ、８３１ｂを係止爪挿入穴８０９ａ、８０９ｂに挿入する。これにより各係止爪挿入穴８０９ａ〜８０９ｃに挿入された係止爪８３１ａ〜８３１ｃが各係止爪挿入穴８０９ａ〜８０９ｃの周縁部に係止されて、メイン装飾カバー装着部７９５の前方に係止されることになる。
【０４０３】
そして、係止されたメイン装飾カバー７９０の前方からストップボタンユニット４４０Ｌ、４４０Ｃ、４４０Ｒが前方から挿入されてストップボタン挿入穴７９８〜８００に装着されることで、ストップボタンユニット４４０Ｌ、４４０Ｃ、４４０Ｒのフランジ部１８６８が収容凹溝８３９内に収容されるとともに、位置決め用凸部１８６９（図６５参照）が位置決め用凹部８２８ａ〜８２８ｃ内に嵌合されることで、メイン装飾カバー７９０の中央部のメイン装飾カバー装着部７９５からの浮き上がりが防止されることになる。
【０４０４】
このようにメイン装飾カバー７９０は、係止爪８３１ａ〜８３１ｃの係脱作用により操作部カバー体５６１に着脱自在に構成されているため、前述したようにストップボタンユニット４４０Ｌ、４４０Ｃ、４４０Ｒの配置数を３個から例えば４個に変更する場合等において、図６３（ｂ）に示されるように、４個のストップボタン挿入穴８４０ａ〜８４０ｄが形成されたメイン装飾カバー８４２に容易に交換することが出来る。
【０４０５】
よって、操作部カバー体５６１には、可変表示部の配置数の変更に伴ってストップボタンユニットの配置数を変更可能なストップボタン挿入穴７９８〜８００が予め形成されているとともに、これらストップボタン挿入穴７９８〜８００の前方を被覆するように設けられる装飾部材としてのメイン装飾カバー７９０、８４２が操作部カバー体５６１に対して交換可能に設けられるため、可変表示部の数の変更に伴うストップボタンユニットの配置数の変更を、スロットマシン１の本体を構成する操作部カバー体５６１や前面枠７００等に加工を施したり、あるいはこれらを新規なものに交換することなく、かつ、外観体裁を損なうことなく容易に行うことが出来る。
【０４０６】
詳しくは、メイン装飾カバー７９０またはメイン装飾カバー８４２によりストップボタン挿入穴７９８〜８００の前方が被覆するように装飾されるので、ストップボタン挿入穴７９８〜８００が外部に露呈して外観が損なわれたり、不正行為やいたずら等がなされるのを効果的に回避出来るばかりか、ストップボタンの配置数を変更する場合には、配置されるストップボタンユニットに対応する箇所に挿入穴８２７Ｌ、８２７Ｃ、８２７Ｒ／８４０ａ〜８４０ｄ（挿通穴）が形成されたメイン装飾カバー７９０またはメイン装飾カバー８４２に交換するだけで、特にストップボタン挿入穴８００におけるストップボタンユニットが装着されていない装着部（穴）が外部に露呈することがないため、ストップボタンユニットの配置数の変更に容易に対応することが出来る。
【０４０７】
なお、本実施例においては、予め最大４個のストップボタンユニットを配置可能なストップボタン挿入穴７９８〜８００に３個のストップボタンユニット４４０Ｌ、４４０Ｃ、４４０Ｒが配置されている状態から、ストップボタンユニットの配置数を３個から４個に増加する場合を一例として説明したが、言うまでもなく予め４個配置されていたストップボタンユニットを３個に配置数変更させることも可能である。
【０４０８】
また、本実施例のストップボタン挿入穴７９８〜８００は最大で４個配置可能に形成されていたが、配置数はこれに限定されるものではなく、予め配置数の変更が自在に構成されていれば、その数量は種々に変更可能である。
【０４０９】
（３−７）右サイド装飾カバー
右サイド装飾カバー７９１は、透明な合成樹脂材にて略三角形状に構成され、特に図１４に示されるように、シリンダ錠挿通穴８１２に対応する位置にはシリンダ錠挿入穴８３２が形成されている。上端辺部には係止爪挿入穴８１３ａに挿入される上向きの係止爪８３３ａが、また、下端辺部には係止爪挿入穴８１３ｂに挿入される下向きの係止爪８３３ｂがそれぞれ２個ずつ後向きに突設されている。
【０４１０】
後面には、特に図示はしないが、隠蔽部を構成するためのローレット加工が施されており、これにより右サイド装飾カバー装着部７９６に形成された係止爪挿入穴８１３ａ、８１３ｂ等を、右サイド装飾カバー７９１を透して前方から視認しにくくなるため、操作部カバー体５６１の前面の外観体裁が著しく損なわれるのが防止される。
【０４１１】
このように構成された右サイド装飾カバー７９１は、係止爪８３３ａを係止爪挿入穴８１３ａに、また、係止爪８３３ｂを係止爪挿入穴８１３ｂに挿入することにより、各係止爪挿入穴８１３ａ、８１３ｂに挿入された係止爪８３３ａ、８３３ｂが各係止爪挿入穴８１３ａ、８１３ｂの周縁部に係止されて、右サイド装飾カバー装着部７９６の前方に装着されることになる。
【０４１２】
（３−８）左サイド装飾カバー
左サイド装飾カバー７９２は、透明な合成樹脂材にて略三角形状に構成され、特に図６４に示されるように、上端辺部には係止爪挿入穴８１５ａに挿入される上向きの係止爪８３４ａが、また、下端辺部には係止爪挿入穴８１５ｂに挿入される下向きの係止爪８３４ｂがそれぞれ２個ずつ後向きに突設されている。
【０４１３】
後面には、特に図示はしないが、隠蔽部を構成するローレット加工が施されており、これにより左サイド装飾カバー装着部７９７に形成されたボタン取付部８１４ａ、８１４ｂや係止爪挿入穴８１５ａ、８１５ｂ等を、左サイド装飾カバー７９２を透して前方から視認しにくくなるため、操作部カバー体５６１の前面の外観体裁が著しく損なわれるのが防止される。
【０４１４】
このように構成された左サイド装飾カバー７９２は、係止爪８３４ａを係止爪挿入穴８１５ａに、また、係止爪８３４ｂを係止爪挿入穴８１５ｂに挿入することにより、各係止爪挿入穴８１５ａ、８１５ｂに挿入された係止爪８３４ａ、８３４ｂが各係止爪挿入穴８１５ａ、８１５ｂの周縁部に係止されて、左サイド装飾カバー装着部７９７の前方に装着される。すなわち、２つのボタン取付部８１４ａ、８１４ｂの前方及びその周辺を含む左サイド装飾カバー装着部７９７の前方を単一の装飾部材により被覆するように装飾することになる。
【０４１５】
左サイド装飾カバー７９２は、係止爪８３４ａ、８３４ｂを先端に有する弾性変形自在な係止片を変形させて係止爪挿入穴８１５ａ、８１５ｂへの係止状態を解除することで、操作部カバー体５６１に対して簡単に着脱することが出来るため、例えば、前述したようにスロットマシン１の側方に図示しないカードユニットを並設し、このカードユニットのメダル貸しボタン８４２やカード返却ボタン８４３等を前記ボタン取付部８１４ａ、８１４ｂにそれぞれ配設して使用する場合においては、図６４（ｂ）に示されるように、左サイド装飾カバー７９２とほぼ同様に構成される本体前面に、ボタン取付部８１４ａ、８１４ｂ及び該ボタン取付部８１４ａ、８１４ｂに配設されるメダル貸しボタン８４２及びカード返却ボタン８４３の操作部を前方に臨ませるための挿通穴８４２ａ、８４３ａが形成された左サイド装飾カバー７９２’を、左サイド装飾カバー７９２と交換して装着すれば、カードユニットを並設してメダル貸しボタン８４２やカード返却ボタン８４３を配設する場合において、操作部カバー体５６１を加工したり交換することなく、左サイド装飾カバー７９２を左サイド装飾カバー７９２’に交換して装着するだけで簡単に対応することが出来る。
【０４１６】
このように、操作部カバー体５６１には予めこれらメダル貸しボタン８４２及びカード返却ボタン８４３を配設するためのボタン取付部８１４ａ、８１４ｂが予め形成されているとともに、左サイド装飾カバー７９２を左サイド装飾カバー装着部７９７の前方に装着することで、ボタン取付部８１４ａ、８１４ｂの前方を左サイド装飾カバー７９２により被覆するように装飾することが出来るため、例えば前記カードユニットを使用しない場合において、ボタン取付部８１４ａ、８１４ｂが外部に露呈してボタン取付部８１４ａ、８１４ｂの穴等から針金等の異物が差し込まれる等の不正行為がなされるのを防止出来る。
【０４１７】
また、特に内面はローレット加工が施されて隠蔽部としての凹凸状部が形成されているため、左サイド装飾カバー７９２を透してボタン取付部８１４ａ、８１４ｂが前方から見えることがないので、外観体裁が向上する。本実施例では左サイド装飾カバー７９２が透明な合成樹脂にて構成され、内面にローレット加工が施されることで隠蔽部としての凹凸状部が形成されていたが、内部のボタン取付部８１４ａ、８１４ｂを透視不能とする隠蔽する隠蔽部は、前記ローレット加工による凹凸状部に限定されるものではなく、サンドブラスト加工によるものであったり、不透明な着色層にて構成されていてもよい。
【０４１８】
なお、言うまでもなくボタン取付部８１４ａ、８１４ｂに前記メダル貸しボタン８４２及びカード返却ボタン８４３が取り付けられていても、左サイド装飾カバー７９２を装着することで、カードユニットを使用しない場合においてメダル貸しボタン８４２及びカード返却ボタン８４３が操作不能に被覆されるため、いたずらや遊技者の誤操作等が防止されることになる。
【０４１９】
このように、操作部カバー体５６１にボタン取付部８１４ａ、８１４ｂが予め形成されていれば、メダル貸しボタン８４２及びカード返却ボタン８４３を新設する際に操作部カバー体５６１を新たに製造したものに交換したりすることなく、簡単に配設することが出来る。また、このようにゲームを進行するために操作されるゲーム用操作手段（ストップボタン４０Ｌ、４０Ｃ、４０Ｒ／スタートレバー３８／１枚ＢＥＴボタン３６ａ、ＭＡＸＢＥＴボタン３６ｂ／メダル投入部３４）を配設するための操作部カバー体５６１にボタン取付部８１４ａ、８１４ｂが形成されることで、ゲーム用操作手段やメダル貸しボタン８４２及びカード返却ボタン８４３等、操作手段系の機器類をまとめて配設することが出来るので、遊技者によるボタン操作性が向上するとともに、各種操作手段の配設部の構造や配線等を簡素化出来る。
【０４２０】
そして、例えばボタン取付部８１４ａ、８１４ｂに前記メダル貸しボタン８４２及びカード返却ボタン８４３が取り付けられていても、または取り付けられていなくても、カードユニットを使用しない場合には、左サイド装飾カバー７９２を装着することで、ボタン取付部８１４ａ、８１４ｂまたは該取付部に取り付けられたボタンの前方を被覆するように装飾することが出来る。また、カードユニットを使用する場合には、左サイド装飾カバー７９２’を装着することで、ボタン取付部８１４ａ、８１４ｂの前方または該取付部に取り付けられたボタンを操作可能な状態に露出させつつ装飾することが出来るため、機種変更やカードユニットを並設する場合等に容易に対応することが出来る。
【０４２１】
なお、本実施例においては図示しないカードユニットに接続されるメダル貸しボタン８４２及びカード返却ボタン８４３を配設可能なボタン取付部８１４ａ、８１４ｂとして説明してきたが、このボタン取付部８１４ａ、８１４ｂには、ゲームの進行に関連して操作される最低限必要なゲーム用操作手段（ストップボタン４０Ｌ、４０Ｃ、４０Ｒ、各ＢＥＴボタン３６ａ、３６ｂ、スタートレバー３８等）とは別個に設けられる操作手段であり、かつ、遊技に関連して設けられる遊技関連装置を操作するための遊技関連操作手段であれば、前記メダル貸しボタン８４２及びカード返却ボタン８４３に限定されるものではなく、例えば遊技関連装置としての演出用リール９１Ｌ、９１Ｃ、９１Ｒの回転を停止させるための演出用のストップボタンや、演出の頻度やパターン等の演出内容を切り替えるための演出切替ボタンや、演出遊技履歴情報（例えばＢＢ／ＲＢ回数、ＢＢ／ＲＢ間ゲーム数等）が表示される遊技情報表示部（図示略）の表示内容を切り替えるための操作ボタン等であってもよい。
【０４２２】
また、遊技に関連して設けられる遊技関連装置は、上記実施例において説明したスロットマシン１の側方に並設される前記カードユニットように、スロットマシン１の外部に配設される装置に限定されるものではなく、スロットマシン１の内部に設けられる装置であってもよく、例えば遊技関連装置が上記カードユニットである場合、該カードユニットに内蔵される機構がスロットマシン１の内部に設けられているものも本発明に含まれる。
【０４２３】
さらに、言うまでもなく遊技関連操作手段はボタンに限定されるものではなく、遊技者が操作可能なものであれば、スイッチやレバースイッチ等の操作手段であってもよい。
【０４２４】
また、これらボタン取付部８１４ａ、８１４ｂに配設されるメダル貸しボタン８４２及びカード返却ボタン８４３は、特に図示はしないが、基本的に前記カードユニットに内設されるカードユニット制御基板（図示略）に接続され、該カードユニット制御基板に設けられる制御手段（図示略）により操作が検出されることになる。すなわち、ボタン取付部８１４ａ、８１４ｂに配設されうる種々の操作ボタンが、遊技の進行を制御する遊技制御手段（図示略）が設けられた遊技制御基板５００とは別個に設けられる他の基板（例えばカードユニット制御基板や前記演出制御基板５０１等）に接続されていることで、前記遊技制御手段の負荷が軽減されることから好ましい。なお、遊技関連操作手段を遊技制御手段以外の制御手段により制御されるようにすれば、その制御手段の種類や機能は上記カードユニット制御基板の制御手段に限定されるものではない。
【０４２５】
（３−９）装飾シート
装飾シート７９３は、図６０に示されるように、前記後向片８２０の上面に凹設された装飾シート貼着部８２５上面に貼着するための接着剤が予め下面に塗布されているとともに、後向片８２０に形成された１枚ＢＥＴボタン挿入穴８２１、ＭＡＸＢＥＴボタン挿入穴８２２、精算ボタン挿入穴８２３、切欠部８２４それぞれに対応する箇所には、１枚ＢＥＴボタン挿入穴８２１’、ＭＡＸＢＥＴボタン挿入穴８２２’、精算ボタン挿入穴８２３’、切欠部８２４’がそれぞれ形成されている。
【０４２６】
次に、各種操作ユニットの詳細を図６５、図６６に基づいて説明する。図６５（ａ）はスタートレバーユニット４４１を示す分解斜視図であり、（ｂ）はストップボタンユニット４４０Ｌを示す分解斜視図であり、図６６（ａ）はＭＡＸＢＥＴボタンユニット４４３を示す分解斜視図であり、（ｂ）は１枚ＢＥＴボタンユニット４４２を示す分解斜視図であり、（ｃ）は精算ボタンユニット４４４を示す分解斜視図である。
【０４２７】
（３−１０）スタートレバーユニット
スタートレバー３８を形成するスタートレバーユニット４４１の構成を、図６５（ａ）に基づいて簡単に説明する。なお、図中右側がスロットマシン１への装着時における前側であるものとして説明する。
【０４２８】
スタートレバーユニット４４１は、本体部を構成する金属製の筒状体１９００と、筒状体１９００内部に遊挿されるレバー部１９０１と、筒状体１９００の後部に取り付けられる筒状のカバー体１９０２と、カバー体１９０２の後端に取り付けられる取付基板１９０３と、から主に構成されている。
【０４２９】
筒状体１９００の外周面には、軸心方向に延びる帯状の平面部１９００ａがそれぞれ対向配置されており（反対側の平面部１９００ａは図示されていない）、それぞれの平面部１９００ａには、レバー部１９０１を軸支する軸部材１９０６が挿通される軸穴１９０５が形成されている。また、平面部１９００ａを除く外周面には、筒状体１９００を前記スタートレバー挿入穴８０６内に挿入した状態で保持する固定リング１９０４を後端側から螺入するための雄ネジ部が形成されているとともに、後端側（図中左側）から螺入された固定リング１９０４とともにスタートレバー挿入穴８０６からの逸脱を規制するフランジ部１９０７が前端縁部外周に形成されている。フランジ部１９０７の後面側には、スタートレバー挿入穴８０６内に形成された位置決め用凹部８０８内に嵌合される位置決め用凸部１９１８が形成されているとともに、フランジ部１９０７の内部には、レバー部１９０１の上下方向への移動を許容する縦長の長穴が形成されている。
【０４３０】
レバー部１９０１は、棒部材１９０８と、棒部材１９０８の前端（図中右側）に螺入される球状体１９１０と、棒部材１９０８の前端と筒状体１９００との衝突音の発生を防止するための保護ゴム１９０９と、から構成される。棒部材１９０８の前端外周には保護ゴム１９０９が嵌装されるとともに、中央部には軸部材１９０６が挿通される軸挿通路１９１１が形成されている。軸挿通路１９１１の後端側には、棒部材１９０８が挿通される縦長の長穴が形成されたガイド部材１９１２と、軸部材１９０６を中心に上下に揺動自在な棒部材１９０８が常時筒状体１９００の軸心とほぼ平行な状態に保持されるように付勢するためのコイルバネ１９１３と、コイルバネ１９１３の前端側に設けられるストッパ部材１９１４と、コイルバネ１９１３の後端側に設けられるワッシャ１９１５と、ワッシャ１９１５の棒部材１９０８からの逸脱を規制する保持リング１９１６と、が装着される。
【０４３１】
保持リング１９１６は、棒部材１９０８の後部外周に形成された環状溝１９１９に嵌合して移動不能に装着される。また、棒部材１９０８の後端における外周面の一部が切り欠かれており、この後端がスタートスイッチ１０２の投・受光部間に遊挿されて光を遮蔽する遮光部とされている。
【０４３２】
カバー体１９０２の前端には複数の切込溝が形成されており、この切込溝により弾性変形自在とされた複数の片部の弾性復帰力を利用して筒状体１９００の後端部に取り付けられる。後端には、取付基板１９０３を係止するための内向きの係止爪１９１７が、切込溝により弾性変形自在とされた係止片の下端に形成されている。取付基板１９０３は、前面側にスタートスイッチ１０２が取り付けられているとともに、後面側にはケーブル接続するためのコネクタ（図示略）が取り付けられており、係止爪１９１７に係止されることでカバー体１９０２の後端開口に装着される。
【０４３３】
このように構成されたスタートレバーユニット４４１は、球状体１９１０を上下いずれかの方向に移動させて棒部材１９０８の前後端を軸部材１９０６を中心に揺動させることで、棒部材１９０８の後端の遮光部による光の遮蔽が解除されて、スタートレバー３８の操作が検出される。そして、スタートレバーユニット４４１は単体のユニットとして構成され、スタートレバー挿入穴８０６内に挿入されて固定リング１９０４を螺入することにより操作部カバー体５６１に装着されるようになっている。
【０４３４】
（３−１１）ストップボタンユニット
ストップボタン４０Ｌ、４０Ｃ、４０Ｒを形成するストップボタンユニット４４０Ｌ、４４０Ｃ、４４０Ｒの構成を、図６５（ｂ）に基づいて簡単に説明する。なお、３個のストップボタンユニット４４０Ｌ、４４０Ｃ、４４０Ｒは全て同一に構成されているため、図６５（ｂ）においては左側のストップボタンユニット４４０Ｌを図示して説明することで、他のストップボタンユニット４４０Ｃ、４４０Ｒの説明は省略することとする。また、図中右側がスロットマシン１への装着時における前側であるものとして説明する。
【０４３５】
ストップボタンユニット４４０Ｌは、本体部を構成する筒状体１８６０と、筒状体１８６０内部に軸心方向に摺動自在に嵌挿される操作ボタン１８６１と、操作ボタン１８６１を前方に向けて付勢するコイルバネ１８６２と、筒状体１８６０における操作ボタン１８６１の反対側の開口に装着される取付基板１８６３と、から主に構成されている。
【０４３６】
筒状体１８６０の外周面には、軸心方向に延びる帯状の平面部１８６４ａ、１８６４ｂがそれぞれ対向位置されている（反対側の平面部１８６４ａ、１８６４ｂは図示されていない）。互いに対向する２つの平面部１８６４ａの後端には、ストップボタン挿入穴７９８〜８００の開口後端縁部に係止される外向きの係止爪１８６５が、切欠溝を介して弾性変形自在に形成されているとともに、それぞれの平面部１８６４ａにおける係止爪１８６５の前方位置には、操作ボタン１８６１を係止するための係止穴１８６６がそれぞれ形成されている。また、互いに対向する２つの平面部１８６４ｂの後端には、取付基板１８６３を係止するための内向きの係止爪１８６７が、切欠溝を介して弾性変形自在に形成されている。
【０４３７】
筒状体１８６０の前端縁部には、ストップボタン挿入穴８２７Ｌ、８２７Ｃ、８２７Ｒの前端縁部に係止される外向きのフランジ部１８６８が環状に形成されるとともに、このフランジ部１８６８の後面における一方の平面部１８６４ｂ側（図中手前側）には、前記位置決め用凹部８２８ａに嵌合する位置決め用凸部１８６９が突設されている。
【０４３８】
操作ボタン１８６１は、筒状のボタン本体１８７０と、ボタン本体１８７０の前端開口を閉塞するように装着される蓋部材１８７１と、から構成される。蓋部材１８７１の前面１８７１ａは遊技者により押圧される操作部を構成しており、その前面は取付基板１８６３に取り付けられる前記操作有効ＬＥＤ１２２Ｌからの光を前方に透過すべく透明な合成樹脂材にて形成されている。
【０４３９】
蓋部材１８７１は、ボタン本体１８７０の外周面対向位置にそれぞれ形成された凸部１８７２に対応する箇所に形成された穴部１８７３を前記凸部１８７２に係止させることで、ボタン本体１８７０と一体化されて操作ボタン１８６１が形成されるようになっている。また、ボタン本体１８７０と蓋部材１８７１との間には、前記操作有効ＬＥＤ１２２Ｌからの光を前方に透過するとともに、筒状体１８６０内部を前方から視認不能とするために乳白色に着色された透光板１８７４が内蔵される。
【０４４０】
ボタン本体１８７０の外周面には、筒状体１８６０の係止穴１８６６に係脱される外向きの係止爪１８７５が、切欠溝を介して弾性変形自在に形成されている。よって、筒状体１８６０内に嵌挿した際においてコイルバネ１８６２により前方に付勢される操作ボタン１８６１は、係止爪１８７５の係止作用により操作ボタン１８６１の筒状体１８６０からの前方への逸脱が規制され、また、操作ボタン１８６１がコイルバネ１８６２の付勢力に抗して押圧された際において、筒状体１８６０内に形成された図示しない規制部により後方移動が規制されるようになっている。
【０４４１】
さらにボタン本体１８７０には、コイルバネ１８６２の付勢力に抗して後端位置まで押圧された際において、操作ボタン１８６１の押圧操作が取付基板１８６３に取り付けられた上向きコ字状のストップスイッチ１０３Ｌの投・受光部間に遊挿される遮蔽片１８７６が形成されている。この遮蔽片１８７６がストップスイッチ１０３Ｌの投・受光部間に遊挿されて光を遮蔽することにより、操作ボタン１８６１の押圧操作が検出される。
【０４４２】
取付基板１８６３は、前面側に操作有効ＬＥＤ１２２Ｌ及びストップスイッチ１０３Ｌが取り付けられているとともに、後面側にはケーブル接続するためのコネクタ（図示略）が取り付けられており、係止爪１８６７に係止されることで筒状体１８６０の後端開口に装着される。また、外周縁部には、一方の係止爪１８６７が嵌合される位置決め用切欠部１８７７が形成されているが、他方の係止爪１８６７に対応する箇所は前記位置決め用切欠部１８７７とは異なる形状とされていることで位置決めがなされるようになっている。
【０４４３】
このように、ストップボタンユニット４４０Ｌは単体のユニットとして構成され、ストップボタン挿入穴７９８内に挿入されることにより操作部カバー体５６１に装着されるようになっている。
【０４４４】
（３−１２）ＭＡＸＢＥＴボタンユニット
ＭＡＸＢＥＴボタン３６ｂを形成するＭＡＸＢＥＴボタンユニット４４３の構成を図６６（ａ）に基づいて簡単に説明する。
【０４４５】
ＭＡＸＢＥＴボタンユニット４４３は、本体部を構成する筒状体１７６０と、筒状体１７６０内部に軸心方向に摺動自在に嵌挿される操作ボタン１７６１と、操作ボタン１７６１を前方に向けて付勢するコイルバネ１７６２と、筒状体１７６０における操作ボタン１７６１の反対側の開口に装着される取付基板１７６３と、から主に構成されている。
【０４４６】
筒状体１７６０における下部側の小径筒部外周面には、軸心方向に延びる帯状の平面部１７６４ａ、１７６４ｂがそれぞれ対向配置されている（反対側の平面部１７６４ａ、１７６４ｂは図示されていない）。互いに対向する２つの平面部１７６４ａの後端には、取付基板１７６３を係止するための内向きの係止爪１７６７が、切欠溝を介して弾性変形自在に形成されている。上部側の大径筒部外周面における平面部１７６４ａの上方位置には、ＭＡＸＢＥＴボタン挿入穴８２２の開口後端縁部に係止される外向きの係止爪１７６５が、切欠溝を介して弾性変形自在に形成されているとともに、大径筒部内面における平面部１７６４ｂの上方位置には、操作ボタン１７６１を係止するための係止凹部１７６６がそれぞれ対向配置されている。
【０４４７】
筒状体１７６０の前端縁部には、ＭＡＸＢＥＴボタン挿入穴８２２の前端縁部に係止される外向きのフランジ部１７６８が環状に形成されるとともに、このフランジ部１７６８の後面における一方の平面部１７６４ｂ側（図中奥側）には、前記位置決め用凹部８２２ｂに嵌合する位置決め用凸部１７６９が突設されている。
【０４４８】
操作ボタン１７６１は、筒状のボタン本体１７７０と、ボタン本体１７７０の前端開口を閉塞するように装着される蓋部材１７７１と、から構成される。蓋部材１７７１の前面１７７１ａは遊技者により押圧される操作部を構成しており、その前面は取付基板１７６３に取り付けられる前記ＭＡＸＢＥＴボタンＬＥＤ１２１からの光を前方に透過すべく透明な合成樹脂材にて形成されている。
【０４４９】
蓋部材１７７１は、ボタン本体１７７０の外周面対向位置にそれぞれ形成された凸部１７７２に対応する箇所に形成された穴部１７７３を前記凸部１７７２に係止させることで、ボタン本体１７７０と一体化されて操作ボタン１７６１が形成されるようになっている。また、ボタン本体１７７０と蓋部材１７７１との間には、前記ＭＡＸＢＥＴボタンＬＥＤ１２１からの光を前方に透過するとともに、筒状体１７６０内部を前方から視認不能とするために乳白色に着色されるとともに、「ＭＡＸＢＥＴ」なる文字が描かれた透光板１７７４が内蔵される。
【０４５０】
ボタン本体１７７０の外周面には、筒状体１７６０の係止凹部１７６６に係脱される外向きの係止爪１７７５が、切欠溝を介して弾性変形自在に形成されている。よって、筒状体１７６０内に嵌挿した際においてコイルバネ１７６２により前方に付勢される操作ボタン１７６１は、係止爪１７７５の係止作用により操作ボタン１７６１の筒状体１７６０からの前方への逸脱が規制され、また、操作ボタン１７６１がコイルバネ１７６２の付勢力に抗して押圧された際において、筒状体１７６０内に形成された図示しない規制部により後方移動が規制されるようになっている。
【０４５１】
さらにボタン本体１７７０には、コイルバネ１７６２の付勢力に抗して後端位置まで押圧された際において、操作ボタン１７６１の押圧操作が取付基板１７６３に取り付けられた上向きコ字状のＭＡＸＢＥＴスイッチ１０１の投・受光部間に遊挿される遮蔽片１７７６が形成されている。この遮蔽片１７７６がＭＡＸＢＥＴスイッチ１０１の投・受光部間に遊挿されて光を遮蔽することにより、操作ボタン１７６１の押圧操作が検出される。
【０４５２】
取付基板１７６３は、前面側にＭＡＸＢＥＴボタンＬＥＤ１２１及びＭＡＸＢＥＴスイッチ１０１が取り付けられているとともに、後面側にはケーブル接続するためのコネクタ（図示略）が取り付けられており、係止爪１７６７に係止されることで筒状体１７６０の後端開口に装着される。また、外周縁部には、一方の係止爪１７６７が嵌合される位置決め用切欠部１７７７が形成されているが、他方の係止爪１７６７に対応する箇所は前記位置決め用切欠部１７７７とは異なる形状とされていることで位置決めがなされるようになっている。
【０４５３】
このように、ＭＡＸＢＥＴボタンユニット４４３は単体のユニットとして構成され、ＭＡＸＢＥＴボタン挿入穴８２２内に挿入されることにより操作部カバー体５６１に装着されるようになっている。
【０４５４】
（３−１３）１枚ＢＥＴボタンユニット
１枚ＢＥＴボタン３６ａを形成する１枚ＢＥＴボタンユニット４４２の構成を図６６（ｂ）に基づいて簡単に説明する。
【０４５５】
１枚ＢＥＴボタンユニット４４２は、本体部を構成する筒状体１６６０と、筒状体１６６０内部に軸心方向に摺動自在に嵌挿される操作ボタン１６６１と、操作ボタン１６６１を前方に向けて付勢するコイルバネ１６６２と、筒状体１６６０における操作ボタン１６６１の反対側の開口に装着される取付基板１６６３と、から主に構成されている。
【０４５６】
筒状体１６６０における外周面には、軸心方向に延びる帯状の平面部１６６４ａがそれぞれ対向配置されている（反対側の平面部１６６４ａは図示されていない）。互いに対向する２つの平面部１６６４ａの後端には、取付基板１６６３を係止するための内向きの係止爪１６６７が、切欠溝を介して弾性変形自在に形成されている。平面部１７６４ａの上方位置には、１枚ＢＥＴボタン挿入穴８２１の開口後端縁部に係止される外向きの係止爪１６６５が、切欠溝を介して弾性変形自在に形成されている。内周面における係止爪１６６５間には、操作ボタン１６６１を係止するための係止凹部１６６６がそれぞれ対向配置されている。
【０４５７】
筒状体１６６０の前端縁部には、１枚ＢＥＴボタン挿入穴８２１の前端縁部に係止される外向きのフランジ部１６６８が環状に形成されるとともに、このフランジ部１６６８の後面における所定箇所（図中奥側）には、前記位置決め用凹部８２１ｂに嵌合する位置決め用凸部１６６９が突設されている。
【０４５８】
操作ボタン１６６１は、筒状のボタン本体１６７０と、ボタン本体１６７０の前端開口を閉塞するように装着される蓋部材１６７１と、から構成される。蓋部材１６７１の前面１６７１ａは遊技者により押圧される操作部を構成しており、その前面１６７１ａには１枚賭けを示す「１」の数字が刻設されている。
【０４５９】
蓋部材１６７１は、ボタン本体１６７０の外周面対向位置にそれぞれ形成された凸部１６７２に対応する箇所に形成された穴部１６７３を前記凸部１６７２に係止させることで、ボタン本体１６７０と一体化されて操作ボタン１６６１が形成されるようになっている。
【０４６０】
ボタン本体１６７０の外周面には、筒状体１６６０の係止凹部１６６６に係脱される外向きの係止爪１６７５が、切欠溝を介して弾性変形自在に形成されている。よって、筒状体１６６０内に嵌挿した際においてコイルバネ１６６２により前方に付勢される操作ボタン１６６１は、係止爪１６７５の係止作用により操作ボタン１６６１の筒状体１６６０からの前方への逸脱が規制され、また、操作ボタン１６６１がコイルバネ１６６２の付勢力に抗して押圧された際において、筒状体１６６０内に形成された図示しない規制部により後方移動が規制されるようになっている。
【０４６１】
さらにボタン本体１６７０には、コイルバネ１６６２の付勢力に抗して後端位置まで押圧された際において、操作ボタン１６６１の押圧操作が取付基板１６６３に取り付けられた上向きコ字状の１枚ＢＥＴスイッチ１００の投・受光部間に遊挿される遮蔽片１６７６が形成されている。この遮蔽片１６７６が１枚ＢＥＴスイッチ１００の投・受光部間に遊挿されて光を遮蔽することにより、操作ボタン１６６１の押圧操作が検出される。
【０４６２】
取付基板１６６３は、前面側に１枚ＢＥＴスイッチ１００が取り付けられているとともに、後面側にはケーブル接続するためのコネクタ（図示略）が取り付けられており、係止爪１６６７に係止されることで筒状体１６６０の後端開口に装着される。また、外周縁部には、位置決め用切欠部１６７７が形成されている。
【０４６３】
このように、１枚ＢＥＴボタンユニット４４２は単体のユニットとして構成され、１枚ＢＥＴボタン挿入穴８２１内に挿入されることにより操作部カバー体５６１に装着されるようになっている。
【０４６４】
（３−１４）精算ボタンユニット
精算ボタン３７を形成する精算ボタンユニット４４４の構成を図６６（ｃ）に基づいて簡単に説明する。
【０４６５】
精算ボタンユニット４４４は、本体部を構成する筒状体１５６０と、筒状体１５６０内部に軸心方向に摺動自在に嵌挿される操作ボタン１５６１と、操作ボタン１５６１を前方に向けて付勢するコイルバネ１５６２と、筒状体１５６０における操作ボタン１５６１の反対側の開口に装着される取付基板１５６３と、から主に構成されている。
【０４６６】
筒状体１５６０における外周面には、軸心方向に延びる帯状の平面部１５６４ａがそれぞれ対向配置されている（反対側の平面部１５６４ａは図示されていない）。互いに対向する２つの平面部１５６４ａの後端には、取付基板１５６３を係止するための内向きの係止爪１５６７が、切欠溝を介して弾性変形自在に形成されている。平面部１５６４ａの上方位置には、精算ボタン挿入穴８２３の開口後端縁部に係止される外向きの係止爪１５６５が、切欠溝を介して弾性変形自在に形成されている。内周面における係止爪１５６５間には、操作ボタン１５６１を係止するための係止凹部１５６６がそれぞれ対向配置されている。
【０４６７】
筒状体１５６０の前端縁部には、精算ボタン挿入穴８２３の前端縁部に係止される外向きのフランジ部１５６８が環状に形成されるとともに、このフランジ部１５６８の後面における所定箇所（図中奥側）には、前記位置決め用凹部８２１ｂに嵌合する位置決め用凸部１５６９が突設されている。
【０４６８】
操作ボタン１５６１は、筒状のボタン本体１５７０と、ボタン本体１５７０の前端開口を閉塞するように装着される蓋部材１５７１と、から構成される。蓋部材１５７１の前面１５７１ａは遊技者により押圧される操作部を構成している。
【０４６９】
蓋部材１５７１は、ボタン本体１５７０の外周面対向位置にそれぞれ形成された凸部１５７２に対応する箇所に形成された穴部１５７３を前記凸部１５７２に係止させることで、ボタン本体１５７０と一体化されて操作ボタン１５６１が形成されるようになっている。
【０４７０】
ボタン本体１５７０の外周面には、筒状体１５６０の係止凹部１５６６に係脱される外向きの係止爪１５７５が、切欠溝を介して弾性変形自在に形成されている。よって、筒状体１５６０内に嵌挿した際においてコイルバネ１５６２により前方に付勢される操作ボタン１５６１は、係止爪１５７５の係止作用により操作ボタン１５６１の筒状体１５６０からの前方への逸脱が規制され、また、操作ボタン１５６１がコイルバネ１５６２の付勢力に抗して押圧された際において、筒状体１５６０内に形成された図示しない規制部により後方移動が規制されるようになっている。
【０４７１】
さらにボタン本体１５７０には、コイルバネ１５６２の付勢力に抗して後端位置まで押圧された際において、操作ボタン１５６１の押圧操作が取付基板１５６３に取り付けられた上向きコ字状の精算スイッチ１０４の投・受光部間に遊挿される遮蔽片１５７６が形成されている。この遮蔽片１５７６がＭＡＸＢＥＴスイッチ１０４の投・受光部間に遊挿されて光を遮蔽することにより、操作ボタン１５６１の押圧操作が検出される。
【０４７２】
取付基板１５６３は、前面側に精算スイッチ１０４が取り付けられているとともに、後面側にはケーブル接続するためのコネクタ（図示略）が取り付けられており、係止爪１５６７に係止されることで筒状体１５６０の後端開口に装着される。また、外周縁部には、位置決め用切欠部１５７７が形成されている。
【０４７３】
このように、精算ボタンユニット４４４は単体のユニットとして構成され、精算ボタン挿入穴８２３内に挿入されることにより操作部カバー体５６１に装着されるようになっている。
【０４７４】
次に、下部パネル７の詳細を図６７、図６８に基づいて説明する。図６７は下部パネル７と下部パネル装飾枠５５１との関係を示す斜視図であり、図６８（ａ）は図６７のＡ−断面図、Ａ’−断面図、Ｂ−断面図、Ｂ’−断面図であり、（ｂ）は下部パネル７が装着された下部パネル装飾枠５５１が前面枠７００に取り付けられた状態を示す断面図である。
【０４７５】
（３−１５）下部パネル
下部パネル７は、図６７及び図６８に示される下部パネル装飾枠５５１の後面に一体的に取り付けられた状態で前面枠７００の前面下部に取り付けられる。下部パネル装飾枠５５１は合成樹脂により横長の四角枠状に形成されており、その上片部所定箇所からそれぞれ後向きに延設される弾性変形自在な係止片の先端には、係止爪挿入穴７２８に挿入されて開口後端縁部に係止される上向きの係止爪５８５ａ〜５８５ｃが形成されているとともに、下片部所定箇所からそれぞれ後向きに延設される弾性変形自在な係止片の先端には、係止爪挿入穴７３６に挿入されて開口後端縁部に係止される上向きの係止爪５８５ｄ、５８５ｅが形成されている。前記上片部における係止爪５８５ｂの近傍には、下部パネル７の上部に形成される２個の係止凸部５８６が係合される係合穴５８７が形成されている。
【０４７６】
下片部上面には、取り付けられた下部パネル７の前面側下端部を係止する前後方向を向く係止リブ５８８ａ〜５８８ｃが３箇所に形成されているとともに、下部パネル７の後端縁部を係止する係止凸部５８９が２箇所に形成されている。
【０４７７】
下部パネル７は、透明な合成樹脂により構成され、その表示面には例えば機種のタイトル名などが印刷形成されており、下部パネル装飾枠５５１の後面側に装着可能な形状に形成されている。下部パネル７の上片部には、前記係合穴５８７内に係脱される係止凸部５８６が上向きに突設されているとともに、左右及び中央位置には、前面枠７００への装着時において前面枠７００の前面所定箇所に当接してパネルの撓みを防止する後向きの当接規制部５９０ａを形成するための前後方向を向く凹みが形成されている。下片部における左右及び中央位置には、前面枠７００への装着時において前面枠７００の前面に突設された当接規制ボス７３５の前面に当接してパネルの撓みを防止する後向きの当接規制部５９０ｂを形成するための前後方向を向く凹みが形成されている。
【０４７８】
このように構成される下部パネル７は、図６８（ａ）に示されるように、その前面を下部パネル装飾枠５５１の後面側に対向させて押し当てるようにして取り付けられる。詳しくは、図６８（ｂ）に示されるように、下部パネル７の前面周縁部が下部パネル装飾枠５５１の開口端縁部に当接された状態で、上部の係止凸部５８６が係合穴５８７内に係合されるとともに、下端縁部が係止凸部５８９に係止されることで、下部パネル装飾枠５５１の後面からの逸脱が規制されて装着されることになる。なお、下部パネル７を交換する場合等においては、下部パネル装飾枠５５１の上片部及び下片部を変形させれば前記係止凸部５８６、５８９による係止作用が簡単に解除されるため、容易に取り外すことが出来る。
【０４７９】
このように下部パネル７が一体化された下部パネル装飾枠５５１は、図６８（ｂ）に示されるように、弾性変形自在に形成された各係止片に形成された係止爪５８５ａ〜５８５ｃを係止爪挿入穴７２８内に挿入してその開口後端縁部に係止させるとともに、係止爪５８５ｄ、５８５ｅを係止爪挿入穴７３６内に挿入してその開口後端縁部に係止させることで、前面枠７００の前面下部に取り付けられる。また、前述したように下部パネル７を交換する場合等においては、前面枠７００の後面側から各係止爪５８５ａ〜５８５ｅの係止状態を解除させれば、下部パネル装飾枠５５１を前面枠７００から容易に取り外すことが出来る。
【０４８０】
次に、メダル受皿１０の詳細を図６９に基づいて説明する。図６９はメダル受皿１０の構造を示す分解斜視図である。
【０４８１】
（３−１６）メダル受皿
メダル受皿１０は、その本体部は合成樹脂により構成されており、本体部にはメダル受部２８５と灰皿装着部２８６とが形成されている。メダル受部２８５の上面には、本体部を保護するための金属製のメダル受板２７３が２個のネジ２８７を後方からメダル受板取付用ネジ穴２７１に螺入することにより取り付けられている。灰皿装着部２８６には、灰皿１３を回動自在に支持する軸部２８８が左右側方にそれぞれ突設されている。なお、灰皿１３は、本体部１３ａとその前方を被覆する灰皿カバー１３ｂとから構成されており、灰皿カバー１３ｂをネジ２８９を介して本体部１３ａに止着することで、軸部２８８の軸受部が形成されるようになっている。
【０４８２】
メダル受皿１０の本体部後面左右側には、前面枠７００の取付穴７５６ａの前方に形成された嵌合凹部内に嵌合される取付用ボス２９０ａが後向きに突設されているとともに、灰皿装着部２８６の後方には、前面枠７００のボス嵌合穴７４４内に嵌合される取付用ボス２９０ｂが後向きに突設されている。
【０４８３】
このように構成されたメダル受皿１０は、図５１に示されるように、前面枠７００の後面側から螺入されるネジ７５５ａが取付用ボス２９０ａのネジ穴（図示略）内に螺入されるとともに、ネジ７５５ｃが取付用ボス２９０ｂのネジ穴（図示略）内に螺入され、さらにネジ７５５ｂがメダル受皿取付用ネジ穴２７０内に螺入されることで、前面枠７００の前面最下部に取り付けられる。
【０４８４】
（４）前面扉の後面
前面枠７００の後面側の構成について、主に図７０〜図７６を参照して説明する。図７０は前面枠７００を示す背面図であり、図７１は前面枠７００を斜め後方から見た斜視図であり、図７２は前面扉３を構成する枠部材と前面枠７００との関係を示す斜視図であり、図７３は各種枠板を示す斜視図であり、図７４は各種枠板及び取付板及び基板を示す斜視図であり、図７５は前面扉３を構成する各種部材及び装置と前面枠７００との関係を示す斜視図である。まず、前面枠７００の後面側の構成について、主として図７０及び図７１を参照して説明する。なお、図７０及び図７１においては、図中手前側が前面枠７００の後側、反対側が前面枠７００の前側として説明する。
【０４８５】
（４−１）前面枠の後面
前面枠７００は、合成樹脂によって一体的に成形されているものであり、その中央よりやや上部には、遊技パネル開口７０１が開設されている。遊技パネル開口７０１の上部には、演出用ユニット９０の演出用リール９１Ｌ、９１Ｃ、９１Ｒを前方に臨ませるための演出用ユニット開口７０２と、高音スピーカ１３６Ｌ、１３６Ｒが挿通されるスピーカ用開口７０３Ｌ、７０３Ｒと、が開設されている。遊技パネル開口７０１下部には、ストップボタン４０Ｌ、４０Ｃ、４０Ｒが挿通されるストップボタン開口７０４と、メダル詰まり解除ボタン３５が挿通されるメダル詰まり解除ボタン開口７０５と、前記施錠装置４のシリンダ錠（図示略）が挿通されるシリンダ錠開口７０６が開設されている。
【０４８６】
前面枠７００の上端辺左右側端部には、前面枠７００を補強するための上部枠板（図示略）を止着するためのネジ（図示略）が螺入されるネジ穴９０２ａ、９０２ｂがそれぞれ形成されているとともに、これらネジ穴９０２ａ、９０２ｂ間には、前記上部枠板（図示略）を位置決めするための位置決め用ボス９０１ａ、９０１ｂが後向きに突設されている。
【０４８７】
演出用ユニット開口７０２の上方には、前記ドアベース中継基板５０６（図７２参照）を止着するためのネジ９６９が螺入されるネジ穴９００が４個形成されているとともに、位置決め用ボス９０１の近傍には、前面側に設けられる上部ＬＥＤ基板５４４とドアベース中継基板５０６とを接続するケーブルを挿通するためのケーブル挿通用開口７１０が形成されている。また、演出用ユニット開口７０２それぞれの角部の外側には、上部パネルカバー体５６０から後向きに突設される係止爪（図１３参照）が挿入される係止爪挿入穴７１２が４個形成されている。
【０４８８】
高音スピーカ用開口７０３Ｌ、７０３Ｒの周囲には、スピーカ１３６Ｌ、１３６Ｒを止着するためのネジ７１４ａ、７１４ｂ（図５１参照）が螺入されるネジ穴７１５ａ、７１５ｂが形成されている。
【０４８９】
演出用ユニット開口７０２と遊技パネル開口７０１との間には、演出用ユニット９０及び遊技パネルユニット９５を取り付けるための上部取付枠板（図７２参照）及び左右側部枠板（図７２参照）を止着するためのネジ（図７２参照）が螺入されるネジ穴９０３ａ、９０３ｂがそれぞれ左右端部に形成されているとともに、左右のネジ穴９０３ａ、９０３ｂ間には、前記上部枠板（図７２参照）を位置決めするための位置決め用ボス９０４が後向きに２個突設されている。
【０４９０】
遊技パネル開口７０１の下方には、前記ストップボタン開口７０４、メダル詰まり解除ボタン開口７０５、シリンダ錠開口７０６が形成されているとともに、操作部カバー体５６１を取り付けるためのネジ７２１（図５１参照）が挿通される取付穴７１９が所定箇所に８個形成されている。ストップボタン開口７０４の側方には、操作部カバー体５６１に設けられるスタートレバー３８や各種ボタン３６ａ、３６ｂ、３７との干渉を回避するための切欠部７２２が遊技パネル開口７０１に連通するように形成されている。
【０４９１】
遊技パネル開口７０１の下端縁部には、後向きに屈曲する後向片７２３が形成されており、該後向片７２３の後端における図中左側端部には、メダル投入部３４を構成する投入メダルガイド部材９５０（図７５参照）を装着するための切欠部７２４が形成されている。切欠部７２４の所定箇所には、前記投入メダルガイド部材９５０（図７５参照）を位置決めするための位置決め用凹部７２４ａが形成されている。
【０４９２】
後向片７２３の下方には、遊技パネルユニット９５を取り付けるための下部取付枠（図７２参照）を止着するための４個のネジ穴９０６が、左右方向に向けて所定間隔おきに形成されているとともに、中央の２個のネジ穴９０６間には、前記下部取付枠（図７２参照）を位置決めするための位置決め用ボス９０７が後向きに突設されている。また、後向片７２３の下方における切欠部７２４に対応する箇所には、前記投入メダルガイド部材９５０（図７５参照）及び前記投入メダルセレクタ７１を取り付けるメダルセレクタ取付部材９５１（図７５参照）を固定するためのネジ（図７５参照）が螺入される２個のネジ穴９０８ａが形成されている。
【０４９３】
下方の４個の取付穴７１９それぞれの近傍には、下部パネル装飾枠５５１の上部から後向きに突設される前記係止爪１０１０ａ（図５５参照）が挿入される係止爪挿入穴７２８が、左右側及び中央に３個形成されている。また、図中正面から見てストップボタン開口７０４の左側のメダルセレクタ装着部９１０には、前記投入メダルセレクタ７１を取り付けるメダルセレクタ取付部材９５１（図７５参照）を固定するためのネジ９７０ａ（図７５参照）が螺入されるネジ穴９０８ｂが１個形成されているとともに、メダルセレクタ取付部材９５１を位置決めするための位置決め用凸部９１１が２個形成されている。
【０４９４】
メダルセレクタ装着部９１０の下方には、メダル返却通路部材７３の上部を取り付けるためのネジ２４６（図７５参照）が螺入される２個のネジ穴９１２ａと、メダル返却通路部材７３の中央部を取り付けるためのネジ２４６（図７５参照）が螺入される１個のネジ穴９１２ｂと、が形成されている。
【０４９５】
図中正面から見てメダルセレクタ装着部９１０の右側側方には、機種共通装置中継基板としての前記操作部中継基板５０７を装着するための操作部中継基板取付部９１３が形成されている。操作部中継基板取付部９１３には、図２１に示されるように、操作部中継基板５０７を保護する基板カバー９１４が遊嵌されるコ字形の規制部としての突条９１５ａ、９１５ｂが後向き（図中手前側）に突設されるとともに、突条９１５ａ、９１５ｂの短辺部それぞれの外側には、ガイド片９１６が後向き（図中手前側）に突設されている。左右のガイド片９１６の上端には、内側に向かって傾斜する傾斜面９１６ａ（図８３（ａ）〜（ｃ）参照）がそれぞれ形成されている。
【０４９６】
突条９１５ａと突条９１５ｂとの間は離間されており、この離間部には、基板カバー９１４に形成された係止爪９４９ａ、９４９ｂが挿入される係止爪挿入穴７３８が上下に形成されているとともに、上部の係止爪挿入穴７３８の上部、及び下部の係止爪挿入穴７３８の下部はそれぞれ後側（図中手前側）に向かって隆起しており、その先端部にはそれぞれ内側に向かって傾斜する傾斜面９０５ａ、９０５ｂがそれぞれ形成されている。
【０４９７】
メダルセレクタ装着部９１０及び操作部中継基板取付部９１３のさらに下方には、前面側（図中奥側）に設けられる前記蛍光灯１３９から延設されるコードを前面枠７００の後面側に挿通させるためのコード挿通穴７３４が、図中正面から見て右側に形成されているとともに、下部パネル装飾枠５５１（図５５参照）の下部から後向きに突設される係止爪１０１０ｂ（図５５参照）が挿入される係止爪挿入穴７３６が左右に２個形成されている。
【０４９８】
左右の係止爪挿入穴７３６、７３６間には、前記メダル返却通路部材７３を位置決めするための横長の位置決め用係止部９１７が後向きに突設形成されているとともに、この位置決め用係止部９１７の長手方向の両端部近傍には、メダル受皿１１に対応して設けられる保護板２７２（図６９参照）の上端に形成される係止片２７６（図５３参照）が挿入される係止片挿入穴７５９が２個形成されている。
【０４９９】
位置決め用係止部９１７の下方には、メダル払出開口７４２が形成されているとともに、その下端辺部近傍にはメダル返却通路部材７３の下部を取り付けるためのネジ２４６（図７５参照）が螺入される１個のネジ穴９１２ｃが形成されている。メダル払出開口７４２の左側方には、スピーカ取付用のネジ（図示略）が螺入されるスピーカ取付穴７５が、該図示しないスピーカから出力される音を前方に向けて放音するための放音開口７４３周りに形成された楕円形状のリブ７６の外周に沿うように４個設けられているとともに、位置決め用ボス７７が後向きに突設されており、スピーカを取り付けることが出来るようになっている。
【０５００】
メダル払出開口７４２の右側方には、蛍光灯用インバータ１２５を取り付けるためのネジ（図７５参照）が螺入されるネジ穴９１８ａ、９１８ｂと、インバータを位置決めするための位置決め用ボス９１９ａ、９１９ｂと、が形成されている。これらネジ穴９１８ａ、９１８ｂ及び位置決め用ボス９１９ａ、９１９ｂは、それぞれネジ穴と位置決め用ボスとが上下一対に一体的に形成されており、左右のネジ穴と位置決め用ボスとがそれぞれ対角線上に配置されるように形成されている。
【０５０１】
位置決め用ボス９１９ｂの右側近傍には、メダル受皿１０から後向きに突設された取付用ボス２９２ｂ（図６９参照）が嵌合されるとともに、メダル受皿１０を止着するネジ７５５ｃ（図５１参照）が取付けられる取付穴７４４ａを有するボス嵌合穴７４４を形成するためのボスが後向き（図中手前側）に突設されている。
【０５０２】
前面枠７００の下端辺部及びその近傍の左右側部には、メダル受皿１０を取り付けるためのネジ７５５ａ（図５１参照）が挿通される取付穴７５６ａが左右に２個、ネジ７５５ｃ（図５１参照）が挿通される取付穴７５６ｂが下端辺部に３個形成されているとともに、取付穴７５６ｂ間には、メダル受皿１０に取り付けられるネジ（図示略）の頭部との干渉を回避するための孔部７６０が２個形成されている。
【０５０３】
前面枠７００の下端辺部の左右両端部には、前面枠７００を補強するための下部枠板８８０（図７２参照）を取り付けるためのネジ８４８ｂ、８６４ｂ（図７２参照）が螺入されるネジ穴９２０ａ、９２０ｂが形成されているとともに、図中向かって左側の取付穴７５６ｂの側部、及びネジ穴９２０ｂの近傍には、前記下部枠板８８０（図７２参照）を位置決めするための位置決め用ボス９２１ａ、９２１ｂがそれぞれ後向きに突設されている。
【０５０４】
前面枠７００における図中向かって左側の端辺部には、前面枠７００を補強するための左側部枠板８４５（図７２参照）を取り付けるためのネジ８４８、８４８ａ、８４８ｂ（図７２参照）が螺入されるネジ穴９０２ａ、９０３ａ、９０４ａ、９２０ａが上下方向に向かって形成されているとともに、ネジ穴９０２ａ、９０３ａ間及びネジ穴９０４ａ、９２０ａ間には、左側部枠板（図示略）を位置決めするための位置決め用ボス９２４ａ、９２４ｂがそれぞれ後向き（図中手前側）に突設されている。
【０５０５】
また、前面側に設けられる上部のサイドＬＥＤ基板５４６ａ（図１３参照）から延設されるコードを係止するためのコード係止フック及び中央及び下部のサイドＬＥＤ基板５４６ｂ、５４６ｃ（図５１参照）から延設されるコードをまとめて係止するためのコード係止フックを形成するためのフック形成用穴９２２ａ、９２２ｂが形成されている。また、これらコードは、前記係止爪挿入穴７１２の側方に形成されたコード挿通用穴７７４ｂを介して前面枠７００の後面側（図中手前側）に挿通される。
【０５０６】
ネジ穴９０２ａ、９０３ａ、取付穴７５６ａの近傍には、遊技効果ＬＥＤ部４２Ｒを構成するＬＥＤカバー体５５０Ｒを固定するためのネジ７７９ｂ（図５１参照）が取り付けられる取付穴７８０ｂがそれぞれ形成されている。また、前面枠７００における図中向かって左側の端縁には、ガイド片７７８が上下方向にわたって前向きに突設されているとともに、ガイド片７７８の内側には、前記ＬＥＤカバー体５５０Ｒから後向きに突設された係止爪５５３（図５２参照）が挿入される係止爪挿入穴７７６がガイド片７７８に沿うように、上下方向に向けて所定間隔おきに６個ずつ形成されているとともに、ガイド片７７８の内面には、前記ＬＥＤカバー体５５０Ｒの係止爪の係止部を形成すべく係止用凹部９３３が、前記各係止爪挿入穴７７６に対応してそれぞれ凹設されている。
【０５０７】
前面枠７００における図中向かって右側の端辺部には、前面枠７００を補強するための右側部枠板８６１（図７２参照）を取り付けるためのネジ８６４、８６４ａ、８６４ｂ（図７２参照）が螺入されるネジ穴９０２ｂ、９０３ｂ、９０４ｂ、９２０ｂが上下方向に向かって形成されているとともに、ネジ穴９０２ｂ、９０３ｂ間及びネジ穴９０４ａ、９０３ｂ間及びネジ穴９０４ｂ、９２０ｂ間には、左側部枠板（図７２参照）を位置決めするための位置決め用ボス９２５ａ〜９２５ｃがそれぞれ後向き（図中手前側）に突設されている。
【０５０８】
前面側に設けられる上部のサイドＬＥＤ基板５４５ａ（図５１参照）から延設されるコードを係止するためのコード係止フック及び中央及び下部のサイドＬＥＤ基板５４６ｂ、５４６ｃ（図５１参照）から延設されるコードをまとめて係止するためのコード係止フックを形成するためのフック形成用穴９２３ａ、９２３ｂが形成されている。また、これらコードは、前記係止爪挿入穴７１２の側方に形成されたコード挿通用穴７７４ａを介して前面枠７００の後面側（図中手前側）に挿通される。
【０５０９】
ネジ穴９０２ｂ、９０３ｂ、取付穴７５６ａの近傍には、遊技効果ＬＥＤ部４２Ｌを構成するＬＥＤカバー体５５０Ｌを固定するためのネジ７７９ｂ（図５１参照）が取り付けられる取付穴７８０ａがそれぞれ形成されている。また、前面枠７００の左側（図中右側）の端辺部には、ガイド片７７７が上下方向にわたって前向きに突設されているとともに、ガイド片７７７の内側には、前記ＬＥＤカバー体５５０Ｌから後向きに突設された係止爪５５３（図５２参照）が挿入される係止爪挿入穴７７５がガイド片７７７に沿うように、上下方向に向けて所定間隔おきに６個ずつ形成されているとともに、ガイド片７７７の内面には、前記ＬＥＤカバーの係止爪の係止部を形成すべく係止用凹部９３４が、前記各係止爪挿入穴７７６に対応してそれぞれ凹設されている。
【０５１０】
このように構成された前面枠７００の後面側には、図７２〜図７４に示される各種枠板や取付部材が取り付けられる。以下、これら各種部材を説明する。
【０５１１】
（４−２）左側部枠板
左側部枠板８４５は、図７３に示されるように縦長の平板部材であり、その平板部には、適宜間隔をおいて５個のネジ穴８４６と、上部連結止め穴８４６ａ及び下部連結止め穴８４６ｂと、位置決め用ボス９０４ａが嵌合される２個の位置決め穴８４７が形成されており、図７２に示されるように、その上部連結止め穴８４６ａにネジ８４８ａを、下部連結止め穴８４６ｂに後述するネジ８４８ｂを、５個のネジ穴８４６にネジ８４８を止着することにより、左側部枠板８４５を左側端部に固着することができる。
【０５１２】
平板部におけるネジ穴８４６の内側には、シリンダ錠８４９が設けられた錠枠板８５０を取り付けるためのネジ８５１が螺入されるネジ穴８５２が上下方向に５個形成されている。平板部の中央よりやや下方には、シリンダ錠８４９を位置決めするための半円状の切欠部８５３が形成されているとともに、切欠部８５３の下方には、前記第１リセットスイッチ１０５の投・受光部を挿通して取り付けるための取付孔８５４ａ、８５４ｂが並設されている。また、平板部の外側端辺には上下方向に延びる補強片８５６が後向きに連設されている。
【０５１３】
錠枠板８５０は、左側部枠板８４５に取り付けるためのネジ８５１が取り付けられる５個の取付穴８５５が前記ネジ穴８５２に対応する箇所に形成されているとともに、その中央にはシリンダ錠８４９が前向きに突設されている。錠枠板８５０の後面側には、シリンダ錠８４９に連係されるリンク部材８５７が回動自在に設けられており、このリンク部材８５７の一端には、上端に前記係合突片１８５Ｈに係脱される上向きの係止爪８５８ａを有するとともに、下端に前記係合突片１８５Ｌに係脱される上向きの係止爪８５８ｂを有する第１リンク棒（図示略）が連係されている。また、リンク部材８５７の他端側には、図示しない第２リンク棒が連係されており、この第２リンク棒の下方所定箇所には、前記第１リセットスイッチ１０５の投・受光部内に遊挿される遮光片８５９が後向きに屈曲形成されている。
【０５１４】
よって、シリンダ錠８４９前面側の鍵穴４ａ（図１参照）に図示しないキーを差し込んで時計回りに回転させることで図示しない第１リンク棒が下方に移動して前記係合突片１８５Ｈ、１８５Ｌと係止爪８５８ａ、８５８ｂとの係止状態が解除されて前面扉３が開放可能となるとともに、キーを差し込んで反時計回りに回転させることで図示しない第２リンク棒が上方に移動して第１リセットスイッチ１０５の操作が検出されることになる。また、後向片８５０ａの下端には、前面扉３の閉塞時において前記載置片１８６の上面に乗り上げて前面扉３を支持するガイドローラ８６０が回動自在に設けられている。
【０５１５】
（４−３）右側部枠板
右側部枠板８６１は、横断面略コ字状に形成された縦長の平板部材であり、その平板部には適宜間隔をおいて３個のネジ穴８６２と、上部連結止め穴８６２ａ及び下部連結止め穴８６２ｂと、３個の位置決め用穴８６３と、が形成されており、図７２に示されるように、その上部連結止め穴８６２ａにネジ８６４ａを、下部連結止め穴８６２ｂに後述するネジ８６４ｂを、３個のネジ穴８６２にネジ８６４を止着することにより、右側部枠板８６１を前面枠７００の後面右端部に固着される。
【０５１６】
右側部枠板８６１の上下には、前記枢軸１８４Ｈ、１８４Ｌの軸部１８４ａが挿通される上下方向を向く軸穴８６５ａが形成された軸受部材８６５Ｈ、８６５Ｌがそれぞれ溶着されている。
【０５１７】
（４−４）上部枠板
前面枠７００の後面上部には、上部枠板８７０がネジによって取り付けられる。上部枠板８７０は、図７４に示されるように、横長の平板部の左右両端部に連結止め穴８７１ａ、８７１ｂが形成されているとともに、中央部にはネジ穴８７１が１個形成されている。ネジ穴８７１の左右側には、後述する演出用ユニット取付枠１２８０を取り付けるためのネジ８７２ａが螺入されるネジ穴８７３ａが形成されているとともに、これら左右のネジ穴８７３ａのさらに外側には、前面枠７００の位置決め用ボス９０１ｂが嵌合される位置決め用穴８７４がそれぞれ形成されている。
【０５１８】
上部枠板８７０は、左側部枠板８４５の最上部の連結止め穴８４６ａと右側部枠板８６１の最上部の連結止め穴８６２ａと対応しているため、ネジ８４８ａ、８６４ａで止着する際には、上部枠板８７０と左側部枠板８４５及び右側部枠板８６１とが上部枠板８７０の両端で連結した状態で前面枠７００の後面上端部に止着することになる。ただし、先に上部枠板８７０をネジ８７５をネジ穴８７１に止着することで前面枠７００に取り付けておいてもよい。このように、左右の連結止め穴８７１ａ、８７１ｂに左右側部枠板８４５、８６１と共通のネジ８４８ａ、８６４ａが止着されるとともに、ネジ穴８７１にネジ８７５が止着されることにより前面枠７００の後面上端部に固着される。
【０５１９】
（４−５）下部枠板
前面枠７００の後面下部には、下部枠板８８０がネジによって取り付けられる。下部枠板８８０は、図７４に示されるように、横長の平板部の左右両端部に連結止め穴８８１ａ、８８１ｂが形成されている。連結止め穴８８１ａ、８８１ｂの内側には、メダル受皿１０を取り付けるための前記ネジ７５５ｂ（図５１参照）が挿通される挿通穴８８２が３個形成されているとともに、図中左側の挿通穴８８２の近傍には、前面枠７００の位置決め用ボス９２１ａが嵌合する位置決め用穴８８３が形成されているとともに、右側の挿通穴８８２と連結止め穴８８１ｂとの間には、前面枠７００の位置決め用ボス９２１ｂが遊嵌する位置決め用長穴８８４が形成されている。
【０５２０】
下部枠板８８０は、左側部枠板８４５の最下部の下部連結止め穴８４６ｂと右側部枠板８６１の最下部の連結止め穴８６２ｂと対応しているため、ネジ８４８ｂ、８６２ｂで止着する際には、下部枠板８８０と左側部枠板８４５及び右側部枠板８６１とが下部枠板８８０の両端で連結した状態で前面枠７００の後面下端部に止着することになる。このように、左右の連結止め穴８８１ａ、８８１ｂに左右側部枠板８４５、８６１と共通のネジ８４８ｂ、８６４ｂが止着されることにより前面枠７００の後面下端部に固着される。
【０５２１】
（４−６）上部取付板
前面枠７００の後面における遊技パネル開口７０１の上端縁部には、上部取付板８８５がネジによって取り付けられる。上部取付板８８５は、図７４に示されるように、横長の平板部の左右両端部に連結止め穴８８６ａ、８８６ｂが形成されている。連結止め穴８８６ａ、８８６ｂの内側には、後述する演出用ユニット取付枠１２８０を取り付けるためのネジ８７２ｂが螺入されるネジ穴８７３ｂが２箇所に形成されているとともに、遊技パネルユニット９５の上部に形成された取付穴１０６１ａ（図８４参照）が挿入される取付用ボス８８７ａが３箇所にそれぞれ後向きに突設されている。なお、取付用ボス８８７ａの先端部外周には環状溝８８７ｃが形成されている。
【０５２２】
また、前面枠７００の位置決め用ボス９０４が嵌合される位置決め用穴８８８ａ、８８８ｂがそれぞれ形成されている。図中左側の位置決め用穴８８８ａは長穴とされている。さらに左右のネジ穴８７３ｂの内側には、予備長穴８８９が形成されている。
【０５２３】
上部取付板８８５は、左側部枠板８４５の連結止め穴８４６ｃと右側部枠板８６１の最上部の連結止め穴８６２ｃと対応しているため、ネジ８４８ｃ、８６４ｃで止着する際には、上部取付板８８５と左側部枠板８４５及び右側部枠板８６１とが上部取付板８８５の両端で連結した状態で前面枠７００後面における遊技パネル開口７０１の上端縁部に止着することになる。このように、左右の連結止め穴８８６ａ、８８６ｂに左右側部枠板８４５、８６１と共通のネジ８４８ｃ、８６４ｃが止着されることにより前面枠７００後面における遊技パネル開口７０１の上端縁部に固着される。
【０５２４】
（４−７）下部取付板
前面枠７００の後面における遊技パネル開口７０１の下端縁部には、下部取付板８９０がネジによって取り付けられる。下部取付板８９０は、図７４に示されるように、横長の平板部の左右両端部及び中央部付近の４箇所にネジ穴８９１が形成されている。また、遊技パネルユニット９５の下部に形成された取付穴１０６１ｂ（図８４参照）が挿入される取付用ボス８８７ｂが３箇所にそれぞれ後向きに突設されている。なお、取付用ボス８８７ｂの先端部外周には環状溝８８７ｃが形成されている。
【０５２５】
また、前面枠７００の位置決め用ボス９０７が嵌合される位置決め用穴８９２が中央部に形成されているとともに、図中左側には、投入メダルセレクタ７１との干渉を回避するための切欠凹部８９３が下向きに形成されている。下部取付板８９０は、それぞれのネジ穴８９１にネジ８９４を止着することで前面枠７００後面における遊技パネル開口７０１の下端縁部に固着される。
【０５２６】
以上説明してきたように、上部枠板８７０、下部枠板８８０、左右側部枠板８４５、８６１、上部取付板８８５は、互いにネジを介して一体化された状態で前面枠７００の後面に固着される。なお、ＬＥＤカバー体５５０Ｌ、５５０Ｒを取り付けるためのネジ７７９ａ、７７９ｂは、左右側部枠板８４５、８６１により隠れてしまうため、これら上部枠板８７０、下部枠板８８０、左右側部枠板８４５、８６１、上部取付板８８５を前面枠７００に取り付ける前に、ＬＥＤカバー体５５０Ｌ、５５０Ｒを取り付けておく必要がある。
【０５２７】
（４−８）ドアベース中継基板
ドアベース中継基板５０６は、図７４に示されるように、後面側に演出制御基板５０１に接続するためのコネクタ９６０と、サイドＬＥＤ基板５４５ａ〜５４５ｃに接続するためのコネクタ９６１ａ〜９６１ｃと、サイドＬＥＤ基板５４６ａ〜５４６ｃに接続するためのコネクタ９６２ａ〜９６２ｃと、上部ＬＥＤ基板５４４に接続するためのコネクタ９６３と、冷陰極管用インバータ１２４に接続するためのコネクタ９６４と、蛍光灯用インバータ１２５に接続するためのコネクタ９６５と、高音スピーカ１３６Ｌ、１３６Ｒに接続するためのコネクタ９６５ａ、９６５ｂと、低音スピーカ１３７に接続するためのコネクタ９６６と、が設けられている。
【０５２８】
ドアベース中継基板５０６の左右側上下部に配置されたコネクタ間には、係止爪挿入穴７１２内に挿入された上部パネルカバー体５６０の係止爪１０１０ａとの干渉を回避するための係止爪挿入穴９６７がそれぞれ形成されているとともに、下端辺部には、コネクタ９６０から延設されるケーブルをケーブル挿通用開口７１０に挿通するための切欠凹部９６８が形成されている。このように構成されたドアベース中継基板５０６は、４箇所に形成されたネジ穴９６９にネジ９９０を止着することで、前面枠７００の後面上部に固着される。
【０５２９】
以上説明してきたように構成された前面枠７００の後面側には、図７６に示さｓれるように、前述した補強用の各種枠板がそれぞれ取り付けられた後、演出用ユニット９０、冷陰極管用インバータ１２４、遊技パネル６が組み付けられる遊技パネルユニット９５、操作部中継基板５０７が取り付けられた基板カバー９１４、投入メダルセレクタ７１、及びメダル誘導樋７２が取り付けられるとともに、投入メダルセレクタ７１を取り付けるためのメダルセレクタ取付部材９５１と、メダル返却通路部材７３、蛍光灯用インバータ１２５と、が主に取り付けられる。
【０５３０】
次に、投入メダルセレクタ７１の構造及び前面枠７００への取付け構造を、図７６〜図７８に基づいて説明する。図７６（ａ）は投入メダルセレクタ７１を示す正面図及び平面図であり、（ｂ）はメダルセレクタ取付部材９５１及びメダルセレクタ取付部材９５１に取り付けられる各部材を示す分解斜視図であり、図７７は投入メダルセレクタ７１の取付け状態を示す概略図であり、図７８は投入メダルセレクタ７１が前面枠７００に取り付けられた状態を示す概略図である。
【０５３１】
（４−９）投入メダルセレクタ
遊技媒体判別装置としての投入メダルセレクタ７１は、図７６（ａ）に示されるように直方体形状に構成されており、その本体部内には、正面視略くの字状の遊技媒体流下通路としてのメダル流下通路９５２が形成されている。本体部の上面には、メダル流下通路９５２の上流側に連通するとともに、上方に配置される投入メダルガイド部材９５０から落下されたメダルが流入される流入口９５２ａが形成されており、また、本体部の側面には、メダル流下通路９５２の下流側に連通するとともに、メダルを流出させるための流出口９５２ｂが形成されている。
【０５３２】
詳しくはメダル流下通路９５２は、本体内部に略Ｌ字状に凹設される凹溝（図示略）と、該本体部の後面側（図中手前側）に軸部材９５３を中心に揺動自在に設けられるとともに、バネ９５４により本体部方向に付勢される揺動板９５５との間に形成されており、揺動板９５５は、図中奥方に配置される図示しない前記メダル詰まり解除ボタン３５により押圧されることでメダル流下通路９５２を開放するようになっており、これによりメダル流下通路９５２内に詰まったメダルを本体部下方に排出することが出来るようになっている。すなわち、前記揺動板９５５及び前記凹溝が形成された本体部にて、メダル流下通路９５２の側面を形成する流下側壁が形成されている。
【０５３３】
メダル流下通路９５２の下方には、本体部の前面側（図中奥側）に設けられる流路切替ソレノイド１０７の励磁に連係して、メダル流下通路９５２を流下するメダルがメダル流下通路９５２の下流側に設けられる投入メダルセンサ１０６ａ〜１０６ｃに検出される直前にてメダル流下通路９５２から下方に向けて強制的に落下させる流路切替板９５６が揺動自在に設けられている。また、揺動板９５５には、メダル流下通路９５２内を流下するメダルの逆流を防止するための逆流防止部材９５７がバネを介してメダル流下通路９５２方向に付勢された状態で回動自在に設けられている。この逆流防止部材９５７を設けることで、メダル流下通路９５２内における投入メダルセンサ１０６ａ〜１０６ｃの近傍でメダルを逆流させること等によるメダルの不正検出が防止される。
【０５３４】
本体部の左右側面における上部には、係止手段の一部を構成する被係止部としての係止ピン９５８ａ、９５８ｂがそれぞれ外向きに突設されているとともに、本体部の左右側面における下部には、回動手段の一部を構成する軸部としての軸ピン９５９ａ、９５９ｂがそれぞれ外向きに突設されている。
【０５３５】
（４−１０）メダルセレクタ取付部材
遊技媒体判別装置取付部材としてのメダルセレクタ取付部材９５１は、図７６（ｂ）に示されるように、金属板を折曲げ形成することにより構成され、その取付部９５１ａには、メダルセレクタ取付部材９５１を前面枠７００の後面側に設けられたメダルセレクタ装着部９１０に固定するためのネジ９７０ａが取り付けられる取付穴９７１と、遊技媒体判別装置装着部としてのメダルセレクタ装着部９１０に形成された２個の位置決め用凸部９１１が嵌合される位置決め用穴９７２が２箇所に形成されている。取付部９５１ａの左右端部からは、側片９５１ｂ、９５１ｃが屈曲形成されているとともに、取付部９５１ａの上端部からは、上片９５１ｄが屈曲形成されている。
【０５３６】
左右の側片９５１ｂ、９５１ｃの後端下部には、前記投入メダルセレクタ７１の軸ピン９５９ａ、９５９ｂを回動自在に受支する上向きに開放する軸受部９７３（回動手段の一部を構成する軸受部）が形成されている。また、側片９５１ｂ、９５１ｃの上部には、前記投入メダルセレクタ７１の係止ピン９５８ａ、９５８ｂが係脱される係止部材９７４ａ、９７４ｂ（係止手段の一部を構成する係止部材）を止着するためのネジ穴９７５が形成されているとともに、その下方には位置決め用穴９７６が形成されている。さらに左右の側片９５１ｂ、９５１ｃの上端縁部には、前記係止ピン９５８ａ、９５８ｂが係合される上向きに開放する半円形状の位置決め凹部９８０が形成されている。
【０５３７】
係止部材９７４ａ、９７４ｂは、図７６（ｂ）及び図７７に示されるように、左右の側片９５１ｂ、９５１ｃの外面上部に固着するためのネジ９７７ａ、９７７ｂが取り付けられるネジ穴９７８と、前記位置決め用穴９７６に嵌合される位置決め用凸部９７９が左右側方に突設される取付部と、この取付部の上端に連設され、係止ピン９５８ａ、９５８ｂを係止する弾性変形自在に形成された係止片９８１（係止部）と、が合成樹脂にて一体成型されてなる。
【０５３８】
側片９５１の外面には、遊技媒体誘導部材としてのメダル誘導樋７２がネジ９８５を介して固着される。メダル誘導樋７２は、金属板を屈曲形成することにより構成され、流出口９５２ｂから流出されたメダルを筐体２内のホッパータンク５７ａ内に誘導する。このようにメダル誘導樋７２がメダルセレクタ取付部材９５１に固着されることで、メダル誘導樋７２をメダルセレクタ取付部材９５１以外の場所に配設する場合に比べて、投入メダルセレクタ７１の本体との位置関係に狂いが生じにくいので、メダル流下通路９５２の流出口９５２ｂから流出したメダルを落下させることなくメダル誘導樋７２に確実に流出させることが出来る。
【０５３９】
上片９５１ｄの後端部には、遊技媒体投入部材としての投入メダルガイド部材９５０を取り付けるためのネジ９７０ｂが挿通される取付穴９８２ａが形成された取付片９８２が上向きに屈曲形成されており、この上片９５１ｄの上部に投入メダルガイド部材９５０が配置される。
【０５４０】
投入メダルガイド部材９５０は、遊技媒体投入部であるメダル投入口３４ａ（図１参照）から下方に連設される投入メダル流路９８３が内部に形成されているとともに（図７８参照）、投入メダル流路９８３の左右側にはネジ９７０ｂが挿通される取付穴９８４ａが形成された取付片９８４が下方に形成されている。
【０５４１】
投入メダルガイド部材９５０は、図７５に示されるように、前面枠７００の前記後向片７２３（図７１参照）を挟んで上片９５１ｄの上方に配置され、この状態で互いに合致する取付穴９８２ａ、９８４ａにネジ９７０ｂが挿通されて前面枠７００のネジ穴９０８ａに螺入されることで、メダルセレクタ取付部材９５１と一体化されるとともに、この状態でメダルセレクタ取付部材９５１がネジ９７０ａ、９７０ｂにより前面枠７００に固着されることで、前面枠７００に固定されることになる。このように投入メダルガイド部材９５０は、ネジ９７０ｂにてメダルセレクタ取付部材９５１と一体化された状態で前面枠７００に固定されるため、それぞれを別々に配置する場合に比べて、このメダルセレクタ取付部材９５１に後述するように取り付けられる投入メダルセレクタ７１のメダル流下通路９５２の流入口９５２ａと投入メダル流路９８３の流出口との対向位置関係に狂いが生じにくいので、投入メダルガイド部材９５０とメダル流下通路９５２の上流側に連通するメダル流入口９５２ａとの間でのメダル詰まりの発生を防止出来る。
【０５４２】
ここで、投入メダルセレクタ７１のメダルセレクタ取付部材９５１への取付け方法及び作用を図７７、図７８に基づいて説明すると、図７７に示されるように、▲１▼投入メダルセレクタ７１の本体を斜めに傾けた状態で、▲２▼前述したように前面枠７００のメダルセレクタ装着部９１０に固着されたメダルセレクタ取付部材９５１の軸受部９７３に軸ピン９５９ａ、９５９ｂを上方から軸支させた状態で、本体上部を軸ピン９５９ａ、９５９ｂを中心にメダルセレクタ取付部材９５１側に向けて押し当てるように回動させる。
【０５４３】
▲３▼さらに本体上部を押し込むと、係止片９８１が変形して上方の係止ピン９５８ａ、９５８ｂが係止片９８１と側片９５１ｂの上端延との間に入り込むとともに、係止片９８１の弾性復帰力にて係止ピン９５８ａ、９５８ｂが位置決め凹部９８０内に入り込んだ状態に保持される。
【０５４４】
このように投入メダルセレクタ７１は、軸ピン９５９ａ、９５９ｂを中心に本体上部を回動させて押し込む操作を行うだけで、係止片９８１の弾性復帰力にて係止ピン９５８ａ、９５８ｂが位置決め凹部９８０内に入り込んだ状態に保持されるため、簡単に装着することが出来る。また、取り外したい場合には、軸ピン９５９ａ、９５９ｂを中心に本体上部を手前側に引き出すように回動させる操作を行うだけで、係止片９８１及び位置決め凹部９８０による係止ピン９５８ａ、９５８ｂの係止作用が解除されるとともに、軸ピン９５９ａ、９５９ｂを軸受部９７３から簡単に離脱させることが出来るため、メダルセレクタ取付部材９５１から簡単に取り外すことが出来る。
【０５４５】
なお、図７８に示されるように、メダル返却通路部材７３の上部は、前述したように流路切替板９５６にてメダル流下通路９５２から排出されるメダルが逸脱しないように投入メダルセレクタ７１の下部にかかるように配置されているが、前述のように、投入メダルセレクタ７１の本体下部に設けられた回動手段を中心として本体上部を回動させることでメダルセレクタ取付部材９５１から着脱することが出来るので、メダル返却通路部材７３の上部が投入メダルセレクタ７１の下方に配置されている状態においても簡単に着脱出来る。
【０５４６】
また、図７８に示されるように、投入メダルセレクタ７１がメダルセレクタ取付部材９５１に取付けられた使用位置において、メダル流下通路９５２の側面を構成する流下側壁（前記揺動板９５５及び前記凹溝の内面）の内壁面が、鉛直方向を向く軸線Ｐに対してほぼ平行な状態となるように構成されている。すなわち、メダルセレクタ装着部９１０に装着された状態において、薄型略円柱状に形成されたメダル（遊技媒体）が、前記流下側壁により略鉛直方向を向く姿勢に保持された状態でメダル流下通路９５２を円周面により回転流下するように構成されているため、メダル流下通路９５２を流下するメダルが揺動板９５５や前記凹溝の内面に摺接した状態のまま流下し続けることを回避することが出来る。これにより、例えばメダルに付着したゴミ、あるいは流入口９５２ａから入り込んだゴミや塵等が前記流下側壁に付着しにくくなり、摩擦抵抗によるメダル流下速度の低下や、メダル流下通路でのメダル詰まりの発生等を効果的に防止することが出来るため、投入メダルセンサ１０６ａ〜１０６ｃによる投入メダルの検出に悪影響が及ぶことを回避することが出来る。
【０５４７】
次に、演出用ユニット９０及び冷陰極管用インバータ１２４を取り付けるための演出用ユニット取付枠１２８０、メダル返却通路部材７３、演出用中継基板５０９について説明する。図７９（ａ）は演出用ユニット取付枠１２８０の構造を示す斜視図であり、（ｂ）は演出用ユニット取付枠１２８０に冷陰極管用インバータ１２４を取り付ける状態を示す側面図であり、図８０はメダル返却通路部材７３を示す斜視図であり、図８１は演出用中継基板５０９及び演出用中継基板取付部材を示す斜視図である。
【０５４８】
（４−１１）演出用ユニット取付枠
演出用ユニット取付枠１２８０は、略四角枠状に形成された金属材からなり、その上辺部に屈曲形成された固定片１２８２ａ、１２８２ｂ及び下片部に屈曲形成された固定片１２８３ａ、１２８３ｂに形成されたネジ穴１２８４ａ、１２８４ｂ、１２８５ａ、１２８５ｂにネジ８７２ａ、８７２ｂを止着することで、前面枠７００の後面に固着される前記上部枠板８７０及び前記上部取付板８８５に固設される（図７２参照）。
【０５４９】
その四隅の角部には、演出用ユニット９０を着脱自在に取り付けるための固定爪１２８６ａ〜１２８６ｄがそれぞれ回転自在に設けられている。また、左右の側片部には、後述する演出用ユニット９０を位置決めするための位置決め穴１２７９が形成されている。
【０５５０】
冷陰極管用インバータ１２４の本体は、２面の幅広面１２４ｂ及び該幅広面１２４ｂよりも幅狭の４面の幅狭面１２４ａを外面に有する略直方体形状に構成されており、４面の幅狭面１２４ａのうちの一面が取付面１２４ａ’とされている。この取付面１２４ａ’の上部からは固定片１２８８が上向きに延設されているとともに、下部からは差込片１２８９が斜め後方下向きに延設されている。
【０５５１】
インバータ取付部１２８１の上部には、冷陰極管用インバータ１２４の固定片１２８８を固定する固定爪１２８７が回転自在に設けられているとともに、下部には、冷陰極管用インバータ１２４の差込片１２８９が挿入される横長の差込片挿入スリット１２９０が横向きに形成されている。左右側には、インバータ取付部１２８１に装着された冷陰極管用インバータ１２４の本体左右側を側方から支持する支持片１２９１ａ、１２９１ｂ、１２９２がそれぞれ後方に向けて屈曲形成されている。
【０５５２】
このように構成された演出用ユニット取付枠１２８０に設けられたインバータ取付部１２８１への冷陰極管用インバータ１２４の取付け方法を説明すると、図７９（ａ）に示されるように、取付面１２４ａ’をインバータ取付部１２８１に対向させた状態で、図７９（ｂ）に示されるように▲１▼差込片１２８９を差込片挿入スリット１２９０内に挿入する。この状態で▲２▼冷陰極管用インバータ１２４を差込片１２８９を支点にして取付面１２４ａ’をインバータ取付部１２８１の装着面に当接させるように回転させる。そして、固定片１２８８をインバータ取付部１２８１の装着面に当接させた状態で固定爪１２８７を回転させて固定片１２８８を固定爪１２８７にて固定することで、インバータ取付部１２８１に固定されることになる。
【０５５３】
冷陰極管用インバータ１２４をインバータ取付部１２８１から取り外す場合には、固定爪１２８７による固定片１２８８の固定を解除して、差込片１２８９を差込片挿入スリット１２９０から抜き出せばよく、固定片１２８８の回転操作だけで簡単に着脱することが出来る。
【０５５４】
このように、冷陰極管用インバータ１２４は外面を構成する幅狭面の一面を取付面１２４ａ’としてインバータ取付部１２８１の装着面に対向させた状態で、すなわち、装着面に対して縦向きに取り付けられるため、幅広面１２４ｂを取付面としてインバータ取付部１２８１に装着する場合に比べて、スペース効率よく配置することが出来る。なお、演出用ユニット９０の取付けに関しては後述することとする。
【０５５５】
（４−１２）メダル返却通路部材
メダル返却通路部材７３は、合成樹脂により図８０に示されるように、一面側が開放するとともに、投入メダル通路７３ａ及び払出しメダル通路７３ｂの二股形状に構成されている。
【０５５６】
一方の投入メダル通路７３ａの上端は、図７８にて説明したように投入メダルセレクタ７１の本体下部後方を覆うように設けられ、投入メダルセレクタ７１から排出される不正メダル等が流下される。他方の払出しメダル通路７３ｂには、メダル合流口７４が形成されており、その後方に配置されるホッパーユニット６２のメダル排出口６３に対向配置され、このメダル排出口６３から排出されたメダルがメダル合流口７４を通して払出しメダル通路７３ｂ内に流入する。これら投入メダル通路７３ａ及び払出しメダル通路７３ｂの下部は互いに合流されており、その合流部はメダル払出開口７４２の後面側に配置される。
【０５５７】
この合流部の底面には、上方から落下するメダルの衝撃による損傷を防止するための金属製の保護板２４７が敷設される。保護板２４７は、その屈曲片上端を図中示される２つの係止爪成型用穴２４８の内面上部に突設された係止爪２４９に係止させることにより滑落不能に保持されている。このように構成されたメダル返却通路部材７３は、図７５に示されるように２箇所に形成されたネジ穴２４５にネジ２４６を止着することで前面枠７００の後面に固着される。
【０５５８】
（４−１３）演出用中継基板
演出用中継基板５０９は、図８１に示されるように、演出制御基板５０１に接続するためのコネクタ１０４５と、リールランプ中継基板５０４に接続するためのコネクタ１０４６と、演出用ランプ中継基板５０８に接続するためのコネクタ１０４７と、図示しない演出装置を増設した際にその装置に接続するための予備コネクタ１０４８と、が後面に設けられている。角部には、この演出用中継基板５０９を前面枠７００の後面に取り付けるための演出用中継基板取付部材１０５２に取り付けるためのネジ１０５１が取り付けられる取付穴１０５０と、演出用中継基板取付部材１０５２の後面に突設される位置決め用ボス１０５３が嵌合される位置決め用穴１０４９と、が互いに対角線上に２個ずつ形成されている。
【０５５９】
演出用中継基板取付部材１０５２は合成樹脂からなり、前記位置決め用ボス１０５３及びネジ１０５１が螺入されるネジ穴を有する取付用ボス１０５４が後面側に突設された取付板と、取付板の前面側から前方に向けて突設された脚部１０５５ａ、１０５５ｂと、から構成されている。
【０５６０】
演出用中継基板取付部材１０５２は、図７２に示されるように、脚部１０５５ａの後面側から取り付けられるネジ１０５６を前面枠７００のネジ穴７１５ａに螺入することで、高音スピーカ１３６Ｌの後面側に配置される。
【０５６１】
次に、操作部中継基板５０７の詳細を図８２及び図８３に基づいて説明する。図８２（ａ）は前面扉枠７００と操作部中継基板５０７及び基板カバー９１４との関係を示す斜視図であり、（ｂ）は操作部中継基板５０７及び基板カバー９１４が前面枠７００に取り付けられた状態を示す斜視図であり、図８３（ａ）は図８２（ｂ）のＡ−Ａ断面図であり、（ｂ）は図８２（ｂ）のＢ−Ｂ断面図であり、（ｃ）は図８２（ｂ）のＣ−Ｃ断面図であり、（ｄ）は操作部中継基板５０７が取り付けられた基板カバー９１４を示す正面図である。
【０５６２】
（４−１４）操作部中継基板
操作部中継基板５０７は、図８２（ａ）に示されるように、精算ボタン３７から延出されるケーブルを接続するための精算ボタンコネクタ９３５と、１枚ＢＥＴボタン３６ａから延出されるケーブルを接続するための１枚ＢＥＴボタンコネクタ９３６と、スタートレバー３８から延出されるケーブルを接続するためのスタートレバーコネクタ９３７と、ＭＡＸＢＥＴボタン３６ｂから延出されるケーブルを接続するためのＭＡＸＢＥＴボタンコネクタ９３８と、左ストップボタン４０Ｌから延出されるケーブルを接続するための左ストップボタンコネクタ９３９と、中ストップボタン４０Ｃから延出されるケーブルを接続するための中ストップボタンコネクタ９４０と、右ストップボタン４０Ｒから延出されるケーブルを接続するための右ストップボタンコネクタ９４１と、投入メダルセレクタ７１から延設されたケーブルを接続するためのメダルセレクタコネクタ９４２と、第１リセットスイッチ１０５から延出されるケーブルを接続するための第１リセットスイッチコネクタ９４３と、前記表示基板５４３から延出されるケーブルを接続するための表示基板コネクタ９４４と、遊技制御基板５００から延出されるケーブルを接続するための遊技制御基板コネクタ９４５と、が設けられるとともに、四隅には基板カバー９１４に取り付ける際における位置決め用の位置決め穴９４６がそれぞれ形成されている。
【０５６３】
（４−１５）基板カバー
基板カバー９１４は、図８２及び図８３（ｄ）に示されるように、透明な合成樹脂により一面が開口する横長箱状に形成されており、その底壁には、精算ボタンコネクタ９３５、１枚ＢＥＴボタンコネクタ９３６、スタートレバーコネクタ９３７、ＭＡＸＢＥＴボタンコネクタ９３８、左ストップボタンコネクタ９３９、中ストップボタンコネクタ９４０、右ストップボタンコネクタ９４１、メダルセレクタコネクタ９４２、第１リセットスイッチコネクタ９４３、表示基板コネクタ９４４、遊技制御基板コネクタ９４５それぞれがカバー体の外面側に臨ませるためのコネクタ用穴９３５ａ〜９４５ａが形成されているとともに、コネクタ用穴９４１ａとコネクタ用穴９４２ａとの間には、例えば前述したように、機種変更等に応じてストップボタンが３個から４個に変更される場合において、その４個目のストップボタンに対応するコネクタが挿通される予備コネクタ用穴９４７が形成されている。
【０５６４】
互いに対向する短寸の側壁には、操作部中継基板５０７を係止する内向きの係止爪９４８ａ、９４８ｂが、側壁及び底壁にかけて形成された切欠部によって弾性変形自在に設けられた係止片の先端に形成されている。また、互いに対向する長寸の側壁には、操作部中継基板取付部９１３の上下部にそれぞれ形成された係止爪挿入穴７３８に係脱自在な外向きの係止爪９４９ａ、９４９ｂが、側壁に形成された切欠部によって弾性変形自在に設けられた係止片の先端に形成されている。底壁の内面における四隅には、操作部中継基板５０７の位置決め穴９４６に嵌合する位置決め用ボス９３０が開口に向かって突設されている。
【０５６５】
このように構成された操作部中継基板５０７を前面枠７００の操作部中継基板取付部９１３に取り付けるには、図８２（ａ）に示されるように、まず操作部中継基板５０７を、前記各コネクタ９３５〜９４５をコネクタ用穴９３５ａ〜９４５ａ（９４７を除く）に対向させた状態で、基板カバー９１４の開口から底壁内面に押し込む。その際、図８３（ａ）に示されるように、四隅の位置決め用ボス９３０が位置決め用穴９４６内に嵌合されて、基板カバー９１４に対する操作部中継基板５０７の位置決めがなされるとともに、図８３（ｂ）に示されるように、係止爪９４８ａ、９４８ｂが操作部中継基板５０７によって外向きに押されて弾性変形した後、弾性復帰力により操作部中継基板５０７の短辺部に係止され、この係止作用により操作部中継基板５０７の基板カバー９１４からの逸脱が防止される。
【０５６６】
操作部中継基板５０７は、基板カバー９１４に外部に逸脱不能に係止された状態において、底壁内面に近接するように配置されるとともに、前記各コネクタ９３５〜９４５がコネクタ用穴９３５ａ〜９４５ａ（９４７を除く）内に遊挿されて、それらの接続口が基板カバー９１４の外面に露出されることになる。こうして操作部中継基板５０７が一体化された基板カバー９１４は、図８２（ａ）に示されるように、その開口を操作部中継基板取付部９１３に対向させた状態で、上下の係止爪９４９ａ、９４９ｂを係止爪挿入穴７３８に挿入することで、図８３（ｂ）に示されるように、係止爪９４９ａ、９４９ｂが上下それぞれの係止爪挿入穴７３８の開口端縁部に係止されて、操作部中継基板取付部９１３に装着されることになる。
【０５６７】
ここで、基板カバー９１４取付けの際において、上下の係止爪９４９ａ、９４９ｂが傾斜面９０５ａ、９０５ｂにより内側に案内されるとともに、基板カバー９１４の左右の側壁外面が傾斜面９１６ａにより内側に案内されることで、基板カバー９１４が取り付け位置にスムーズに案内されることになる。
【０５６８】
操作部中継基板取付部９１３に装着された状態において、基板カバー９１４は係止爪９４９ａ、９４９ｂの係止作用により装着部からの逸脱が防止される。装着された状態において図８３（ａ）、（ｂ）に示されるように、前記係止爪９４９ａ、９４９ｂの係止作用及び左右のガイド片９１６により左右方向の位置ずれが確実に防止されるとともに、前記係止爪９４９ａ、９４９ｂの係止作用により上下方向の位置ずれが防止される。
【０５６９】
また、装着された状態において、突条９１５ａ、９１５ｂの先端面が操作部中継基板５０７の裏面に近接するため、前記各コネクタ９３５〜９４５へのコネクタの接続時において負荷がかかって操作部中継基板５０７に撓みが生じても、操作部中継基板５０７の裏面が突条９１５ａ、９１５ｂの先端面に当接して撓みが規制されることになる。
【０５７０】
このように、基板カバー９１４に一体化された操作部中継基板５０７は、基板カバー９１４に形成された弾性変形自在な係止片の先端に形成された係止爪９４９ａ、９４９ｂを介して操作部中継基板取付部９１３に係止されるため、前述したように、例えば機種変更等に伴って遊技制御基板５００により制御される遊技用機器の一例であるストップボタン４０Ｌ、４０Ｃ、４０Ｒの配置数に変更が生じて、その配置に対応するコネクタを有する操作部中継基板５０７に交換する必要がある場合等において、操作部中継基板５０７の交換作業を容易に行うことが出来るばかりか、メンテナンス作業等も容易になる。
【０５７１】
また、基板カバー９１４を操作部中継基板取付部９１３へ取り付けることで、操作部中継基板５０７が全体が被覆されるため、操作部中継基板５０７の損傷等が効果的に防止される。
【０５７２】
また、操作部中継基板５０７は、操作部中継基板取付部９１３に形成された係止爪挿入穴７３８の開口端縁部に係脱自在な係止爪９４９ａ、９４９ｂを有する基板カバー９１４に一体化された状態で簡単に着脱することが出来るため、着脱を極めて容易に行うことが出来るばかりか、操作部中継基板５０７自体に着脱部等を設ける必要がないので、基板の破損等を回避出来る。
【０５７３】
さらに、操作部中継基板５０７を被覆する基板カバー９１４は、前面が開口する箱状部材であり、その開口を装着部面に対向させた状態で取り付けられるため、ケース本体とケースカバーとからなる一般的な基板ケースと比較して、構造が簡単で操作性に優れ、かつ、安価に製造できるとともに、基板カバー９１４を操作部中継基板取付部９１３から取り外すことで、基板カバー９１４の開口から操作部中継基板５０７を容易に取り外すことが出来るとともに、基板カバー９１４を操作部中継基板取付部９１３へ取り付けることで操作部中継基板５０７全体が基板カバー９１４と前面扉３とにより被覆されるため、操作部中継基板５０７の外部からの損傷等から保護することが出来る。
【０５７４】
次に、遊技パネルユニット９５及び遊技パネルユニット９５に配設される各種部材の詳細を、図８４〜図９１に基づいて説明する。図８４は遊技パネルユニット９５を斜め後方から見た状態を示す斜視図であり、図８５は遊技パネルユニット９５及び遊技パネル６を示す斜視図であり、図８６は遊技パネルユニット９５を示す正面図であり、図８７（ａ）は図８６のＡ−Ａ側面図であり、（ｂ）は図８６のＢ−Ｂ断面図であり、（ｃ）は図８６のＣ−断面図であり、（ｄ）は図８６のＤ−断面図であり、（ｅ）は図８６のＥ−Ｅ側面図であり、図８８は遊技パネルユニット９５と上下部取付部材との関係を示す斜視図であり、図８９（ａ）は冷陰極管用カバー体のケース本体を示す平面図であり、（ｂ）は（ａ）のＡ−Ａ断面図であり、（ｃ）は（ａ）のＢ−Ｂ断面図であり、（ｄ）は（ａ）のＣ−Ｃ断面図であり、（ｅ）はケース本体を示す背面図であり、（ｆ）は上蓋を示す平面図であり、（ｇ）は冷陰極管を示す平面図であり、図９０は各種基板を示す背面図であり、図９１（ａ）〜（ｃ）は遊技パネルユニット９５とリールとの関係を示す概略図である。
【０５７５】
（４−１６）遊技パネルユニット
遊技パネルユニット９５は、図８４〜図８７に示されるように、合成樹脂により中央にリール５１Ｌ、５１Ｃ、５１Ｒを前方に臨ませるためのリール用開口１０６０が形成される四角枠状に形成されており、後面側（図８４中手前側）には各種基板５０８、５４１、５４２、５４３、５４３が取り付けられるとともに、前面側（図８５中手前側）には、後述する冷陰極管カバー体１２９５及び遊技パネル６が取り付けられる。
【０５７６】
上辺部９５ａの上面には、前記上部取付板８８５の取付用ボス８８７ａに挿通可能な取付穴１０６１ａが形成された取付片１０６２ａが、所定間隔おきに上向きに突設されており、中央の取付片１０６２ａを除く左右の取付片１０６２ａの後面における取付穴１０６１ａの側方には、前記取付用ボス８８７ａの先端に形成された環状溝８８７ｃに係脱可能な固定フック１０６３ａが回動自在に取り付けられている。
【０５７７】
上辺部９５ａの後面における左右方向中央位置には、演出用ランプ中継基板５０８の装着部が凹設されているとともに、その左右側には、演出用ランプ中継基板５０８から左右側に延出されるケーブルを係止するための上向き略Ｌ字状のケーブル係止フック１０６４がそれぞれ形成されている。さらにこれらケーブル係止フック１０６４の外側方には、前面側に配置される冷陰極管１３８ａ〜１３８ｃから延出されるコードを挿通するためのコード挿通穴１０６５がそれぞれ形成されている。
【０５７８】
上辺部９５ａの前面側には、冷陰極管カバー体１２９５の冷陰極管配置部１０６８が長手方向にわたって凹設されている。冷陰極管配置部１０６８の上縁部前端における長手方向中央位置には、遊技パネル６を係止する係止爪１０６９ａが前端に形成された係止片が、切欠溝を介して弾性変形自在に形成されている。なお、１０７０ａは、この係止爪１０６９ａを形成するための係止爪形成用穴である。
【０５７９】
左右側辺部９５ｃ、９５ｄには、各演出用ランプ１４０〜１４９が配置される前面側に開口するランプ室１０７１ａ〜１０７１ｅ、１０７２ａ〜１０７２ｅがそれぞれ上下方向に複数形成されている。
【０５８０】
ランプ室１０７１ａ〜１０７１ｄの後壁には、演出用ランプ１４５〜１４８が前方に臨むように挿通される円形のランプ挿通穴１０７３ａがそれぞれ形成されているとともに、最下部のランプ室１０７１ｅの後壁には、上下方向に延びる縦長のランプ挿通穴１０７３ｂが形成されており、この穴は係止爪１０６７ａの成型用穴を兼ねている。また、ランプ室１０７１ａ〜１０７１ｅの外側壁後部には放熱穴１０７４が形成されているとともに、この外側壁の前端縁部には、前方に配置される遊技パネル６の側端部の一部を外部に露呈させるための切欠凹部１０７５ａが上下２箇所に形成されており、これにより遊技パネル６の取外し時において遊技パネル６の側端部を指触出来るようになっている。
【０５８１】
ランプ室１０７２ａ〜１０７２ｄの後壁から外側壁にかけては、演出用ランプ１４０〜１４３が前方に臨むように挿通されるランプ挿通穴１０７６ａがそれぞれ形成されているとともに、最下部のランプ室１０７２ｅの後壁から外側壁にかけては、上下方向に延びるランプ挿通穴１０７６ｂが形成されている。これらランプ挿通穴１０７６ａ、１０７６ｂは放熱穴としての機能を兼ねるとともに、最下部のランプ挿通穴１０７６ｂにおいては、さらに係止爪１０６７ｂの成型用穴を兼ねている。また、ランプ室１０７２ａ〜１０７２ｅの外側壁の前端縁部には、前方に配置される遊技パネル６の側端部の一部を外部に露呈させるための切欠凹部１０７５ｂが上下２箇所に形成されており、これにより遊技パネル６の取外し時において遊技パネル６の側端部を指触出来るようになっている。
【０５８２】
また、最上部のランプ室１０７１ａ、１０７２ａの上方には、冷陰極管カバー体１２９５の左右方向への移動を規制するための規制片１０７７ａが左右側にそれぞれ形成されているとともに、上方への浮き上がりを規制するための規制片１０７７ｂが左右側にそれぞれ形成されている。さらに右側辺部９５ｄの内面には、リール５１Ｒの右側方に配置されるリール間隠蔽部５３との干渉を避けるための円弧状の切欠凹部１０７８が凹設されている。
【０５８３】
左右側辺部９５ｃ、９５ｄ後面上部には、演出用ランプ基板５４１、５４２の上端を係止するための下向きＬ字状の固定爪１０６６ａ、１０６６ｂが突設されているとともに、後面下部には、演出用ランプ基板５４１、５４２の下端を係止するための上向きの係止爪１０６７ａ、１０６７ｂを後端に有する弾性変形自在な係止片が突設されている。
【０５８４】
下辺部９５ｂには、前記ゲーム回数表示器１０８、クレジット表示器１０９、ペイアウト表示器１１０が、その表示面が前面側に臨むように挿入される表示器挿入穴１０７９ａ〜１０７９ｃが形成されているとともに、左側辺部９５ｃ側端部には、予備表示器挿入穴１０７９ｄが形成されている。この予備表示器挿入穴１０７９ｄには、例えば図示しないカードユニットがスロットマシン１に併設された場合等において、前記カードユニットに挿入されるプリペイドカードの残度数を表示するための度数表示器等が取り付けられる。また、各種ＬＥＤ１１１〜１１７が挿入されるＬＥＤ挿入穴１０８０ａ、１０８０ｂが形成されており、ＬＥＤ１１１〜１１７が前方の遊技パネル６に臨むようになっている。
【０５８５】
下辺部９５ｂの後面側には、表示基板５４３を取り付けるためのネジ（図示略）が螺入されるネジ穴１０８１が４箇所に形成されている。また、下辺部９５ｂの下端前縁部における長手方向中央位置には、遊技パネル６を係止する係止爪１０６９ｂが前端に形成された係止片が、切欠溝を介して弾性変形自在に形成されている。なお、１０７０ｂは、この係止爪１０６９ｂを形成するための係止爪形成用穴である。
【０５８６】
下辺部９５ｂの下部には、前記下部取付板８９０の取付用ボス８８７ｂに挿通可能な取付穴１０６１ｂが形成された取付片１０６２ｂ及び２個の取付穴１０６１ｃが形成された取付片１０６２ｃがそれぞれ突設されており、全ての取付片１０６２ｂ、１０６２ｃの後面における取付穴１０６１ｂ、１０６１ｃの側方には、前記取付用ボス８８７ｂの先端に形成された環状溝８８７ｃに係脱可能な固定フック１０６３ｂが回動自在に取り付けられている。
【０５８７】
このように構成された遊技パネルユニット９５の前面側には、図８５に示されるように、冷陰極管カバー体１２９５が冷陰極管配置部１０６８に配置された後、上下の係止爪１０６９ａ、１０６９ｂを介して遊技パネル６が装着される。装着された遊技パネル６の側周面は、遊技パネルユニット９５の周縁に形成された縁部内にはまり込むようになっており、その一部は切欠凹部１０７５ａ、１０７５ｂを介して外部に露呈される。よって、この露呈された部分を指触することで、遊技パネル６を簡単に取り外すことが出来る。
【０５８８】
（４−１７）冷陰極管及び冷陰極管カバー体
前記冷陰極管１３８ａ〜１３８ｃは、図８５及び図８６に示されるように、冷陰極管カバー体１２９５に収容された状態で、遊技パネルユニット９５の開口上部に取り付けられる。冷陰極管カバー体１２９５は、図８９（ｇ）に示される赤色（Ｒ）に発光する冷陰極管１３８ａ、緑色（Ｇ）に発光する冷陰極管１３８ｂ、青色（Ｂ）に発光する冷陰極管１３８ｃを収容するケース本体１２９３（図８９（ａ）〜（ｅ）参照）と、ケース本体１２９３の上面開口を閉塞する上蓋１２９４（図８９（ｆ）参照）と、から構成される。
【０５８９】
ケース本体１２９３は、図８９（ａ）〜（ｅ）に示されるように、透明な合成樹脂材により上面が開口する細長箱状に形成され、長寸の側壁１２９６ａ、１２９６ｂの長手方向端部及び中央部には、上蓋１２９４を係止する内向きの係止爪１２９７ａ、１２９７ｂが、それぞれ上向きに延設されている。左右の側壁１２９６ｃの内面からは、３本の冷陰極管１３８ａ〜１３８ｃの端部の保持部を形成するための仕切片１２９８ａ、１２９８ｂがそれぞれ２個ずつ形成されているとともに、これら仕切片１２９８ａ、１２９８ｂの先端には、３本の冷陰極管１３８ａ〜１３８ｃの端部を底壁１２９６ｄから上方位置に支持するための支持片１２９９ａ、１２９９ｂが、各仕切片１２９８ａ、１２９８ｂの先端を横切るように形成されている。また、側壁１２９６ａの上端における所定箇所には、上蓋１２９４の位置決めをするための位置決め用凸部１３００が突設されている。
【０５９０】
底壁１２９６ｄの長手方向端部近傍には、横長長方形状の放熱穴１３０１ａ、１３０１ｂが形成されているとともに、前記各係止爪１２９７ａ、１２９７ｂに対応する箇所には、係止爪１２９７ａ、１２９７ｂを形成するための係止爪成形用穴１３０２ａ、１３０２ｂがそれぞれ形成されている。
【０５９１】
また、底壁１２９６ｄの上面全域は、ダイヤカット加工（ローレット加工）が施されて光拡散部としての凹凸状部（図８９（ａ）中の拡大図参照）が形成されており、この底壁１２９６ｄが主に照射面として機能するようになっている。この凹凸状部が形成されていることで、３色の冷陰極管１３８ａ〜１３８ｃそれぞれの光色は光拡散部である凹凸状部にて乱反射するため、底壁１２９６ｄを透過された光は色むらのない均一な合成光色となって下方に配置されるリール５１Ｌ、５１Ｃ、５１Ｒを照射することになる。
【０５９２】
なお、このダイヤカット加工による凹凸状部は、前記ＬＥＤカバー体５５０Ｌ、５５０Ｒの内面に形成されたローレット加工により形成される凹凸状部よりも目が細かいため、底壁１２９６ｄを透過する際に各冷陰極管１３８ａ〜１３８ｃの光色が合成されて色むらのない均一な合成光色が形成されるため、照射手段として複数色に発光可能な発光ダイオード（ＬＥＤ）の前方をＬＥＤカバー体５５０Ｌ、５５０Ｒにて被覆することで構成される発光部の発光態様と比較しても見劣りしない、色むらのない均一な合成光色を作り出すことが出来るばかりか、発光ダイオード（ＬＥＤ）を使用する場合に比べて、広範囲を均一な光で照射することが出来るため、リール５１Ｌ、５１Ｃ、５１Ｒの視認性が著しく向上する。
【０５９３】
上蓋１２９４は、透明な合成樹脂材により構成されており、その長端縁部における前記各係止爪１２９７ａ、１２９７ｂに対応する箇所には、係止爪１２９７ａ、１２９７ｂの係止片との干渉を回避するための切欠凹部１３０３ａ、１３０３ｂが形成されており、この切欠凹部１３０３ａ、１３０３ｂ内に前記各係止片が嵌合されることで、上蓋１２９４の位置ずれが防止されるようになっている。また、前記位置決め用凸部１３００に対応する箇所には切欠凹部１３０４が形成されており、この切欠凹部１３０４に前記位置決め用凸部１３００が嵌合されることで、上蓋１２９４の位置ずれが防止されるとともに、装着時の向きが決定されるようになっている。
【０５９４】
上蓋１２９４の長手方向両端部には、各冷陰極管１３８ａ〜１３８ｃから延出されるケーブルを外部に挿通するためのケーブル挿通穴１３０５ａ、１３０５ｂがそれぞれ形成されているとともに、これらケーブル挿通穴１３０５ａ、１３０５ｂの内側には、放熱穴１３０６ａ、１３０６ｂがそれぞれ形成されている。
【０５９５】
また、上蓋１２９４の上面には、一方のケーブル挿通穴１３０５ｂから挿通されたケーブルを係止する側面視Ｌ字形のケーブル係止用フック１３０７が３箇所に形成されているとともに（図８９（ｆ）参照）、このケーブル係止用フック１３０７を成形するためのフック成形用穴１３０８の周縁部におけるケーブル係止用フック１３０７の対向位置左右側には、ケーブル係止用凸部１３０９ａ、１３０９ｂがそれぞれ形成されている。
【０５９６】
このように構成されたケース本体１２９３及び上蓋１２９４からなる冷陰極管カバー体１２９５は、ケース本体１２９３内に３本の冷陰極管１３８ａ〜１３８ｃを収容して上蓋２９４にて上面開口を閉塞した状態で遊技パネルユニット９５の冷陰極管配置部１０６８に装着される。冷陰極管１３８ａ〜１３８ｃの両端から延出されるケーブルは、ケーブル挿通穴１３０５ａ、１３０５ｂからそれぞれ外部に延出され、ケーブル挿通穴１３０５ｂのケーブルはケーブル係止用フック１３０７に係止されて他端側のケーブル挿通穴１３０５ｂから挿通されたケーブルとまとめられて、前記ドアベース中継基板５０６に接続される冷陰極管用インバータ１２４に接続される。
【０５９７】
冷陰極管１３８ａ〜１３８ｃから延出されるケーブルが接続される冷陰極管用インバータ１２４は、図２及び図５に示されるように、前面扉３の後面に設けられる遊技パネルユニット９５の上方近傍位置に配置されているため、冷陰極管１３８ａ〜１３８ｃから冷陰極管用インバータ１２４までのケーブルを極力短くすることが出来るため、配線作業が容易になるとともに、これによりノイズ等の悪影響が及びにくくなり、各冷陰極管１３８ａ〜１３８ｃのちらつき等が効果的に防止されるため、遊技者が最も注視する可変表示部を形成するリール５１Ｌ、５１Ｃ、５１Ｒの視認性が著しく向上され、発色効果の低減が防止される。
【０５９８】
また、冷陰極管用インバータ１２４は、冷陰極管１３８ａ〜１３８ｃを制御する制御部５３０が設けられる演出制御基板５０１を備える演出用ユニット９０の側方に配置されるため、演出制御基板５０１との配線も極力短くすることが出来、これにより冷陰極管１３８ａ〜１３８ｃから冷陰極管用インバータ１２４までの配線も含めた配線作業が容易になる。
【０５９９】
さらに冷陰極管用インバータ１２４は、金属材からなる演出用ユニット取付枠１２８０のインバータ取付部１２８１に取り付けられるため、ノイズの影響をより受けにくくなるとともに、取付面に対して取付面（幅狭面）１２４ａ’を対向させた縦向きの状態で取り付けられるため、スペース効率よく配置できるばかりか、２つの幅広面１２４ｂが外部に露呈されることになり、これにより放熱効果が向上するため、冷陰極管１３８ａ〜１３８ｃの発光に悪影響が及ぶことがなく、リール５１Ｌ、５１Ｃ、５１Ｒの視認性が著しく損なわれることがない。
【０６００】
（４−１８）各種基板
図９０には、遊技パネルユニット９５の後面に配置される各種基板が示されている。演出用ランプ中継基板５０８は、前記上辺部９５ａ後面に取り付けるためのネジ穴１０９０が２箇所に形成されているとともに、左右側端部には演出用ランプ基板５４１、５４２に接続するためのコネクタ１０９１ａ、１０９１ｂが設けられているとともに、演出用中継基板５０９に接続するためのコネクタ１０９２が設けられている。
【０６０１】
演出用ランプ基板５４１、５４２は、上下端部に係止される固定爪１０６６ａ、１０６６ｂ及び係止爪１０６７ａ、１０６７ｂの位置ずれを防止するための切欠凹部１０９３、１０９４が形成されているとともに、それぞれの上部には、前記演出用ランプ中継基板５０８に接続するためのコネクタ１０９５、１０９６が設けられている。また、各種演出用ランプ１４０〜１４９を装着するためのランプ装着穴が複数形成されている。
【０６０２】
表示基板５４３には、下辺部９５ｂに取り付けるためのネジが取り付けられる取付穴１０９７が、長手方向にわたって４箇所形成されている。後面側には、操作部中継基板５０７に接続するためのコネクタ１０９８が設けられているとともに、設定値表示器１２０が設けられている。前面側には、前記各種表示器１０８〜１１０及び各種ＬＥＤ１１１〜１１７が設けられている。
【０６０３】
次に、演出用ユニット９０の構成及び取付け状態の詳細を図９２〜図９６に基づいて説明する。図９２は演出用ユニット９０と演出用ユニット取付枠１２８０との関係を示す斜視図であり、図９３は演出用ユニット９０を示す分解斜視図であり、図９４（ａ）は演出用リール収容箱体を斜め後方から見た状態を示す斜視図であり、（ｂ）は基板カバーを示す斜視図であり、（ｃ）は装飾カバーを示す斜視図であり、図９５は演出用リール体を示す分解斜視図であり、図９６はリール保持枠及び反射部材を示す図である。
【０６０４】
演出用ユニット９０は、図９３に示されるように、演出用リール収容箱体１１１０と、この演出用リール収容箱体１１１０後面側に配置される演出制御基板５０１と、この基板を閉塞する基板カバー１１１１と、演出用リール収容箱体１１１０に収容される３個の演出用リール体と、演出用リール収容箱体１１１０の前面に装着される装飾カバー１１１２と、から主に構成される。
【０６０５】
（４−１９）演出用リール収容箱体
演出用リール収容箱体１１１０は、図９４（ａ）に示されるように、合成樹脂により前面が開口する箱状に形成されており、内部には３個の演出用リール体が並設される。演出用リール収容箱体１１１０の開口右端縁部には、外向きのフランジ部１１１３が環状に連設されており、このフランジ部１１１３の上下片部には、装飾カバー１１１２を取り付けるためのネジ１１１４（図９３参照）が螺入されるネジ穴１１１５が２個ずつ形成されているとともに、左右側片部の上部には、演出用ユニット取付枠１２８０の位置決め穴１２７９（図９２参照）に嵌合する位置決め用ボス１１１６が前向きに突設されている。
【０６０６】
上壁及び底壁の前方位置には、各演出用リール体の支持板１１１７Ｌ、１１１７Ｃ、１１１７Ｒを固定するためのネジ１１０９（図９３参照）が取り付けられる取付穴１１１８ａ、１１１８ｂが形成されているとともに、上壁後方位置には、放熱穴１１１９が各リール体の配置位置に対応して形成されている。
【０６０７】
演出用リール収容箱体１１１０の後壁周縁部には環状のリブ１１２０が後向きに突設されており、このリブ１１２０に囲まれた領域に演出制御基板５０１が配置される。リブ１１２０の内側には、演出制御基板５０１を支持する支持片１１２１が複数形成されているとともに、後壁四隅には、演出制御基板５０１及び基板カバー１１１１を取り付けるためのネジ１１２３ａ（図９３参照）が螺入されるネジ穴を有する取付用ボス１１２２ａが３箇所に突設されているとともに、演出制御基板５０１のみを取り付けるためのネジ１１２３ｂ（図９３参照）が螺入されるネジ穴を有する取付用ボス１１２２ｂが１箇所に突設されている。
【０６０８】
基板カバー１１１１は、図９４（ｂ）に示されるように、合成樹脂により前面が開口する箱状に形成されており、その四隅には前記ネジ１１２３ａが取り付けられるネジ穴１１２４ａを有する３個の取付片１１２４が外向きに連設されている。また、後壁と側壁の連設部には複数の放熱用スリット１１２５が形成されている。
【０６０９】
さらに、上方の側壁には、演出制御基板５０１に設けられる各種コネクタ１１２６ａ〜１１２６ｃに接続されるケーブルを挿通させるための切欠凹部１１３０ａ〜１１３０ｃが形成されているとともに、右側の側壁及び下側の側壁には各種コネクタ１１２７〜１１２９に接続されるケーブルを挿通させるための切欠部１１３１、１１３２が形成されており、各種ケーブルを挿通出来るようになっている。
【０６１０】
装飾カバー１１１２は、図９４（ｃ）に示されるように、合成樹脂により後面が開口する箱状に形成されており、その上壁及び下壁からは、ネジ１１１４の取付穴１１３３ａを有する取付片１１３３が２個ずつ外向きに連設されている。また、内部には、後方に並設される各演出用リール９１Ｌ、９１Ｃ、９１Ｒ間に形成される隙間を隠蔽するための円弧状のリール間隠蔽部１１３４ａ、１１３４ｂを有するリール間隠蔽部材１１３４が設けられている。
【０６１１】
リール体は、図９５に示されるように構成されている。詳しくは、リール９１Ｌは、周面に図柄が配置されるリールシート１１３７と、リールシート１１３７の幅方向両端縁部を円形に保持する保持体１１３５及び保持枠１１３６と、からなる。リール９１Ｌは、保持体１１３５が支持板１１１７Ｌに取り付けられる演出用リールモータ１２９Ｌの回転軸部（図示略）に固着されることにより、回動自在に支持される。
【０６１２】
保持体１１３５は、図９６に示されるように構成されており、その突出部１１３５ａの端面には、演出用リールモータ１２９Ｌの回転軸（図示略）が挿通される挿通穴１１３８が中心に形成されているとともに、その周囲には演出用リールモータ１２９Ｌの回転軸部に形成された図示しない位置決め用ボスが嵌合する位置決め用穴１１３９ａ、１１３９ｂがそれぞれ形成されている。また保持体１１３５の平板部１１３５ｂには、リールシート１１３７を巻回するための図示しない治具に取付けるための治具取付穴１１４０が形成されている。
【０６１３】
支持板１１１７Ｌには、演出用リールモータ１２９Ｌを固着するためのネジ１１４３が螺入されるネジ穴１１４６と、演出用リールＬＥＤ１２８Ｌが取り付けられるＬＥＤ基板１１４７を取り付けるためのネジ１１４８が螺入されるネジ穴１１４９と、ＬＥＤ基板１１４７及び反射板１１５０を取り付けるためのネジ１１５１が螺入されるネジ穴１１４５と、反射板１１５０に突設された位置決め用ボス１１５２が嵌合される位置決め用穴１１４４が形成されている。
【０６１４】
反射板１１５０の取付片には、ＬＥＤ基板１１４７の演出用リールＬＥＤ１２８Ｌからの光を反射面１１５０ａに向けて照射させるための透光穴１１５３が３個形成されている。反射面１１５０ａは、図９６に示されるように、演出用リール９１Ｌの周面に沿うように形成されるとともに、その幅方向は、投光部から離れるに従って次第にリールに近接するように円弧状に形成されている。この反射面１１５０ａが形成されることで、ＬＥＤからの光が均等に反射されるようになっている。
【０６１５】
このように構成された全ての部位が一体化された演出用ユニット９０は、図９２に示されるように、演出用ユニット取付枠１２８０の後面に取り付けられる。このとき、位置決め用ボス１１１６を位置決め用穴１２７９に嵌合させた状態で各固定爪１２８６ａ、１２８６ｂを回転させてフランジ部１１１３を係止することで簡単に取り付けられる。また、固定爪を逆回転させれば簡単に取り外すことが出来る。
【０６１６】
前記実施例における各要素は、本発明に対して以下のように対応している。
【０６１７】
本発明の請求項１は、１ゲームに対して賭数を設定することによりゲームが開始可能となるとともに、表示状態を変化させることが可能な可変表示装置（リール５１Ｌ、５１Ｃ、５１Ｒ）の表示結果が導出表示されることにより１ゲームが終了し、該可変表示装置の表示結果に応じて所定の入賞（ＢＢ入賞、ＲＢ入賞、小役入賞、リプレイ入賞）が発生可能なスロットマシン（１）であって、
スロットマシンの本体（前面枠７００の前面側）に設けられた遊技媒体投入部（メダル投入口３４ａ）から投入された遊技媒体（メダル）が流下する遊技媒体流下通路（メダル流下通路９５２）を備えるとともに、該遊技媒体流下通路を流下する遊技媒体の真偽を判別する遊技媒体判別装置（投入メダルセレクタ７１）が、前記スロットマシンの本体（前面枠７００）に設けられた遊技媒体判別装置装着部（メダルセレクタ装着部９１０に取り付けられたメダルセレクタ取付部材９５１）に着脱自在に設けられており、
該遊技媒体判別装置装着部と前記遊技媒体判別装置の本体とには、一方に軸部（軸ピン９５９ａ、９５９ｂ）が、他方に該軸部を離脱自在に軸支する軸受部（９７３）が設けられ、前記軸部と前記軸受部とにより、前記遊技媒体判別装置の本体を前記遊技媒体判別装置装着部に対して回動自在とする回動手段（軸ピン９５９ａ、９５９ｂ、軸受部９７３）が構成されており、
前記遊技媒体判別装置装着部と前記遊技媒体判別装置の本体とには、一方に係止部（位置決め凹部９８０、係止片９８１）が、他方に該係止部に係止される被係止部（係止ピン９５８ａ、９５８ｂ）が設けられ、前記係止部と前記被係止部とにより、前記回動手段を中心とした前記遊技媒体判別装置の本体の回動動作によって該遊技媒体判別装置の本体の係止または該係止の解除が行われるように構成された係止手段（係止ピン９５８ａ、９５８ｂ、位置決め凹部９８０、係止片９８１）が設けられている。
【０６１８】
本発明の請求項２は、前記遊技媒体判別装置装着部（メダルセレクタ装着部９１０）は、前記スロットマシンの本体（前面枠７００）に取り付けられた遊技媒体判別装置取付部材（メダルセレクタ取付部材９５１）により構成されており、前記遊技媒体判別装置取付部材は、金属材にて構成されるとともに、合成樹脂により弾性変形自在に形成された係止部材（係止部材９７４ａ、９７４ｂ）が取り付けられており、該係止部材により前記係止部（係止片９８１）が構成されている。
【０６１９】
本発明の請求項３は、前記遊技媒体判別装置装着部（メダルセレクタ装着部９１０）は、前記スロットマシンの本体（前面枠７００）に取り付けられた遊技媒体判別装置取付部材（メダルセレクタ取付部材９５１）により構成されており、前記遊技媒体投入部（メダル投入口３４ａ）を形成する遊技媒体投入部材（投入メダルガイド部材９５０）を、前記遊技媒体判別装置（投入メダルセレクタ７１）の本体とは別個に構成するとともに、前記遊技媒体判別装置取付部材に取り付けた。
【０６２０】
本発明の請求項４は、前記遊技媒体判別装置装着部（メダルセレクタ装着部９１０）は、前記スロットマシンの本体（前面枠７００）に取り付けられた遊技媒体判別装置取付部材（メダルセレクタ取付部材９５１）により構成されており、前記遊技媒体流下通路（メダル流下通路９５２）から流出した遊技媒体（メダル）を前記スロットマシンの本体所定箇所（筐体２内）に配置された遊技媒体払出し装置（ホッパーユニット５７）に誘導する遊技媒体誘導部材（メダル誘導樋７２）を、前記遊技媒体判別装置の本体とは別個に構成するとともに、前記遊技媒体判別装置取付部材に取り付けた。
【０６２１】
本発明の請求項５は、前記遊技媒体（メダル）は薄型略円柱状に形成されており、
前記遊技媒体判別装置（投入メダルセレクタ７１）は、前記遊技媒体流下通路（メダル流下通路９５２）を構成する流下壁（揺動板９５５及び本体部における凹溝）を備えるとともに、前記遊技媒体判別装置装着部（メダルセレクタ装着部９１０に取り付けられたメダルセレクタ取付部材９５１）に装着された状態において、前記遊技媒体流下通路を円周面により回転流下する前記遊技媒体が、前記流下壁により前記遊技媒体の表裏面が略鉛直方向を向く起立姿勢に保持されて流下するように構成されている。
【０６２２】
以上、本発明の実施例を図面により説明してきたが、具体的な構成はこれら実施例に限られるものではなく、本発明の要旨を逸脱しない範囲における変更や追加があっても本発明に含まれる。
【０６２３】
例えば上記実施例における投入メダルセレクタ７１においては、投入メダルセレクタ７１の本体側に、係止手段の一部を構成する被係止部としての係止ピン９５８ａ、９５８ｂが形成され、メダルセレクタ取付部材９５１側に、係止手段の一部を構成する係止部としての係止片９８１を有する係止部材９７４ａ、９７４ｂ及び位置決め凹部９８０が形成されていたが、投入メダルセレクタ７１の本体側に係止片９８１を有する係止部材９７４ａ、９７４ｂ及び位置決め凹部９８０（係止部）が形成され、メダルセレクタ取付部材９５１側に係止ピン９５８ａ、９５８ｂ（被係止部）が形成されていてもよい。
【０６２４】
また、上記実施例における投入メダルセレクタ７１においては、投入メダルセレクタ７１の本体側に、回動手段の一部を構成する軸部としての軸ピン９５９ａ、９５９ｂが上部に形成され、メダルセレクタ取付部材９５１側に、回動手段の一部を構成する軸受部としての軸受部９７３が形成されていたが、投入メダルセレクタ７１の本体側に軸受部９７３（軸受部）が形成され、メダルセレクタ取付部材９５１側に軸ピン９５９ａ、９５９ｂ（軸部）が形成されていてもよい。
【０６２５】
また、投入メダルセレクタ７１の本体上部側に係止手段としての係止ピン９５８ａ、９５８ｂが形成され、本体下部側に回動手段としての軸ピン９５９ａ、９５９ｂが形成されていたが、これら係止手段及び回動手段の配置位置は本実施例に記載したものに限定されるものではなく、例えば本体上部側に回動手段としての軸ピン９５９ａ、９５９ｂが形成され、本体下部側に係止手段としての係止ピン９５８ａ、９５８ｂが形成されていてもよい。
【０６２６】
さらに、例えば本体左側上下部に回動手段としての軸ピン９５９ａ、９５９ｂを形成し、本体右側上下部に係止手段としての係止ピン９５８ａ、９５８ｂを形成することにより、投入メダルセレクタ７１本体を、上下方向を向く軸部（回動手段）を中心に回動するようにしてもよい。
【０６２７】
また、上記実施例においては、投入メダルセレクタ７１の本体は、メダルセレクタ取付部材９５１を介して前面扉３の後面側に取り付けられていたが、前記係止手段や回動手段の一部（例えば係止片９８１を有する係止部材９７４ａ、９７４ｂや軸受部９７３）を前面扉３に直接設け、メダルセレクタ取付部材９５１を介すことなく前面扉３の後面に取り付けるようにしてもよい。
【０６２８】
【発明の効果】
本発明は以下の効果を奏する。
【０６２９】
（ａ）請求項１項の発明によれば、遊技媒体判別装置の本体を回動手段を中心として回動させることで、遊技媒体判別装置の本体を係止手段により係止させたり、係止手段による係止状態を解除することが出来るばかりか、軸部は軸受部から離脱させることが出来るように構成されているため、遊技媒体判別装置装着部への遊技媒体判別装置の本体の着脱を工具等を用いることなく容易に行うことが出来る。
【０６３０】
（ｂ）請求項２項の発明によれば、遊技媒体判別装置取付部材の本体が金属材にて構成されることで、遊技媒体判別装置の本体が帯電しにくくなるので、静電気等の要因による遊技媒体の判別誤作動を防止することが出来るとともに、製造時における加工が容易となるばかりか、係止部材を合成樹脂により弾性変形自在に構成することで、係止及び該係止の解除機構を簡単に構成することが出来るため、遊技媒体判別装置取付部材や係止手段の製造コストを効果的に低減することが出来る。
【０６３１】
（ｃ）請求項３項の発明によれば、遊技媒体投入部材を遊技媒体判別装置の本体とは別個に構成することで、遊技媒体判別装置のメンテナンス時に邪魔になることがないばかりか、遊技媒体投入部材を、遊技媒体判別装置の本体が取り付けられる遊技媒体判別装置取付部材に取り付けることで、遊技媒体投入部材を遊技媒体判別装置取付部材以外の箇所に取り付ける場合に比べ、遊技媒体判別装置の本体との位置関係に狂いが生じにくいので、遊技媒体投入部材と遊技媒体流下通路との間での遊技媒体詰まりの発生を防止出来る。
【０６３２】
（ｄ）請求項４項の発明によれば、遊技媒体誘導部材を遊技媒体判別装置の本体とは別個に構成することで、遊技媒体判別装置のメンテナンス時に邪魔になることがないばかりか、遊技媒体誘導部材を、遊技媒体判別装置の本体が取り付けられる遊技媒体判別装置取付部材に取り付けることで、遊技媒体誘導部材を遊技媒体判別装置取付部材以外の箇所に取り付ける場合に比べ、遊技媒体判別装置の本体との位置関係に狂いが生じにくいので、遊技媒体流下通路から流出する遊技媒体を落下させることなく遊技媒体誘導部材に流出させることが出来る。
【０６３３】
（ｅ）請求項５項の発明によれば、遊技媒体流下通路を流下する円柱状の遊技媒体が流下壁に摺接した状態で流下し続けることを回避することが出来、これにより流下壁にゴミや塵等が付着しにくくなるため、摩擦抵抗による遊技媒体の流下速度の低下が防止され、流下速度の安定性が向上するとともに、遊技媒体流下通路での遊技媒体詰まりの発生等を効果的に防止することが出来る。
【図面の簡単な説明】
【図１】本発明の適用されたスロットマシン１を斜め前方から見た斜視図である。
【図２】前面扉３を開放した状態のスロットマシン１を斜め前方から見た斜視図である。
【図３】スロットマシン１を示す正面図である。
【図４】スロットマシン１の筐体２内を示す正面図である。
【図５】スロットマシン１の前面扉を示す背面図である。
【図６】スロットマシン１を示す背面図である。
【図７】スロットマシン１を示す右側面図である。
【図８】（ａ）はスロットマシン１を示す平面図であり、（ｂ）はスロットマシン１を示す底面図である。
【図９】（ａ）（ｂ）は筐体２と前面扉３との関わりを示す要部拡大平面図である。
【図１０】一部の部材が組み付けられた状態の筐体２を示す正面図である。
【図１１】筐体２の内側に取り付けられる各種の補強用部材と筐体２との関係を示す分解斜視図である。
【図１２】上部及び底部枠板を示す斜視図である。
【図１３】左右の枠板を示す斜視図である。
【図１４】リールユニット取付片及びリールユニット係止片を示す斜視図である。
【図１５】筐体２に装着される各種部品と筐体２との関係を示す斜視図である。
【図１６】（ａ）は取手部材を側板１５１Ｌに嵌合する状態を示す斜視図であり、（ｂ）は取手部材が側板１５１Ｌに嵌合された状態を示す斜視図であり、（ｃ）は（ｂ）のＡ−Ａ断面図である。
【図１７】筐体２に装着される各種装置と筐体２との関係を示す斜視図である。
【図１８】ホッパーユニットを示す分解斜視図である。
【図１９】（ａ）はオーバーフロータンクを示す六面図（左右の側面図は同一であるため１つにまとめている）であり、（ｂ）はオーバーフロータンクが筐体に組み付けられた状態を示す一部破断側面図である。
【図２０】（ａ）は電源ユニットを示す斜視図であり、（ｂ）は（ａ）の正面図である。
【図２１】下部ケースを示す平面図及び側面図である。
【図２２】（ａ）は図２１のＡ−Ａ断面図であり、（ｂ）は図２１のＢ−Ｂ断面図であり、（ｃ）は図２１のＣ−Ｃ断面図である。
【図２３】上部ケースを示す平面図及び側面図である。
【図２４】（ａ）は図２３のＤ−Ｄ断面図であり、（ｂ）は図２３のＥ−Ｅ断面図であり、（ｃ）は図２３のＦ−Ｆ断面図であり、（ｄ）は図２３のＧ−Ｇ断面図である。
【図２５】（ａ）は下部ケースを上部ケースにより閉塞する状態を示す一部破断断面図であり、（ｂ）は下部ケースを上部ケースにて閉塞した状態を示す要部断面図であり、（ｃ）、（ｄ）は（ｂ）の状態の要部拡大断面図である。
【図２６】基板取付部材を示す平面図、側面図、背面図である。
【図２７】（ａ）は図２６のＨ−Ｈ断面図であり、（ｂ）は図２６のＩ−Ｉ断面図であり、（ｃ）は図２６のＪ−Ｊ断面図であり、（ｄ）は図２６のＫ−Ｋ断面図であり、（ｅ）は図２６のＬ−Ｌ端面図である。
【図２８】背板に遊技制御基板ボックスを取り付ける状態を示す要部断面図である。
【図２９】遊技制御ボックスの基板取付部材への取り付け状態を示す断面図である。
【図３０】（ａ）〜（ｃ）は遊技制御ボックスを基板取付部材に取り付けるためのラッチの作用を示す断面図である。
【図３１】同じく遊技制御ボックスの基板取付部材への取り付け状態を示す断面図である。
【図３２】（ａ）は第１封印シールを貼着した状態の上部ケースを示す要部平面図であり、（ｂ）は第２封印シールを貼着した状態の遊技制御基板ボックスを示す要部拡大断面図である。
【図３３】リールユニット５０を斜め前方からみた斜視図である。
【図３４】リールユニットを示す分解斜視図である。
【図３５】リール体を示す分解斜視図である。
【図３６】リールモータ５４Ｌを示す斜視図である。
【図３７】（ａ）は取付板６０５のリールモータ５４Ｌへの取付状態を示す図であり、（ｂ）は（ａ）のリールモータ５４Ｌの底面図である。
【図３８】（ａ）はリール保持枠６５６を示す縦断面図であり、（ｂ）はリール保持枠６５６を示す側面図である。
【図３９】（ａ）はリール保持枠６５７を示す縦断面図であり、（ｂ）はリール保持枠６５７を示す側面図である。
【図４０】支持板６００Ｌとランプユニット６０１との関係を示す斜視図である。
【図４１】（ａ）（ｂ）はランプユニット６０１の支持板６００Ｌへの取付状態を示す側面図である。
【図４２】支持板を示す側面図である。
【図４３】（ａ）は図４２のＡ−Ａ断面図であり、（ｂ）（ｃ）は（ａ）の要部拡大図である。
【図４４】（ａ）はリール収容箱体を示す正面図であり、（ｂ）は（ａ）のＡ−Ａ断面図である。
【図４５】リール収容箱体を斜め後方から見た斜視図である。
【図４６】リール体をリール収容箱体に組み付ける状態を示す概略図である。
【図４７】（ａ）は支持板６００Ｌをリール収容箱体５２内部に組み付ける状態を示す断面図であり、（ｂ）は支持板６００Ｌがリール収容箱体５２内部に組み付けられた状態の要部を示す断面図である。
【図４８】（ａ）はリール収容箱体５２を背板１５３に取り付ける状態を示す側面図であり、（ｂ）は（ａ）の要部を示す拡大図である。
【図４９】前面枠７００を示す正面図である。
【図５０】前面枠７００を斜め前方から見た斜視図である。
【図５１】前面扉３を構成する部材と前面枠７００との関係を示す斜視図である。
【図５２】（ａ）はＬＥＤカバー体５５０Ｌ、５５０Ｒ、サイドＬＥＤ基板５４５ａ〜５４５ｃ、５４６ａ〜５４６ｃ、下部パネル装飾枠５５１との関係を示す斜視図であり、（ｂ）はＬＥＤカバー体５５０Ｌを示す左側面図である。
【図５３】（ａ）は上部ＬＥＤ基板５４４を示す斜視図であり、（ｂ）はサイドＬＥＤ基板５４５ａを示す斜視図であり、（ｃ）は保護板２７２を示す斜視図であり、（ｄ）は保護板２７２’の要部を示す斜視図である。
【図５４】上部パネルカバー体５６０を示す分解斜視図である。
【図５５】上部パネル枠１０００を斜め前方から見た斜視図である。
【図５６】上部パネル枠１０００を示す背面図である。
【図５７】（ａ）は上部ＬＥＤカバー体１００１を示す分解斜視図であり、（ｂ）は（ａ）の縦断面図である。
【図５８】（ａ）はスピーカカバー体１００２を示す分解斜視図であり、（ｂ）はスピーカカバー体１００２Ｌ、１００２Ｒを示す正面図である。
【図５９】（ａ）は上部パネル５を斜め前方から見た斜視図であり、（ｂ）は上部パネル枠１０００に上部パネル５が組み付けられた状態を示す背面図である。
【図６０】操作部カバー体５６１と該操作部カバー体５６１に装着される部材や部品との関係を示す分解斜視図である。
【図６１】操作部カバー体５６１を斜め前方から見た斜視図である。
【図６２】（ａ）は操作部カバー体５６１を示す正面図であり、（ｂ）は操作部カバー体５６１を示す背面図である。
【図６３】（ａ）は３個のストップボタンが装着される場合に装着されるボタンカバー体を示す斜視図であり、（ｂ）は４個のストップボタンが装着される場合に装着されるボタンカバー体を示す斜視図である。
【図６４】（ａ）は右サイド装飾カバー７９１及び左サイド装飾カバー７９２を示す斜視図であり、（ｂ）は左サイド装飾カバー７９２’を左サイド装飾カバー装着部７９７に装着する一例を示す斜視図である。
【図６５】（ａ）はスタートレバーユニット４４１を示す分解斜視図であり、（ｂ）はストップボタンユニット４４０Ｌを示す分解斜視図である。
【図６６】（ａ）はＭＡＸＢＥＴボタンユニット４４３を示す分解斜視図であり、（ｂ）は１枚ＢＥＴボタンユニット４４２を示す分解斜視図であり、（ｃ）は精算ボタンユニット４４４を示す分解斜視図である。
【図６７】下部パネル７と下部パネル装飾枠５５１との関係を示す斜視図である。
【図６８】（ａ）は図６７のＡ−断面図、Ａ’−断面図、Ｂ−断面図、Ｂ’−断面図であり、（ｂ）は下部パネル７が装着された下部パネル装飾枠５５１が前面枠７００に取り付けられた状態を示す断面図である。
【図６９】メダル受皿１０の構造を示す分解斜視図である。
【図７０】前面枠７００を示す背面図である。
【図７１】前面枠７００を斜め後方から見た斜視図である。
【図７２】前面扉３を構成する枠部材と前面枠７００との関係を示す斜視図である。
【図７３】各種枠板を示す斜視図である。
【図７４】各種枠板及び取付板及び基板を示す斜視図である。
【図７５】前面扉３を構成する各種部材及び装置と前面枠７００との関係を示す斜視図である。
【図７６】（ａ）は投入メダルセレクタ７１を示す正面図及び平面図であり、（ｂ）はメダルセレクタ取付部材９５１及びメダルセレクタ取付部材９５１に取り付けられる各部材を示す分解斜視図である。
【図７７】投入メダルセレクタ７１の取付け状態を示す概略図である。
【図７８】投入メダルセレクタ７１が前面枠７００に取り付けられた状態を示す概略図である。
【図７９】（ａ）は演出用ユニット取付枠１２８０の構造を示す斜視図であり、（ｂ）は演出用ユニット取付枠１２８０に冷陰極管用インバータ１２４を取り付ける状態を示す側面図である。
【図８０】メダル返却通路部材７３を示す斜視図である。
【図８１】演出用中継基板５０９及び演出用中継基板取付部材を示す斜視図である。
【図８２】（ａ）は前面扉枠７００と操作部中継基板５０７及び基板カバー９１４との関係を示す斜視図であり、（ｂ）は操作部中継基板５０７及び基板カバー９１４が前面枠７００に取り付けられた状態を示す斜視図である。
【図８３】（ａ）は図８２（ｂ）のＡ−Ａ断面図であり、（ｂ）は図８２（ｂ）のＢ−Ｂ断面図であり、（ｃ）は図８２（ｂ）のＣ−Ｃ断面図であり、（ｄ）は操作部中継基板５０７が取り付けられた基板カバー９１４を示す正面図である。
【図８４】遊技パネルユニット９５を斜め後方から見た状態を示す斜視図である。
【図８５】遊技パネルユニット９５及び遊技パネル６を示す斜視図である。
【図８６】遊技パネルユニット９５を示す正面図である。
【図８７】（ａ）は図８６のＡ−Ａ側面図であり、（ｂ）は図８６のＢ−Ｂ断面図であり、（ｃ）は図８６のＣ−断面図であり、（ｄ）は図８６のＤ−断面図であり、（ｅ）は図８６のＥ−Ｅ側面図である。
【図８８】遊技パネルユニット９５と上下部取付部材との関係を示す斜視図である。
【図８９】（ａ）は冷陰極管用カバー体のケース本体を示す平面図であり、（ｂ）は（ａ）のＡ−Ａ断面図であり、（ｃ）は（ａ）のＢ−Ｂ断面図であり、（ｄ）は（ａ）のＣ−Ｃ断面図であり、（ｅ）はケース本体を示す背面図であり、（ｆ）は上蓋を示す平面図であり、（ｇ）は冷陰極管を示す平面図である。
【図９０】各種基板を示す背面図である。
【図９１】（ａ）〜（ｃ）は遊技パネルユニット９５とリールとの関係を示す概略図である。
【図９２】演出用ユニット９０と演出用ユニット取付枠１２８０との関係を示す斜視図である。
【図９３】演出用ユニット９０を示す分解斜視図である。
【図９４】（ａ）は演出用リール収容箱体を斜め後方から見た状態を示す斜視図であり、（ｂ）は基板カバーを示す斜視図であり、（ｃ）は装飾カバーを示す斜視図である。
【図９５】演出用リール体を示す分解斜視図である。
【図９６】リール保持枠及び反射部材を示す図である。
【符号の説明】
１                    スロットマシン
２                    筐体
３                    前面扉
３４ａ                メダル投入口
７１                  投入メダルセレクタ
７２                  メダル誘導樋
９５１                メダルセレクタ取付部材
９５２                メダル流下通路
９５８ａ、９５８ｂ    係止ピン
９５９ａ、９５９ｂ    軸ピン
９７３                軸受部
９７４ａ、９７４ｂ    係止部材
９８０                位置決め凹部
９８１                係止片
【図１】
2004201980.tif 000003
【図２】
2004201980.tif 000004
【図３】
2004201980.tif 000005
【図４】
2004201980.tif 000006
【図５】
2004201980.tif 000007
【図６】
2004201980.tif 000008
【図７】
2004201980.tif 000009
【図８】
2004201980.tif 000010
【図９】
2004201980.tif 000011
【図１０】
2004201980.tif 000012
【図１１】
2004201980.tif 000013
【図１２】
2004201980.tif 000014
【図１３】
2004201980.tif 000015
【図１４】
2004201980.tif 000016
【図１５】
2004201980.tif 000017
【図１６】
2004201980.tif 000018
【図１７】
2004201980.tif 000019
【図１８】
2004201980.tif 000020
【図１９】
2004201980.tif 000021
【図２０】
2004201980.tif 000022
【図２１】
2004201980.tif 000023
【図２２】
2004201980.tif 000024
【図２３】
2004201980.tif 000025
【図２４】
2004201980.tif 000026
【図２５】
2004201980.tif 000027
【図２６】
2004201980.tif 000028
【図２７】
2004201980.tif 000029
【図２８】
2004201980.tif 000030
【図２９】
2004201980.tif 000031
【図３０】
2004201980.tif 000032
【図３１】
2004201980.tif 000033
【図３２】
2004201980.tif 000034
【図３３】
2004201980.tif 000035
【図３４】
2004201980.tif 000036
【図３５】
2004201980.tif 000037
【図３６】
2004201980.tif 000038
【図３７】
2004201980.tif 000039
【図３８】
2004201980.tif 000040
【図３９】
2004201980.tif 000041
【図４０】
2004201980.tif 000042
【図４１】
2004201980.tif 000043
【図４２】
2004201980.tif 000044
【図４３】
2004201980.tif 000045
【図４４】
2004201980.tif 000046
【図４５】
2004201980.tif 000047
【図４６】
2004201980.tif 000048
【図４７】
2004201980.tif 000049
【図４８】
2004201980.tif 000050
【図４９】
2004201980.tif 000051
【図５０】
2004201980.tif 000052
【図５１】
2004201980.tif 000053
【図５２】
2004201980.tif 000054
【図５３】
2004201980.tif 000055
【図５４】
2004201980.tif 000056
【図５５】
2004201980.tif 000057
【図５６】
2004201980.tif 000058
【図５７】
2004201980.tif 000059
【図５８】
2004201980.tif 000060
【図５９】
2004201980.tif 000061
【図６０】
2004201980.tif 000062
【図６１】
2004201980.tif 000063
【図６２】
2004201980.tif 000064
【図６３】
2004201980.tif 000065
【図６４】
2004201980.tif 000066
【図６５】
2004201980.tif 000067
【図６６】
2004201980.tif 000068
【図６７】
2004201980.tif 000069
【図６８】
2004201980.tif 000070
【図６９】
2004201980.tif 000071
【図７０】
2004201980.tif 000072
【図７１】
2004201980.tif 000073
【図７２】
2004201980.tif 000074
【図７３】
2004201980.tif 000075
【図７４】
2004201980.tif 000076
【図７５】
2004201980.tif 000077
【図７６】
2004201980.tif 000078
【図７７】
2004201980.tif 000079
【図７８】
2004201980.tif 000080
【図７９】
2004201980.tif 000081
【図８０】
2004201980.tif 000082
【図８１】
2004201980.tif 000083
【図８２】
2004201980.tif 000084
【図８３】
2004201980.tif 000085
【図８４】
2004201980.tif 000086
【図８５】
2004201980.tif 000087
【図８６】
2004201980.tif 000088
【図８７】
2004201980.tif 000089
【図８８】
2004201980.tif 000090
【図８９】
2004201980.tif 000091
【図９０】
2004201980.tif 000092
【図９１】
2004201980.tif 000093
【図９２】
2004201980.tif 000094
【図９３】
2004201980.tif 000095
【図９４】
2004201980.tif 000096
【図９５】
2004201980.tif 000097
【図９６】
2004201980.tif 000098